(57)【要約】  この出願は、端末デバイスの電力消費を低減するための信号監視方法及び装置を提供する。当該方法は、端末デバイスにより、ダウンリンク信号を受信するステップと、端末デバイスにより、ダウンリンク信号内の第1のタイプの信号を監視するステップであり、第1のタイプの信号は電力消費低減情報を示すために使用される信号であり、端末デバイスは第1のタイプの信号を監視するときに第2のタイプの信号を監視せず、第2のタイプの信号はデータスケジューリングを示すために使用される信号である、ステップとを含む。
2021534645.tif 000002
【特許請求の範囲】
【請求項１】
信号監視方法であって、
端末デバイスにより、ダウンリンク信号を受信するステップと、
前記端末デバイスにより、前記ダウンリンク信号内の第1のタイプの信号を監視するステップであり、前記第1のタイプの信号は電力消費低減情報を示すために使用される信号であり、前記端末デバイスは前記第1のタイプの信号を監視するときに第2のタイプの信号を監視せず、前記第2のタイプの信号はデータスケジューリングを示すために使用される信号である、ステップと
を含む方法。
【請求項２】
前記端末デバイスにより、前記ダウンリンク信号内の第1のタイプの信号を監視するステップは、前記端末デバイスにより、第1の信号を検出するステップであり、前記第1の信号は前記第1のタイプの信号である、ステップを含み、
当該方法は、前記端末デバイスにより、前記第1の信号に基づいて、時間領域リソース内の次の監視対象の信号の位置を決定するステップであり、前記次の監視対象の信号は前記第1のタイプの信号又は前記第2のタイプの信号である、ステップを更に含む、請求項１に記載の方法。
【請求項３】
前記第1の信号は、データスケジューリングが第1の時間領域リソース長において実行されないことを示し、前記端末デバイスにより、前記第1の信号に基づいて、時間領域リソース内の次の監視対象の信号の位置を決定するステップは、
前記端末デバイスにより、前記時間領域リソース内の前記第1の時間領域リソース長の後の位置から前記第1のタイプの信号を監視し始めるステップを含む、請求項２に記載の方法。
【請求項４】
前記第1の信号は、データスケジューリングが第2の時間領域リソース長の後に実行できることを示し、前記端末デバイスにより、前記第1の信号に基づいて、時間領域リソース内の次の監視対象の信号の位置を決定するステップは、
前記端末デバイスにより、前記時間領域リソース内の前記第2の時間領域リソース長の後の位置から前記第2のタイプの信号を監視し始めるステップを含む、請求項２に記載の方法。
【請求項５】
当該方法は、
前記端末デバイスにより、第1の指示情報を受信するステップであり、前記第1の指示情報は、前記時間領域リソース内の第1の位置がアップリンク位置であることを示し、前記第1の位置は、前記第1の信号に基づいて決定された前記次の監視対象の信号の前記位置であり、前記次の監視対象の信号は前記第1のタイプの信号である、ステップと、
前記端末デバイスにより、前記時間領域リソース内の少なくとも1つの第2の位置において前記第1のタイプのデータを監視するステップであり、前記少なくとも1つの第2の位置は前記第1の位置の後に位置する、ステップと
を更に含む、請求項２に記載の方法。
【請求項６】
前記端末デバイスにより、前記ダウンリンク信号内の第1のタイプの信号を監視するステップは、
前記端末デバイスにより、前記第1のタイプの信号が前記時間領域リソース内の第1の位置において検出されないと決定するステップであり、前記第1の位置は前記第1の信号に基づいて決定された前記次の監視対象の信号の前記位置であり、前記次の監視対象の信号は前記第1のタイプの信号である、ステップを含み、
当該方法は、前記端末デバイスにより、前記時間領域リソース内の第3の位置から前記第2のタイプの信号を監視し始めるステップであり、前記第3の位置は前記第1の位置の後に位置する、ステップを更に含む、請求項２に記載の方法。
【請求項７】
前記端末デバイスにより、前記ダウンリンク信号内の第1のタイプの信号を監視するステップは、前記端末デバイスにより、前記第1のタイプの信号を周期的に監視するステップを含む、請求項１に記載の方法。
【請求項８】
当該方法は、
前記端末デバイスにより、第1の指示情報を受信するステップであり、前記第1の指示情報は、時間領域リソース内の第1の位置がアップリンク位置であることを示し、前記第1の位置は前記第1のタイプの信号を周期的に監視するための位置である、ステップと、
前記端末デバイスにより、前記第1の位置と前記第1のタイプの信号を周期的に監視するための次の位置との間の位置において前記第1のタイプの信号を監視しないと決定するステップと
を更に含む、請求項７に記載の方法。
【請求項９】
当該方法は、
前記端末デバイスにより、第1の指示情報を受信するステップであり、前記第1の指示情報は、時間領域リソース内の第1の位置がアップリンク位置であることを示す、ステップと、
前記端末デバイスにより、前記時間領域リソース内の少なくとも1つの第2の位置において前記第1のタイプのデータを監視するステップであり、前記第1の位置は前記第1のタイプの信号を周期的に監視するための位置であり、前記少なくとも1つの第2の位置は前記第1の位置の後に位置する、ステップと
を更に含む、請求項７に記載の方法。
【請求項１０】
前記端末デバイスにより、前記ダウンリンク信号内の第1のタイプの信号を監視するステップは、前記端末デバイスにより、前記第1のタイプの信号が時間領域リソース内の第1の位置において検出されないと決定するステップであり、前記第1の位置は前記第1のタイプの信号を周期的に監視するための位置である、ステップを含み、
当該方法は、前記端末デバイスにより、前記時間領域リソース内の第3の位置から前記第2のタイプの信号を監視し始めるステップであり、前記第3の位置は前記第1の位置の後に位置する、ステップを更に含む、請求項７に記載の方法。
【請求項１１】
端末デバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
前記通信インタフェースを使用することにより、ダウンリンク信号を受信するステップと、
前記ダウンリンク信号内の第1のタイプの信号を監視するステップであり、前記第1のタイプの信号は電力消費低減情報を示すために使用される信号であり、前記端末デバイスは前記第1のタイプの信号を監視するときに第2のタイプの信号を監視せず、前記第2のタイプの信号はデータスケジューリングを示すために使用される信号である、ステップと
を実行するように構成されたプロセッサと
を含む端末デバイス。
【請求項１２】
前記プロセッサは、第1の信号を検出するように具体的に構成され、前記第1の信号は第1のタイプの信号であり、前記プロセッサは、前記第1の信号に基づいて、時間領域リソース内の次の監視対象の信号の位置を決定するように更に構成され、前記次の監視対象の信号は前記第1のタイプの信号又は前記第2のタイプの信号である、請求項１１に記載の端末デバイス。
【請求項１３】
前記第1の信号は、データスケジューリングが第1の時間領域リソース長において実行されないことを示し、前記プロセッサは、前記時間領域リソース内の前記第1の時間領域リソース長の後の位置から前記第1のタイプの信号を監視し始めるように具体的に構成される、請求項１２に記載の端末デバイス。
【請求項１４】
前記第1の信号は、データスケジューリングが第2の時間領域リソース長の後に実行できることを示し、前記プロセッサは、前記時間領域リソース内の前記第2の時間領域リソース長の後の位置から前記第2のタイプの信号を監視し始めるように具体的に構成される、請求項１２に記載の端末デバイス。
【請求項１５】
前記プロセッサは、前記通信インタフェースを使用することにより、第1の指示情報を受信し、前記第1の指示情報は、前記時間領域リソース内の第1の位置がアップリンク位置であることを示し、前記第1の位置は、前記第1の信号に基づいて決定された前記次の監視対象の信号の前記位置であり、前記次の監視対象の信号は前記第1のタイプの信号であり、前記時間領域リソース内の少なくとも1つの第2の位置において前記第1のタイプのデータを監視し、前記少なくとも1つの第2の位置は前記第1の位置の後に位置する、ように更に構成される、請求項１２に記載の端末デバイス。
【請求項１６】
前記プロセッサは、前記第1のタイプの信号が時間領域リソース内の第1の位置において検出されないと決定するように具体的に構成され、前記第1の位置は前記第1の信号に基づいて決定された前記次の監視対象の信号の前記位置であり、前記次の監視対象の信号は前記第1のタイプの信号であり、前記プロセッサは、前記時間領域リソース内の第3の位置から前記第2のタイプの信号を監視し始めるように更に構成され、前記第3の位置は前記第1の位置の後に位置する、請求項１２に記載の端末デバイス。
【請求項１７】
前記プロセッサは、前記第1のタイプの信号を周期的に監視するように具体的に構成される、請求項１３に記載の端末デバイス。
【請求項１８】
前記プロセッサは、前記通信インタフェースを使用することにより、第1の指示情報を受信し、前記第1の指示情報は、時間領域リソース内の第1の位置がアップリンク位置であることを示し、前記第1の位置は前記第1のタイプの信号を周期的に監視するための位置であり、前記第1の位置と前記第1のタイプの信号を周期的に監視するための次の位置との間の位置において前記第1のタイプの信号を監視しないと決定する、ように更に構成される、請求項１７に記載の端末デバイス。
【請求項１９】
前記プロセッサは、前記通信インタフェースを使用することにより、第1の指示情報を受信し、前記第1の指示情報は、時間領域リソース内の第1の位置がアップリンク位置であることを示し、前記時間領域リソース内の少なくとも1つの第2の位置において前記第1のタイプのデータを監視し、前記第1の位置は前記第1のタイプの信号を周期的に監視するための位置であり、前記少なくとも1つの第2の位置は前記第1の位置の後に位置する、ように更に構成される、請求項１７に記載の端末デバイス。
【請求項２０】
前記プロセッサは、前記第1のタイプの信号が時間領域リソース内の第1の位置において検出されないと決定するように具体的に構成され、前記第1の位置は前記第1のタイプの信号を周期的に監視するための位置であり、前記プロセッサは、前記時間領域リソース内の第3の位置から前記第2のタイプの信号を監視し始めるように更に構成され、前記第3の位置は前記第1の位置の後に位置する、請求項１７に記載の端末デバイス。
【請求項２１】
コンピュータ読み取り可能記憶媒体であって、
前記コンピュータ読み取り可能記憶媒体は、コンピュータプログラムを記憶し、前記コンピュータプログラムが実行されたとき、請求項１乃至１０のうちいずれか１項に記載の方法が実現される、コンピュータ読み取り可能記憶媒体。
【請求項２２】
コンピュータプログラム製品であって、
前記コンピュータプログラム製品は、コンピュータプログラムコードを含み、前記コンピュータプログラムコードが実行されたとき、請求項１乃至１０のうちいずれか１項に記載の方法が実現される、コンピュータプログラム製品。
【請求項２３】
チップシステムであって、
請求項１乃至１０のうちいずれか１項に記載の方法を実現するように構成されたプロセッサを含むチップシステム。
【請求項２４】
信号監視方法であって、
端末デバイスにより、第1の指示情報を受信するステップであり、前記第1の指示情報は、時間領域リソース内の第1の位置がアップリンク位置であることを示し、前記第1の位置は第1のタイプの信号を監視するための所定の位置であり、前記第1のタイプの信号は電力消費低減情報を示すために使用される信号である、ステップと、
前記端末デバイスにより、前記時間領域リソース内の少なくとも1つの第2の位置において前記第1のタイプのデータを監視するステップであり、前記少なくとも1つの第2の位置は前記第1の位置の後に位置する、ステップと
を含む方法。
【請求項２５】
前記第1の位置は前記第1のタイプの信号を周期的に監視するための位置であり、前記少なくとも1つの第2の位置は前記第1の位置と前記第1のタイプの信号を周期的に監視するための次の位置との間に位置する、請求項２４に記載の方法。
【請求項２６】
当該方法は、
前記端末デバイスにより、第1の信号を検出するステップであり、前記第1の信号は前記第1のタイプの信号である、ステップと、
前記端末デバイスにより、前記第1の信号に基づいて、次の監視対象の第1のタイプの信号の位置が前記第1の位置であると決定するステップと
を更に含む、請求項２４に記載の方法。
【請求項２７】
信号送信方法であって、
ネットワークデバイスにより、第1の指示情報を送信するステップであり、前記第1の指示情報は、時間領域リソース内の第1の位置がアップリンク位置であることを示し、前記第1の位置は端末デバイスにより監視されるべき第1のタイプの信号の所定の位置であり、前記第1のタイプの信号は電力消費低減情報を示すために使用される信号である、ステップと、
前記ネットワークデバイスにより、前記時間領域リソース内の第2の位置において前記第1のタイプの信号を送信するステップであり、前記第2の位置は前記第1の位置の後に位置する、ステップと
を含む方法。
【請求項２８】
前記第1の位置は前記第1のタイプの信号を周期的に送信するための位置であり、前記少なくとも1つの第2の位置は前記第1の位置と前記第1のタイプの信号を周期的に送信するための次の位置との間に位置する、請求項２７に記載の方法。
【請求項２９】
当該方法は、
前記ダウンリンク信号が第1の信号を含み、前記第1の信号が前記第1のタイプの信号であり、前記第1の信号が、前記時間領域リソース内で、前記端末デバイスにより監視されるべき次の信号の位置が前記第1の位置であると決定するために使用されることを更に含む、請求項２７に記載の方法。
【請求項３０】
信号監視方法であって、
端末デバイスにより、第1の指示情報を受信するステップであり、前記第1の指示情報は、時間領域リソース内の第1の位置がアップリンク位置であることを示し、前記第1の位置は第1のタイプの信号を周期的に監視するための位置であり、前記第1のタイプの信号は電力消費低減情報を示すために使用される信号である、ステップと、
前記端末デバイスにより、前記第1の位置と前記第1のタイプの信号を周期的に監視するための次の位置との間の位置において前記第1のタイプの信号を監視しないと決定するステップと
を含む方法。
【請求項３１】
信号送信方法であって、
ネットワークデバイスにより、第1の指示情報を送信するステップであり、前記第1の指示情報は、時間領域リソース内の第1の位置がアップリンク位置であることを示し、前記第1の位置は第1のタイプの信号を周期的に送信するための位置であり、前記第1のタイプの信号は電力消費低減情報を示すために使用される信号である、ステップと、
前記ネットワークデバイスにより、前記第1の位置と前記第1のタイプの信号を周期的に送信するための次の位置との間の位置において前記第1のタイプの信号を送信しないと決定するステップと
を含む方法。
【請求項３２】
信号監視方法であって、
端末デバイスにより、ダウンリンク信号内の第1のタイプの信号を監視するステップであり、前記第1のタイプの信号は電力消費低減情報を示すために使用される信号である、ステップと、
前記端末デバイスにより、前記第1のタイプの信号が時間領域リソース内の第1の位置において検出されないと決定するステップであり、前記第1の位置は前記第1のタイプの信号を監視するための所定の位置である、ステップと、
前記端末デバイスにより、前記時間領域リソース内の第3の位置から第2のタイプの信号を監視し始めるステップであり、前記第2のタイプの信号はデータスケジューリングを示すために使用される信号であり、前記第3の位置は前記第1の位置の後に位置する、ステップと
を含む方法。
【請求項３３】
前記第1の位置は前記第1のタイプの信号を周期的に監視するための位置である、請求項３２に記載の方法。
【請求項３４】
端末デバイスにより、ダウンリンク信号内の第1のタイプの信号を監視するステップは、
前記端末デバイスにより、前記ダウンリンク信号内の第1の信号を検出するステップであり、前記第1の信号は前記第1のタイプの信号である、ステップを含み、
当該方法は、前記端末デバイスにより、前記第1の信号に基づいて、次の監視対象の第1のタイプの信号の位置が前記第1の位置であると決定するステップを更に含む、請求項３２に記載の方法。
【請求項３５】
信号監視方法であって、
端末デバイスにより、第2のタイプの信号が予め設定された第3の時間領域リソース長において検出されるか否かを決定するステップであり、前記第2のタイプの信号はデータスケジューリングを示すために使用される信号である、ステップと、
前記端末デバイスにより、前記第2のタイプの信号が前記予め設定された第3の時間領域リソース長において検出されないとき、第1のタイプの信号を監視し始めるステップであり、前記第1のタイプの信号は電力消費低減情報を示すために使用される信号である、ステップと
を含む方法。
【請求項３６】
前記端末デバイスは、前記第2のタイプの信号を監視するときに前記第1のタイプの信号を監視しない、請求項３５に記載の方法。
【請求項３７】
信号送信方法であって、
ネットワークデバイスにより、第2のタイプの信号を送信するステップであり、前記第2のタイプの信号はデータスケジューリングを示すために使用される信号である、ステップと、
前記ネットワークデバイスにより、予め設定された第3の時間領域リソース長の後に第1のタイプの信号を送信し始めるステップであり、前記第1のタイプの信号は電力消費低減情報を示すために使用される信号である、ステップと
を含む方法。
【請求項３８】
前記ネットワークデバイスは、同じ時間間隔内に前記第1のタイプの信号及び前記第2のタイプの信号のうち1つのみを送信する、請求項３７に記載の方法。
【請求項３９】
信号監視方法であって、
端末デバイスにより、ネットワークデバイスから第2の指示情報を受信するステップであり、前記第2の指示情報は、第1のタイプの信号を監視し始めるように前記端末デバイスに指示し、前記第1のタイプの信号は電力消費低減情報を示すために使用される信号である、ステップと、
前記端末デバイスにより、前記第2の指示情報を受信した後に前記第1のタイプの信号を監視し始めるステップであり、前記端末デバイスは、前記第1のタイプの信号を監視するときに第2のタイプの信号を監視せず、前記第2のタイプの信号はデータスケジューリングを示すために使用される信号である、ステップと
を含む方法。
【請求項４０】
前記第2の指示情報は、以下のもの、すなわち、RRCシグナリング、MAC  CE及びDCIのうちいずれか1つで搬送される、請求項３９に記載の方法。
【請求項４１】
信号送信方法であって、
ネットワークデバイスにより、第2の指示情報を送信するステップであり、前記第2の指示情報は第1のタイプの信号を監視し始めるように端末デバイスに指示し、前記第1のタイプの信号は電力消費低減情報を示すために使用される信号である、ステップと、
前記ネットワークデバイスにより、前記第2の指示情報を送信した後に前記第1のタイプの信号を送信し始めるステップであり、前記ネットワークデバイスは、同じ時間間隔内に前記第1のタイプの信号及び前記第2のタイプの信号のうち1つのみを送信する、ステップと
を含む方法。
【請求項４２】
前記第2の指示情報は、以下のもの、すなわち、RRCシグナリング、MAC  CE及びDCIのうちいずれか1つで搬送される、請求項４１に記載の方法。
【請求項４３】
信号監視方法であって、
端末デバイスにより、ダウンリンク信号内の第2の信号を検出するステップであり、前記第2の信号は第1のタイプの信号であり、前記第1のタイプの信号は電力消費低減情報を示すために使用される信号である、ステップと、
前記端末デバイスにより、前記第2の信号及び前記第1のタイプの信号と電力消費低減情報の意味との間のマッピング関係に基づいて、前記第2の信号により示される電力消費低減情報の意味を決定するステップと
を含む方法。
【請求項４４】
前記マッピング関係は予め定義される、請求項４３に記載の方法。
【請求項４５】
前記端末デバイスにより、第3の指示情報を受信するステップであり、前記第3の指示情報は前記マッピング関係を示すために使用される、ステップを更に含む、請求項４３又は４４に記載の方法。
【請求項４６】
前記端末デバイスにより、前記第3の指示情報を受信するステップであり、前記第3の指示情報は前記マッピング関係を示すために使用される、ステップを更に含む、請求項４３乃至４５のうちいずれか１項に記載の方法。
【請求項４７】
前記第3の指示情報はRRCシグナリングで搬送される、請求項４３乃至４６のうちいずれか１項に記載の方法。
【請求項４８】
前記第1のタイプの信号は、以下のもの、すなわち、ダウンリンク制御情報DCI、系列及び参照信号のうちいずれか1つである、請求項４３乃至４７のうちいずれか１項に記載の方法。
【請求項４９】
前記電力消費低減情報の前記意味は、以下のこと、すなわち、データスケジューリングが第1の時間領域リソース長において実行されないこと、及びデータスケジューリングが第2の時間領域リソース長の後に実行できることのうち少なくとも1つを含む、請求項４３乃至４８のうちいずれか１項に記載の方法。
【請求項５０】
前記第1の時間領域リソース長又は前記第2の時間領域リソース長は、以下のもの、すなわち、1つ以上のスロット、1つ以上のサブフレーム、1つ以上のミリ秒及び1つ以上のDRXサイクルのうちいずれか1つである、請求項４３乃至４９のうちいずれか１項に記載の方法。
【請求項５１】
信号送信方法であって、
ネットワークデバイスにより、第3の指示情報を送信するステップであり、前記第3の指示情報は第1のタイプの信号と電力消費低減情報の意味との間のマッピング関係を示すために使用され、前記第1のタイプの信号は電力消費低減情報を示すために使用される信号である、ステップと、
前記ネットワークデバイスにより、第2の信号を送信するステップであり、前記第2の信号は前記第1のタイプの信号である、ステップと
を含む方法。
【請求項５２】
前記第3の指示情報はRRCシグナリングで搬送される、請求項５１に記載の方法。
【請求項５３】
前記第1のタイプの信号は、以下のもの、すなわち、ダウンリンク制御情報DCI、系列及び参照信号のうちいずれか1つである、請求項５１又は５２に記載の方法。
【請求項５４】
前記電力消費低減情報の前記意味は、以下のこと、すなわち、データスケジューリングが第1の時間領域リソース長において実行されないこと、及びデータスケジューリングが第2の時間領域リソース長の後に実行できることのうち少なくとも1つを含む、請求項５１乃至５３のうちいずれか１項に記載の方法。
【請求項５５】
前記第1の時間領域リソース長又は前記第2の時間領域リソース長は、以下のもの、すなわち、1つ以上のスロット、1つ以上のサブフレーム、1つ以上のミリ秒及び1つ以上のDRXサイクルのうちいずれか1つである、請求項５１乃至５４のうちいずれか１項に記載の方法。
【請求項５６】
信号送信方法であって、
ネットワークデバイスにより、ダウンリンク信号を生成するステップであり、前記ダウンリンク信号は、端末デバイスにより監視されるべき第1のタイプの信号又は第2のタイプの信号を含み、前記ネットワークデバイスは、同じ時間間隔内に前記第1のタイプの信号及び前記第2のタイプの信号のうち1つのみを送信し、前記第1のタイプの信号は電力消費低減情報を示すために使用される信号であり、前記第2のタイプの信号はデータスケジューリングを示すために使用される信号である、ステップと、
前記ネットワークデバイスにより、前記ダウンリンク信号を送信するステップと
を含む方法。
【請求項５７】
前記ダウンリンク信号は第1の信号を含み、前記第1の信号は前記第1のタイプの信号であり、前記第1の信号は、時間領域リソース内で、前記端末デバイスにより監視されるべき次の信号の位置を決定するために使用され、前記端末デバイスにより監視されるべき前記次の信号は前記第1のタイプの信号又は前記第2のタイプの信号である、請求項５６に記載の方法。
【請求項５８】
前記ネットワークデバイスにより、第1の指示情報を送信するステップであり、前記第1の指示情報は、前記時間領域リソース内の第1の位置がアップリンク位置であることを示し、前記第1の位置は、前記第1の信号に基づいて決定された、前記端末デバイスにより監視されるべき前記次の信号の前記位置であり、前記端末デバイスにより監視されるべき前記次の信号は前記第1のタイプの信号である、ステップと、
前記ネットワークデバイスにより、前記時間領域リソース内の第2の位置において前記第1のタイプの信号を送信するステップであり、前記第2の位置は前記第1の位置の後に位置する、ステップと
を更に含む、請求項５７に記載の方法。
【請求項５９】
前記ネットワークデバイスにより、前記ダウンリンク信号を送信するステップは、前記ネットワークデバイスにより、前記第1のタイプの信号を周期的に送信するステップを含む、請求項５７に記載の方法。
【請求項６０】
前記ネットワークデバイスにより、第1の指示情報を送信するステップであり、前記第1の指示情報は、前記時間領域リソース内の第1の位置がアップリンク位置であることを示し、前記第1の位置は前記第1のタイプの信号を周期的に送信するための位置である、ステップと、
前記ネットワークデバイスにより、前記時間領域リソース内の第2の位置において前記第1のタイプのデータを送信するステップであり、前記第2の位置は前記第1の位置と前記第1のタイプの信号を周期的に送信するための次の位置との間に位置するステップと
を更に含む、請求項５９に記載の方法。
【請求項６１】
前記ネットワークデバイスにより、前記ダウンリンク信号を送信する前に、当該方法は、
前記ネットワークデバイスにより、前記第2のタイプの信号を送信するステップと、
前記ネットワークデバイスにより、予め設定された第3の時間領域リソース長の後に前記第1のタイプの信号を送信し始めるステップと
を更に含む、請求項５６乃至６０のうちいずれか１項に記載の方法。
【請求項６２】
前記ネットワークデバイスにより、前記ダウンリンク信号を送信する前に、当該方法は、前記ネットワークデバイスにより、第2の指示情報を送信するステップであり、前記第2の指示情報は、前記第1のタイプの信号を監視し始めるように前記端末デバイスに指示する、ステップを更に含む、請求項５６乃至６０のうちいずれか１項に記載の方法。
【請求項６３】
ネットワークデバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
ダウンリンク信号を生成するステップであり、前記ダウンリンク信号は、端末デバイスにより監視されるべき第1のタイプの信号又は第2のタイプの信号を含み、前記ネットワークデバイスは、同じ時間間隔内に前記第1のタイプの信号及び前記第2のタイプの信号のうち1つのみを送信し、前記第1のタイプの信号は電力消費低減情報を示すために使用される信号であり、前記第2のタイプの信号はデータスケジューリングを示すために使用される信号である、ステップと、
前記ダウンリンク信号を送信するステップと
を実行するように構成されたプロセッサと
を含むネットワークデバイス。
【請求項６４】
前記ダウンリンク信号は第1の信号を含み、前記第1の信号は前記第1のタイプの信号であり、前記第1の信号は、時間領域リソース内で、前記端末デバイスにより監視されるべき次の信号の位置を決定するために使用され、前記端末デバイスにより監視されるべき前記次の信号は前記第1のタイプの信号又は前記第2のタイプの信号である、請求項６３に記載のネットワークデバイス。
【請求項６５】
前記プロセッサは、前記通信インタフェースを使用することにより、第1の指示情報を送信し、前記第1の指示情報は、前記時間領域リソース内の第1の位置がアップリンク位置であることを示し、前記第1の位置は、前記第1の信号に基づいて決定された、前記端末デバイスにより監視されるべき前記次の信号の前記位置であり、前記端末デバイスにより監視されるべき前記次の信号は前記第1のタイプの信号であり、前記時間領域リソース内の第2の位置において前記第1のタイプの信号を送信し、前記第2の位置は前記第1の位置の後に位置する、ように更に構成される、請求項６４に記載のネットワークデバイス。
【請求項６６】
前記プロセッサは、前記通信インタフェースを使用することにより、前記第1のタイプの信号を周期的に送信するように具体的に構成される、請求項６３に記載のネットワークデバイス。
【請求項６７】
前記プロセッサは、前記通信インタフェースを使用することにより、第1の指示情報を送信し、前記第1の指示情報は、前記時間領域リソース内の第1の位置がアップリンク位置であることを示し、前記第1の位置は前記第1のタイプの信号を周期的に送信するための位置であり、前記通信インタフェースを使用することにより、前記時間領域リソース内の第2の位置において前記第1のタイプのデータを送信し、前記第2の位置は前記第1の位置と前記第1のタイプの信号を周期的に送信するための次の位置との間に位置する、ように更に構成される、請求項６６に記載のネットワークデバイス。
【請求項６８】
前記ネットワークデバイスが前記ダウンリンク信号を送信する前に、前記プロセッサは、前記通信インタフェースを使用することにより、前記第2のタイプの信号を送信し、前記通信インタフェースを使用することにより、予め設定された第3の時間領域リソース長の後に前記第1のタイプの信号を送信し始めるように更に構成される、請求項６６又は６７に記載のネットワークデバイス。
【請求項６９】
前記ネットワークデバイスが前記ダウンリンク信号を送信する前に、前記プロセッサは、前記通信インタフェースを使用することにより、第2の指示情報を送信するように更に構成され、前記第2の指示情報は、前記第1のタイプの信号を監視し始めるように前記端末デバイスに指示する、請求項６６又は６７に記載のネットワークデバイス。
【請求項７０】
端末デバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
前記通信インタフェースを使用することにより、第1の指示情報を受信するステップであり、前記第1の指示情報は、時間領域リソース内の第1の位置がアップリンク位置であることを示し、前記第1の位置は第1のタイプの信号を監視するための所定の位置であり、前記第1のタイプの信号は電力消費低減情報を示すために使用される信号である、ステップと、
前記時間領域リソース内の少なくとも1つの第2の位置において前記第1のタイプのデータを監視するステップであり、前記少なくとも1つの第2の位置は前記第1の位置の後に位置する、ステップと
を実行するように構成されたプロセッサと
を含む端末デバイス。
【請求項７１】
前記第1の位置は前記第1のタイプの信号を周期的に監視するための位置であり、前記少なくとも1つの第2の位置は前記第1の位置と前記第1のタイプの信号を周期的に監視するための次の位置との間に位置する、請求項７０に記載の端末デバイス。
【請求項７２】
前記プロセッサは、第1の信号を検出し、前記第1の信号は前記第1のタイプの信号であり、前記第1の信号に基づいて、次の監視対象の第1のタイプの信号の位置が前記第1の位置であると決定する、ように更に構成される、請求項７０に記載の端末デバイス。
【請求項７３】
ネットワークデバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
前記通信インタフェースを使用することにより、第1の指示情報を送信するステップであり、前記第1の指示情報は、時間領域リソース内の第1の位置がアップリンク位置であることを示し、前記第1の位置は端末デバイスにより監視されるべき第1のタイプの信号の所定の位置であり、前記第1のタイプの信号は電力消費低減情報を示すために使用される信号である、ステップと、
前記通信インタフェースを使用することにより、前記時間領域リソース内の第2の位置において前記第1のタイプの信号を送信するステップであり、前記第2の位置は前記第1の位置の後に位置する、ステップと
を実行するように構成されたプロセッサと
を含むネットワークデバイス。
【請求項７４】
前記第1の位置は前記第1のタイプの信号を周期的に送信するための位置であり、前記少なくとも1つの第2の位置は前記第1の位置と前記第1のタイプの信号を周期的に送信するための次の位置との間に位置する、請求項７３に記載のネットワークデバイス。
【請求項７５】
前記ダウンリンク信号は第1の信号を含み、前記第1の信号は前記第1のタイプの信号であり、前記第1の信号は、前記時間領域リソース内で、前記端末デバイスにより監視されるべき次の信号の位置が前記第1の位置であると決定するために使用される、請求項７３に記載のネットワークデバイス。
【請求項７６】
端末デバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
前記通信インタフェースを使用することにより、第1の指示情報を受信するステップであり、前記第1の指示情報は、時間領域リソース内の第1の位置がアップリンク位置であることを示し、前記第1の位置は第1のタイプの信号を周期的に監視するための位置であり、前記第1のタイプの信号は電力消費低減情報を示すために使用される信号である、ステップと、
前記第1の位置と前記第1のタイプの信号を周期的に監視するための次の位置との間の位置において前記第1のタイプの信号を監視しないと決定するステップと
を実行するように構成されたプロセッサと
を含む端末デバイス。
【請求項７７】
ネットワークデバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
前記通信インタフェースを使用することにより、第1の指示情報を送信するステップであり、前記第1の指示情報は、時間領域リソース内の第1の位置がアップリンク位置であることを示し、前記第1の位置は第1のタイプの信号を周期的に送信するための位置であり、前記第1のタイプの信号は電力消費低減情報を示すために使用される信号である、ステップと、
前記第1の位置と前記第1のタイプの信号を周期的に送信するための次の位置との間の位置において前記第1のタイプの信号を送信しないと決定するステップと
を実行するように構成されたプロセッサと
を含むネットワークデバイス。
【請求項７８】
端末デバイスであって、
通信インタフェースと、
命令を記憶するように構成されたメモリと、
前記メモリ及び前記通信インタフェースに別々に接続され、前記メモリに記憶された命令を実行し、前記命令が実行されたとき、以下のステップ、すなわち、
ダウンリンク信号内の第1のタイプの信号を監視するステップであり、前記第1のタイプの信号は電力消費低減情報を示すために使用される信号である、ステップと、
前記第1のタイプの信号が時間領域リソース内の第1の位置において検出されないと決定するステップであり、前記第1の位置は前記第1のタイプの信号を監視するための所定の位置である、ステップと、
前記時間領域リソース内の第3の位置から第2のタイプの信号を監視し始めるステップであり、前記第2のタイプの信号はデータスケジューリングを示すために使用される信号であり、前記第3の位置は前記第1の位置の後に位置する、ステップと
を実行するように構成されたプロセッサと
を含む端末デバイス。
【請求項７９】
前記第1の位置は前記第1のタイプの信号を周期的に監視するための位置である、請求項７８に記載の端末デバイス。
【請求項８０】
前記プロセッサは、前記ダウンリンク信号内の第1の信号を検出するように具体的に構成され、前記第1の信号は前記第1のタイプの信号であり、前記プロセッサは、前記第1の信号に基づいて、次の監視対象の第1のタイプの信号の位置が前記第1の位置であると決定するように更に構成される、請求項７８に記載の端末デバイス。
【請求項８１】
端末デバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
第2のタイプの信号が予め設定された第3の時間領域リソース長において検出されるか否かを決定するステップであり、前記第2のタイプの信号はデータスケジューリングを示すために使用される信号である、ステップと、
前記第2のタイプの信号が前記予め設定された第3の時間領域リソース長において検出されないとき、第1のタイプの信号を監視し始めるステップであり、前記第1のタイプの信号は電力消費低減情報を示すために使用される信号である、ステップと
を実行するように構成されたプロセッサと
を含む端末デバイス。
【請求項８２】
前記プロセッサは、前記第2のタイプの信号を監視するときに前記第1のタイプの信号を監視しない、請求項８１に記載の端末デバイス。
【請求項８３】
ネットワークデバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
前記通信インタフェースを使用することにより、第2のタイプの信号を送信するステップであり、前記第2のタイプの信号はデータスケジューリングを示すために使用される信号である、ステップと、
前記通信インタフェースを使用することにより、予め設定された第3の時間領域リソース長の後に第1のタイプの信号を送信し始めるステップであり、前記第1のタイプの信号は電力消費低減情報を示すために使用される信号である、ステップと
を実行するように構成されたプロセッサと
を含むネットワークデバイス。
【請求項８４】
前記プロセッサは、前記通信インタフェースを使用することにより、同じ時間間隔内に前記第1のタイプの信号及び前記第2のタイプの信号のうち1つのみを送信する、請求項８３に記載のネットワークデバイス。
【請求項８５】
端末デバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
前記通信インタフェースを使用することにより、ネットワークデバイスから第2の指示情報を受信するステップであり、前記第2の指示情報は、第1のタイプの信号を監視し始めるように前記端末デバイスに指示し、前記第1のタイプの信号は電力消費低減情報を示すために使用される信号である、ステップと、
前記第2の指示情報を受信した後に前記第1のタイプの信号を監視し始めるステップであり、前記端末デバイスは、前記第1のタイプの信号を監視するときに第2のタイプの信号を監視せず、前記第2のタイプの信号はデータスケジューリングを示すために使用される信号である、ステップと
を実行するように構成されたプロセッサと
を含む端末デバイス。
【請求項８６】
前記第2の指示情報は、以下のもの、すなわち、RRCシグナリング、MAC  CE及びDCIのうちいずれか1つで搬送される、請求項８５に記載の端末デバイス。
【請求項８７】
ネットワークデバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
前記通信インタフェースを使用することにより、第2の指示情報を送信するステップであり、前記第2の指示情報は第1のタイプの信号を監視し始めるように端末デバイスに指示し、前記第1のタイプの信号は電力消費低減情報を示すために使用される信号である、ステップと、
前記通信インタフェースを使用することにより、前記第2の指示情報を送信した後に前記第1のタイプの信号を送信し始めるステップであり、前記プロセッサは、前記通信インタフェースを使用することにより、同じ時間間隔内に前記第1のタイプの信号及び前記第2のタイプの信号のうち1つのみを送信する、ステップと
を実行するように構成されたプロセッサと
を含むネットワークデバイス。
【請求項８８】
前記第2の指示情報は、以下のもの、すなわち、RRCシグナリング、MAC  CE及びDCIのうちいずれか1つで搬送される、請求項８７に記載のネットワークデバイス。
【請求項８９】
端末デバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
ダウンリンク信号内の第2の信号を検出するステップであり、前記第2の信号は第1のタイプの信号であり、前記第1のタイプの信号は電力消費低減情報を示すために使用される信号である、ステップと、
前記第2の信号及び前記第1のタイプの信号と電力消費低減情報の意味との間のマッピング関係に基づいて、前記第2の信号により示される電力消費低減情報の意味を決定するステップと
を実行するように構成されたプロセッサと
を含む端末デバイス。
【請求項９０】
前記マッピング関係は予め定義される、請求項８９に記載の端末デバイス。
【請求項９１】
前記プロセッサは、第3の指示情報を受信するように更に構成され、前記第3の指示情報は前記マッピング関係を示すために使用される、請求項８９に記載の端末デバイス。
【請求項９２】
前記第3の指示情報はRRCシグナリングで搬送される、請求項８９乃至９１のうちいずれか１項に記載の端末デバイス。
【請求項９３】
前記第1のタイプの信号は、以下のもの、すなわち、DCI、系列及び参照信号のうちいずれか1つである、請求項８９乃至９２のうちいずれか１項に記載の端末デバイス。
【請求項９４】
前記電力消費低減情報の前記意味は、以下のこと、すなわち、データスケジューリングが第1の時間領域リソース長において実行されないこと、及びデータスケジューリングが第2の時間領域リソース長の後に実行できることのうち少なくとも1つを含む、請求項８９乃至９３のうちいずれか１項に記載の端末デバイス。
【請求項９５】
前記第1の時間領域リソース長又は前記第2の時間領域リソース長は、以下のもの、すなわち、1つ以上のスロット、1つ以上のサブフレーム、1つ以上のミリ秒及び1つ以上のDRXサイクルのうちいずれか1つである、請求項８９乃至９４のうちいずれか１項に記載の端末デバイス。
【請求項９６】
ネットワークデバイスであって、
通信インタフェースと、
命令を記憶するように構成されたメモリと、
前記メモリ及び前記通信インタフェースに別々に接続され、前記メモリに記憶された前記命令を実行し、前記命令が実行されたとき、以下のステップ、すなわち、
前記通信インタフェースを使用することにより、第3の指示情報を送信するステップであり、前記第3の指示情報は第1のタイプの信号と電力消費低減情報の意味との間のマッピング関係を示すために使用され、前記第1のタイプの信号は電力消費低減情報を示すために使用される信号である、ステップと、
前記通信インタフェースを使用することにより、第2の信号を送信するステップであり、前記第2の信号は前記第1のタイプの信号である、ステップと
を実行するように構成されたプロセッサと
を含むネットワークデバイス。
【請求項９７】
前記第3の指示情報はRRCシグナリングで搬送される、請求項９６に記載のネットワークデバイス。
【請求項９８】
前記第1のタイプの信号は、以下のもの、すなわち、DCI、系列及び参照信号のうちいずれか1つである、請求項９６又は９７に記載のネットワークデバイス。
【請求項９９】
前記電力消費低減情報の前記意味は、以下のこと、すなわち、データスケジューリングが第1の時間領域リソース長において実行されないこと、及びデータスケジューリングが第2の時間領域リソース長の後に実行できることのうち少なくとも1つを含む、請求項９６乃至９８のうちいずれか１項に記載のネットワークデバイス。
【請求項１００】
前記第1の時間領域リソース長又は前記第2の時間領域リソース長は、以下のもの、すなわち、1つ以上のスロット、1つ以上のサブフレーム、1つ以上のミリ秒及び1つ以上のDRXサイクルのうちいずれか1つである、請求項９６乃至９９のうちいずれか１項に記載のネットワークデバイス。
【請求項１０１】
端末デバイスであって、
ダウンリンク信号を受信するように構成された受信ユニットと、
前記ダウンリンク信号内の第1のタイプの信号を監視するように構成された監視ユニットであり、前記第1のタイプの信号は電力消費低減情報を示すために使用される信号であり、前記端末デバイスは前記第1のタイプの信号を監視するときに第2のタイプの信号を監視せず、前記第2のタイプの信号はデータスケジューリングを示すために使用される信号である、監視ユニットと
を含む端末デバイス。
【請求項１０２】
前記監視ユニットは、第1の信号を検出するように具体的に構成され、前記第1の信号は前記第1のタイプの信号であり、前記監視ユニットは、前記第1の信号に基づいて、時間領域リソース内の次の監視対象の信号の位置を決定するように更に構成され、前記次の監視対象の信号は前記第1のタイプの信号又は前記第2のタイプの信号である、請求項１０１に記載の端末デバイス。
【請求項１０３】
前記第1の信号は、データスケジューリングが第1の時間領域リソース長において実行されないことを示し、前記監視ユニットは、前記時間領域リソース内の前記第1の時間領域リソース長の後の位置から前記第1のタイプの信号を監視し始めるように具体的に構成される、請求項１０２に記載の端末デバイス。
【請求項１０４】
前記第1の信号は、データスケジューリングが第2の時間領域リソース長の後に実行できることを示し、前記監視ユニットは、前記時間領域リソース内の前記第2の時間領域リソース長の後の位置から前記第2のタイプの信号を監視し始めるように具体的に構成される、請求項１０２に記載の端末デバイス。
【請求項１０５】
前記受信ユニットは、第1の指示情報を受信するように更に構成され、前記第1の指示情報は、前記時間領域リソース内の第1の位置がアップリンク位置であることを示し、前記第1の位置は、前記第1の信号に基づいて決定された前記次の監視対象の信号の前記位置であり、前記次の監視対象の信号は前記第1のタイプの信号であり、前記監視ユニットは、前記時間領域リソース内の少なくとも1つの第2の位置において前記第1のタイプのデータを監視するように更に構成され、前記少なくとも1つの第2の位置は前記第1の位置の後に位置する、請求項１０２に記載の端末デバイス。
【請求項１０６】
前記監視ユニットは、前記第1のタイプの信号が前記時間領域リソース内の第1の位置において検出されないと決定するように具体的に構成され、前記第1の位置は前記第1の信号に基づいて決定された前記次の監視対象の信号の前記位置であり、前記次の監視対象の信号は前記第1のタイプの信号であり、前記監視ユニットは、前記時間領域リソース内の第3の位置から前記第2のタイプの信号を監視し始めるように更に構成され、前記第3の位置は前記第1の位置の後に位置する、請求項１０２に記載の端末デバイス。
【請求項１０７】
前記監視ユニットは、前記第1のタイプの信号を周期的に監視するように具体的に構成される、請求項１０１に記載の端末デバイス。
【請求項１０８】
前記受信ユニットは、第1の指示情報を受信するように更に構成され、前記第1の指示情報は、時間領域リソース内の第1の位置がアップリンク位置であることを示し、前記第1の位置は前記第1のタイプの信号を周期的に監視するための位置であり、前記監視ユニットは、前記第1の位置と前記第1のタイプの信号を周期的に監視するための次の位置との間の位置において前記第1のタイプの信号を監視しないと決定する、請求項１０７に記載の端末デバイス。
【請求項１０９】
前記受信ユニットは、第1の指示情報を受信するように更に構成され、前記第1の指示情報は、時間領域リソース内の第1の位置がアップリンク位置であることを示し、前記監視ユニットは、前記時間領域リソース内の少なくとも1つの第2の位置において前記第1のタイプのデータを監視するように更に構成され、前記第1の位置は前記第1のタイプの信号を周期的に監視するための位置であり、前記少なくとも1つの第2の位置は前記第1の位置の後に位置する、請求項１０７に記載の端末デバイス。
【請求項１１０】
前記監視ユニットは、前記第1のタイプの信号が時間領域リソース内の第1の位置において検出されないと決定するように具体的に構成され、前記第1の位置は前記第1のタイプの信号を周期的に監視するための位置であり、前記監視ユニットは、前記時間領域リソース内の第3の位置から前記第2のタイプの信号を監視し始めるように更に構成され、前記第3の位置は前記第1の位置の後に位置する、請求項１０７に記載の端末デバイス。
【請求項１１１】
前記端末デバイスが前記ダウンリンク信号内の前記第1のタイプの信号を監視する前に、前記監視ユニットは、前記第2のタイプの信号が予め設定された第3の時間領域リソース長において検出されるか否かを決定するように更に構成され、前記監視ユニットは、前記第2のタイプの信号が前記予め設定された第3の時間領域リソース長において検出されないときに前記第1のタイプの信号を監視し始める、請求項１０１乃至１１０のうちいずれか１項に記載の端末デバイス。
【請求項１１２】
前記第27の態様の第11の実現方式では、前記端末デバイスが前記ダウンリンク信号内の前記第1のタイプの信号を監視する前に、前記受信ユニットは、第2の指示情報を受信するように更に構成され、前記第2の指示情報は、前記第1のタイプの信号を監視し始めるように前記端末デバイスに指示し、前記監視ユニットは、前記第2の指示情報が受信された後に、前記第1のタイプの信号を監視し始めるように更に構成される、請求項１０１乃至１１１のうちいずれか１項に記載の端末デバイス。
【請求項１１３】
前記第2の指示情報は、以下のもの、すなわち、RRCシグナリング、MAC  CE及びDCIのうちいずれか1つで搬送される、請求項１１２に記載の端末デバイス。
【請求項１１４】
前記第1のタイプの信号は、以下のこと、すなわち、データスケジューリングが第1の時間領域リソース長において実行されないこと、及びデータスケジューリングが第2の時間領域リソース長の後に実行できることのうちいずれか1つを示すために使用される、請求項１０１乃至１１３のうちいずれか１項に記載の端末デバイス。
【請求項１１５】
前記第1のタイプの信号は、以下のもの、すなわち、DCI、系列及び参照信号のうちいずれか1つであるか、或いは、前記第2のタイプの信号は、DCIである、請求項１０１乃至１１４のうちいずれか１項に記載の端末デバイス。
【請求項１１６】
ネットワークデバイスであって、
ダウンリンク信号を生成するように構成された生成ユニットであり、前記ダウンリンク信号は、端末デバイスにより監視されるべき第1のタイプの信号又は第2のタイプの信号を含み、前記第1のタイプの信号は電力消費低減情報を示すために使用される信号であり、前記第2のタイプの信号はデータスケジューリングを示すために使用される信号である、生成ユニットと、
前記ダウンリンク信号を送信するように構成された送信ユニットと
を含み、
前記送信ユニットは、同じ時間間隔内に前記第1のタイプの信号及び前記第2のタイプの信号のうち1つのみを送信する、ネットワークデバイス。
【請求項１１７】
前記ダウンリンク信号は第1の信号を含み、前記第1の信号は前記第1のタイプの信号であり、前記第1の信号は、時間領域リソース内で、前記端末デバイスにより監視されるべき次の信号の位置を決定するために使用され、前記端末デバイスにより監視されるべき前記次の信号は前記第1のタイプの信号又は前記第2のタイプの信号である、請求項１１６に記載のネットワークデバイス。
【請求項１１８】
前記送信ユニットは、第1の指示情報を送信し、前記第1の指示情報は、前記時間領域リソース内の第1の位置がアップリンク位置であることを示し、前記第1の位置は、前記第1の信号に基づいて決定された、前記端末デバイスにより監視されるべき前記次の信号の前記位置であり、前記端末デバイスにより監視されるべき前記次の信号は前記第1のタイプの信号であり、前記時間領域リソース内の第2の位置において前記第1のタイプの信号を送信し、前記第2の位置は前記第1の位置の後に位置する、ように更に構成される、請求項１１７に記載のネットワークデバイス。
【請求項１１９】
前記送信ユニットは、前記第1のタイプの信号を周期的に送信するように具体的に構成される、請求項１１６に記載のネットワークデバイス。
【請求項１２０】
前記送信ユニットは、第1の指示情報を送信し、前記第1の指示情報は、前記時間領域リソース内の第1の位置がアップリンク位置であることを示し、前記第1の位置は前記第1のタイプの信号を周期的に送信するための位置であり、前記時間領域リソース内の第2の位置において前記第1のタイプのデータを送信し、前記第2の位置は前記第1の位置と前記第1のタイプの信号を周期的に送信するための次の位置との間に位置する、ように更に構成される、請求項１１９に記載のネットワークデバイス。
【請求項１２１】
前記ダウンリンク信号を送信する前に、前記送信ユニットは、前記第2のタイプの信号を送信し、予め設定された第3の時間領域リソース長の後に前記第1のタイプの信号を送信し始めるように更に構成される、請求項１１６乃至１２０のうちいずれか１項に記載のネットワークデバイス。
【請求項１２２】
前記ダウンリンク信号を送信する前に、前記送信ユニットは、第2の指示情報を送信するように更に構成され、前記第2の指示情報は、前記第1のタイプの信号を監視し始めるように前記端末デバイスに指示する、請求項１１６乃至１２０のうちいずれか１項に記載のネットワークデバイス。
【請求項１２３】
端末デバイスであって、
第1の指示情報を受信するように構成された受信ユニットであり、前記第1の指示情報は、時間領域リソース内の第1の位置がアップリンク位置であることを示し、前記第1の位置は第1のタイプの信号を監視するための所定の位置であり、前記第1のタイプの信号は電力消費低減情報を示すために使用される信号である、受信ユニットと、
前記時間領域リソース内の少なくとも1つの第2の位置において前記第1のタイプのデータを監視するように構成された監視ユニットであり、前記少なくとも1つの第2の位置は前記第1の位置の後に位置する、監視ユニットと
を含む端末デバイス。
【請求項１２４】
前記第1の位置は前記第1のタイプの信号を周期的に監視するための位置であり、前記少なくとも1つの第2の位置は前記第1の位置と前記第1のタイプの信号を周期的に監視するための次の位置との間に位置する、請求項１２３に記載の端末デバイス。
【請求項１２５】
前記監視ユニットは、第1の信号を検出し、前記第1の信号は前記第1のタイプの信号であり、前記第1の信号に基づいて、次の監視対象の第1のタイプの信号の位置が前記第1の位置であると決定する、ように更に構成される、請求項１２３に記載の端末デバイス。
【請求項１２６】
ネットワークデバイスであって、
第1の指示情報を送信するように構成された第1の送信ユニットであり、前記第1の指示情報は、時間領域リソース内の第1の位置がアップリンク位置であることを示し、前記第1の位置は端末デバイスにより監視されるべき第1のタイプの信号の所定の位置であり、前記第1のタイプの信号は電力消費低減情報を示すために使用される信号である、第1の送信ユニットと、
前記時間領域リソース内の第2の位置において前記第1のタイプの信号を送信するように構成された第2の送信ユニットであり、前記第2の位置は前記第1の位置の後に位置する、第2の送信ユニットと
を含むネットワークデバイス。
【請求項１２７】
前記第1の位置は前記第1のタイプの信号を周期的に送信するための位置であり、前記少なくとも1つの第2の位置は前記第1の位置と前記第1のタイプの信号を周期的に送信するための次の位置との間に位置する、請求項１２６に記載のネットワークデバイス。
【請求項１２８】
前記ダウンリンク信号は第1の信号を含み、前記第1の信号は前記第1のタイプの信号であり、前記第1の信号は、前記時間領域リソース内で、前記端末デバイスにより監視されるべき次の信号の位置が前記第1の位置であると決定するために使用される、請求項１２６に記載のネットワークデバイス。
【請求項１２９】
端末デバイスであって、
第1の指示情報を受信するように構成された受信ユニットであり、前記第1の指示情報は、時間領域リソース内の第1の位置がアップリンク位置であることを示し、前記第1の位置は第1のタイプの信号を周期的に監視するための位置であり、前記第1のタイプの信号は電力消費低減情報を示すために使用される信号である、受信ユニットと、
前記第1の位置と前記第1のタイプの信号を周期的に監視するための次の位置との間の位置において前記第1のタイプの信号を監視しないと決定するように構成された監視ユニットと
を含む端末デバイス。
【請求項１３０】
ネットワークデバイスであって、
第1の指示情報を送信するように構成された送信ユニットであり、前記第1の指示情報は、時間領域リソース内の第1の位置がアップリンク位置であることを示し、前記第1の位置は第1のタイプの信号を周期的に送信するための位置であり、前記第1のタイプの信号は電力消費低減情報を示すために使用される信号である、送信ユニットと、
前記第1の位置と前記第1のタイプの信号を周期的に送信するための次の位置との間の位置において前記第1のタイプの信号を送信しないと決定するように構成された処理ユニットと
を含むネットワークデバイス。
【請求項１３１】
端末デバイスであって、
ダウンリンク信号内の第1のタイプの信号を監視するように構成された監視ユニットであり、前記第1のタイプの信号は電力消費低減情報を示すために使用される信号である、監視ユニットと、
前記第1のタイプの信号が時間領域リソース内の第1の位置において検出されないと決定するように構成された処理ユニットであり、前記第1の位置は前記第1のタイプの信号を監視するための所定の位置である、処理ユニットと
を含み、
前記監視ユニットは、前記時間領域リソース内の第3の位置から第2のタイプの信号を監視し始め、前記第2のタイプの信号はデータスケジューリングを示すために使用される信号であり、前記第3の位置は前記第1の位置の後に位置する、端末デバイス。
【請求項１３２】
前記第1の位置は前記第1のタイプの信号を周期的に監視するための位置である、請求項１３１に記載の端末デバイス。
【請求項１３３】
前記監視ユニットは、前記ダウンリンク信号内の第1の信号を検出するように具体的に構成され、前記第1の信号は前記第1のタイプの信号であり、前記処理ユニットは、前記第1の信号に基づいて、次の監視対象の第1のタイプの信号の位置が前記第1の位置であると決定するように更に構成される、請求項１３１に記載の端末デバイス。
【請求項１３４】
端末デバイスであって、
第2のタイプの信号が予め設定された第3の時間領域リソース長において検出されるか否かを決定するように構成された処理ユニットであり、前記第2のタイプの信号はデータスケジューリングを示すために使用される信号である、処理ユニットと、
前記第2のタイプの信号が前記予め設定された第3の時間領域リソース長において検出されないとき、第1のタイプの信号を監視し始めるように構成された監視ユニットであり、前記第1のタイプの信号は電力消費低減情報を示すために使用される信号である、監視ユニットと
を含む端末デバイス。
【請求項１３５】
前記監視ユニットは、前記第2のタイプの信号を監視するときに前記第1のタイプの信号を監視しない、請求項１３４に記載の端末デバイス。
【請求項１３６】
ネットワークデバイスであって、
第2のタイプの信号を送信するように構成された第1の送信ユニットであり、前記第2のタイプの信号はデータスケジューリングを示すために使用される信号である、第1の送信ユニットと、
予め設定された第3の時間領域リソース長の後に第1のタイプの信号を送信し始めるように構成された第2の送信ユニットであり、前記第1のタイプの信号は電力消費低減情報を示すために使用される信号である、第2の送信ユニットと
を含むネットワークデバイス。
【請求項１３７】
前記ネットワークデバイスは、同じ時間間隔内に前記第1のタイプの信号及び前記第2のタイプの信号のうち1つのみを送信する、請求項１３６に記載のネットワークデバイス。
【請求項１３８】
端末デバイスであって、
ネットワークデバイスから第2の指示情報を受信するように構成された受信ユニットであり、前記第2の指示情報は、第1のタイプの信号を監視し始めるように前記端末デバイスに指示し、前記第1のタイプの信号は電力消費低減情報を示すために使用される信号である、受信ユニットと、
前記第2の指示情報が受信された後に前記第1のタイプの信号を監視し始めるように構成された監視ユニットと
を含み、
前記監視ユニットは、前記第1のタイプの信号を監視するときに第2のタイプの信号を監視せず、前記第2のタイプの信号はデータスケジューリングを示すために使用される信号である、端末デバイス。
【請求項１３９】
前記第2の指示情報は、以下のもの、すなわち、RRCシグナリング、MAC  CE及びDCIのうちいずれか1つで搬送される、請求項１３８に記載の端末デバイス。
【請求項１４０】
ネットワークデバイスであって、
第2の指示情報を送信するように構成された第1の送信ユニットであり、前記第2の指示情報は第1のタイプの信号を監視し始めるように端末デバイスに指示し、前記第1のタイプの信号は電力消費低減情報を示すために使用される信号である、第1の送信ユニットと、
前記第2の指示情報が送信された後に前記第1のタイプの信号を送信し始めるように構成された第2の送信ユニットと
を含み、
前記第2の送信ユニットは、同じ時間間隔内に前記第1のタイプの信号及び前記第2のタイプの信号のうち1つのみを送信する、ネットワークデバイス。
【請求項１４１】
前記第2の指示情報は、以下のもの、すなわち、RRCシグナリング、MAC  CE及びDCIのうちいずれか1つで搬送される、請求項１４０に記載のネットワークデバイス。
【請求項１４２】
端末デバイスであって、
ダウンリンク信号内の第2の信号を検出するように構成された監視ユニットであり、前記第2の信号は第1のタイプの信号であり、前記第1のタイプの信号は電力消費低減情報を示すために使用される信号である、監視ユニットと、
前記第2の信号及び前記第1のタイプの信号と電力消費低減情報の意味との間のマッピング関係に基づいて、前記第2の信号により示される電力消費低減情報の意味を決定するように構成された処理ユニットと
を含む端末デバイス。
【請求項１４３】
前記マッピング関係は予め定義される、請求項１４２に記載の端末デバイス。
【請求項１４４】
当該端末デバイスは、第3の指示情報を受信するように構成された受信ユニットであり、前記第3の指示情報は前記マッピング関係を示すために使用される、受信ユニットを更に含む、請求項１４２に記載の端末デバイス。
【請求項１４５】
前記第3の指示情報はRRCシグナリングで搬送される、請求項１４２乃至１４４のうちいずれか１項に記載の端末デバイス。
【請求項１４６】
前記第1のタイプの信号は、以下のもの、すなわち、ダウンリンク制御情報DCI、系列及び参照信号のうちいずれか1つである、請求項１４２乃至１４５のうちいずれか１項に記載の端末デバイス。
【請求項１４７】
前記電力消費低減情報の前記意味は、以下のこと、すなわち、データスケジューリングが第1の時間領域リソース長において実行されないこと、及びデータスケジューリングが第2の時間領域リソース長の後に実行できることのうち少なくとも1つを含む、請求項１４２乃至１４６のうちいずれか１項に記載の端末デバイス。
【請求項１４８】
前記第1の時間領域リソース長又は前記第2の時間領域リソース長は、以下のもの、すなわち、1つ以上のスロット、1つ以上のサブフレーム、1つ以上のミリ秒及び1つ以上のDRXサイクルのうちいずれか1つである、請求項１４２乃至１４７のうちいずれか１項に記載の端末デバイス。
【請求項１４９】
ネットワークデバイスであって、
第3の指示情報を送信するように構成された第1の送信ユニットであり、前記第3の指示情報は第1のタイプの信号と電力消費低減情報の意味との間のマッピング関係を示すために使用され、前記第1のタイプの信号は電力消費低減情報を示すために使用される信号である、第1の送信ユニットと、
第2の信号を送信するように構成された第2の送信ユニットであり、前記第2の信号は前記第1のタイプの信号である、第2の送信ユニットと
を含むネットワークデバイス。
【請求項１５０】
前記第1のタイプの信号は、以下のもの、すなわち、DCI、系列及び参照信号のうちいずれか1つである、請求項１４９に記載のネットワークデバイス。
【請求項１５１】
前記電力消費低減情報の前記意味は、以下のこと、すなわち、データスケジューリングが第1の時間領域リソース長において実行されないこと、及びデータスケジューリングが第2の時間領域リソース長の後に実行できることのうち少なくとも1つを含む、請求項１４９又は１５０に記載のネットワークデバイス。
【請求項１５２】
前記第1の時間領域リソース長又は前記第2の時間領域リソース長は、以下のもの、すなわち、1つ以上のスロット、1つ以上のサブフレーム、1つ以上のミリ秒及び1つ以上のDRXサイクルのうちいずれか1つである、請求項１４９乃至１５１のうちいずれか１項に記載のネットワークデバイス。
【発明の詳細な説明】
【技術分野】
【０００１】
この出願は、通信分野に関し、特に、信号監視方法及び装置に関する。
【背景技術】
【０００２】
通信システムにおいて、端末デバイスは、端末デバイスに送信される制御情報を取得するためにダウンリンク信号を監視する必要がある。例えば、制御情報はダウンリンク制御情報(downlink  control  information,  DCI)でもよい。端末デバイスは、ブラインド検出において異なるDCIフォーマットを使用することにより信号を復号する必要があり、ブラインド検出において使用される必要があるより多くのDCIフォーマットは、端末デバイスのより高い電力消費を示す。技術の進展によって、端末デバイスにより監視される必要がある信号の数がより大きくなる。その結果、端末デバイスの信号監視の複雑さ及び電力消費も増加する。
【発明の概要】
【０００３】
この出願は、端末デバイスの電力消費を低減するための信号監視方法、装置及びシステムを提供する。
【０００４】
第1の態様によれば、信号監視方法が提供され、端末デバイスにより、ダウンリンク信号を受信するステップと、端末デバイスにより、ダウンリンク信号内の第1のタイプの信号を監視するステップであり、第1のタイプの信号は電力消費低減情報を示すために使用される信号であり、端末デバイスは第1のタイプの信号を監視するときに第2のタイプの信号を監視せず、第2のタイプの信号はデータスケジューリングを示すために使用される信号である、ステップとを含む。
【０００５】
この出願のこの実施形態では、ネットワークデバイスは、第1のタイプの信号を送信するときに第2のタイプの信号を送信しない。したがって、端末デバイスは、第1のタイプの信号及び第2のタイプの信号を同時に監視する必要はない。この監視方式では、端末デバイスにより同時に監視される信号のタイプが低減でき、それにより、端末デバイスの電力消費を低減する。
【０００６】
第1の態様を参照して、第1の態様の第1の実現方式では、端末デバイスにより、ダウンリンク信号内の第1のタイプの信号を監視するステップは、端末デバイスにより、第1の信号を検出するステップであり、第1の信号は第1のタイプの信号である、ステップを含み、当該方法は、端末デバイスにより、第1の信号に基づいて、時間領域リソース内の次の監視対象の信号の位置を決定するステップであり、次の監視対象の信号は第1のタイプの信号又は第2のタイプの信号である、ステップを更に含む。
【０００７】
第1の態様の第1の実現方式を参照して、第1の態様の第2の実現方式では、第1の信号は、データスケジューリングが第1の時間領域リソース長において実行されないことを示し、端末デバイスにより、第1の信号に基づいて、時間領域リソース内の次の監視対象の信号の位置を決定するステップは、端末デバイスにより、時間領域リソース内の第1の時間領域リソース長の後の位置から第1のタイプの信号を監視し始めるステップを含む。
【０００８】
第1の態様の第1の実現方式を参照して、第1の態様の第3の実現方式では、第1の信号は、データスケジューリングが第2の時間領域リソース長の後に実行できることを示し、端末デバイスにより、第1の信号に基づいて、時間領域リソース内の次の監視対象の信号の位置を決定するステップは、端末デバイスにより、時間領域リソース内の第2の時間領域リソース長の後の位置から第2のタイプの信号を監視し始めるステップを含む。
【０００９】
第1の態様の第1の実現方式を参照して、第1の態様の第4の実現方式では、当該方法は、端末デバイスにより、第1の指示情報を受信するステップであり、第1の指示情報は、時間領域リソース内の第1の位置がアップリンク位置であることを示し、第1の位置は、第1の信号に基づいて決定された次の監視対象の信号の位置であり、次の監視対象の信号は第1のタイプの信号である、ステップと、端末デバイスにより、時間領域リソース内の少なくとも1つの第2の位置において第1のタイプのデータを監視するステップであり、少なくとも1つの第2の位置は第1の位置の後に位置する、ステップとを更に含む。
【００１０】
この出願のこの実施形態では、第1のタイプの信号を監視するための位置がスロット構造又はアップリンク・ダウンリンク構成と競合するとき、端末デバイスは、時間領域リソース内の第1の位置の後の位置において第1のタイプのデータを監視してもよく、それにより、競合シナリオにおける解決策を提供し、それにより、監視効率を改善する。
【００１１】
第1の態様の第1の実現方式を参照して、第1の態様の第5の実現方式では、端末デバイスにより、ダウンリンク信号内の第1のタイプの信号を監視するステップは、端末デバイスにより、第1のタイプの信号が時間領域リソース内の第1の位置において検出されないと決定するステップであり、第1の位置は第1の信号に基づいて決定された次の監視対象の信号の位置であり、次の監視対象の信号は第1のタイプの信号である、ステップを含み、当該方法は、端末デバイスにより、時間領域リソース内の第3の位置から第2のタイプの信号を監視し始めるステップであり、第3の位置は第1の位置の後に位置する、ステップを更に含む。
【００１２】
この出願のこの実施形態では、端末デバイスが所定の位置において第1のタイプの信号を検出しないとき、端末デバイスは、第1の位置の後に第2のタイプの信号を直ちに監視してもよく、それにより、信号の見逃し検出を回避し、それにより、通信効率を改善する。
【００１３】
第1の態様を参照して、第1の態様の第6の実現方式では、端末デバイスにより、ダウンリンク信号内の第1のタイプの信号を監視するステップは、端末デバイスにより、第1のタイプの信号を周期的に監視するステップを含む。
【００１４】
第1の態様の第6の実現方式を参照して、第1の態様の第7の実現方式では、当該方法は、端末デバイスにより、第1の指示情報を受信するステップであり、第1の指示情報は、時間領域リソース内の第1の位置がアップリンク位置であることを示し、第1の位置は第1のタイプの信号を周期的に監視するための位置である、ステップと、端末デバイスにより、第1の位置と第1のタイプの信号を周期的に監視するための次の位置との間の位置において第1のタイプの信号を監視しないと決定するステップとを更に含む。
【００１５】
第1の態様の第6の実現方式を参照して、第1の態様の第8の実現方式では、当該方法は、端末デバイスにより、第1の指示情報を受信するステップであり、第1の指示情報は、時間領域リソース内の第1の位置がアップリンク位置であることを示す、ステップと、端末デバイスにより、時間領域リソース内の少なくとも1つの第2の位置において第1のタイプのデータを監視するステップであり、第1の位置は第1のタイプの信号を周期的に監視するための位置であり、少なくとも1つの第2の位置は第1の位置の後に位置する、ステップとを更に含む。
【００１６】
第1の態様の第6の実現方式を参照して、第1の態様の第9の実現方式では、端末デバイスにより、ダウンリンク信号内の第1のタイプの信号を監視するステップは、端末デバイスにより、第1のタイプの信号が時間領域リソース内の第1の位置において検出されないと決定するステップであり、第1の位置は第1のタイプの信号を周期的に監視するための位置である、ステップを含み、当該方法は、端末デバイスにより、時間領域リソース内の第3の位置から第2のタイプの信号を監視し始めるステップであり、第3の位置は第1の位置の後に位置する、ステップを更に含む。
【００１７】
第1の態様又は第1の態様の上記の実現方式のうちいずれか1つを参照して、第1の態様の第10の実現方式では、端末デバイスにより、ダウンリンク信号内の第1のタイプの信号を監視する前に、当該方法は、端末デバイスにより、第2のタイプの信号が予め設定された第3の時間領域リソース長において検出されるか否かを決定するステップと、端末デバイスにより、第2のタイプの信号が予め設定された第3の時間領域リソース長において検出されないときに第1のタイプの信号を監視し始めるステップとを更に含む。
【００１８】
この出願のこの実施形態では、ネットワークデバイスが、予め設定された第3の時間領域リソース長において第2のタイプの信号を送信しないとき、これは、ネットワークデバイスが第1のタイプの信号を送信すべきであることを示す。したがって、端末デバイスは、第3の時間領域リソース長の後に第1のタイプの信号を監視してもよく、ネットワークデバイスは、第1のタイプの信号を監視し始めることを示す指示情報を更に送信する必要はなく、それにより、シグナリングオーバヘッドを低減する。
【００１９】
第1の態様又は第1の態様の上記の実現方式のうちいずれか1つを参照して、第1の態様の第11の実現方式では、端末デバイスにより、ダウンリンク信号内の第1のタイプの信号を監視する前に、当該方法は、端末デバイスにより、第2の指示情報を受信するステップであり、第2の指示情報は、第1のタイプの信号を監視し始めるように端末デバイスに指示する、ステップと、端末デバイスにより、第2の指示情報を受信した後に、第1のタイプの信号を監視し始めるステップとを更に含む。
【００２０】
第1の態様の第11の実現方式を参照して、第1の態様の第12の実現方式では、第2の指示情報は、以下のもの、すなわち、RRCシグナリング、MAC  CE及びDCIのうちいずれか1つで搬送される。
【００２１】
第1の態様又は第1の態様の上記の実現方式を参照して、第1の態様の第13の実現方式では、第1のタイプの信号は、以下のこと、すなわち、データスケジューリングが第1の時間領域リソース長において実行されないこと、及びデータスケジューリングが第2の時間領域リソース長の後に実行できることのうちいずれか1つを示すために使用される。
【００２２】
第1の態様又は第1の態様の上記の実現方式を参照して、第1の態様の第14の実現方式では、第1のタイプの信号は、以下のもの、すなわち、DCI、系列及び参照信号のうちいずれか1つであるか、或いは、第2のタイプの信号は、DCIである。
【００２３】
第2の態様によれば、信号送信方法が提供され、ネットワークデバイスにより、ダウンリンク信号を生成するステップであり、ダウンリンク信号は、端末デバイスにより監視されるべき第1のタイプの信号又は第2のタイプの信号を含み、ネットワークデバイスは、同じ時間間隔内に第1のタイプの信号及び第2のタイプの信号のうち1つのみを送信し、第1のタイプの信号は電力消費低減情報を示すために使用される信号であり、第2のタイプの信号はデータスケジューリングを示すために使用される信号である、ステップと、ネットワークデバイスにより、ダウンリンク信号を送信するステップとを含む。
【００２４】
第2の態様を参照して、第2の態様の第1の可能な実現方式では、ダウンリンク信号は第1の信号を含み、第1の信号は第1のタイプの信号であり、第1の信号は、時間領域リソース内で、端末デバイスにより監視されるべき次の信号の位置を決定するために使用され、端末デバイスにより監視されるべき次の信号は第1のタイプの信号又は第2のタイプの信号である。
【００２５】
第2の態様の第1の可能な実現方式を参照して、第2の態様の第2の可能な実現方式では、当該方法は、ネットワークデバイスにより、第1の指示情報を送信するステップであり、第1の指示情報は、時間領域リソース内の第1の位置がアップリンク位置であることを示し、第1の位置は、第1の信号に基づいて決定された、端末デバイスにより監視されるべき次の信号の位置であり、端末デバイスにより監視されるべき次の信号は第1のタイプの信号である、ステップと、ネットワークデバイスにより、時間領域リソース内の第2の位置において第1のタイプの信号を送信するステップであり、第2の位置は第1の位置の後に位置する、ステップとを更に含む。
【００２６】
第2の態様を参照して、第2の態様の第3の可能な実現方式では、ネットワークデバイスにより、ダウンリンク信号を送信するステップは、ネットワークデバイスにより、第1のタイプの信号を周期的に送信するステップを含む。
【００２７】
第2の態様の第3の可能な実現方式を参照して、第2の態様の第4の可能な実現方式では、当該方法は、ネットワークデバイスにより、第1の指示情報を送信するステップであり、第1の指示情報は、時間領域リソース内の第1の位置がアップリンク位置であることを示し、第1の位置は第1のタイプの信号を周期的に送信するための位置である、ステップと、ネットワークデバイスにより、時間領域リソース内の第2の位置において第1のタイプのデータを送信するステップであり、第2の位置は第1の位置と第1のタイプの信号を周期的に送信するための次の位置との間に位置するステップとを更に含む。
【００２８】
第2の態様又は第2の態様の上記の実現方式のうちいずれか1つを参照して、第2の態様の第5の可能な実現方式では、ネットワークデバイスにより、ダウンリンク信号を送信する前に、当該方法は、ネットワークデバイスにより、第2のタイプの信号を送信するステップと、ネットワークデバイスにより、予め設定された第3の時間領域リソース長の後に第1のタイプの信号を送信し始めるステップとを更に含む。
【００２９】
第2の態様又は第2の態様の第1〜第4の可能な実現方式のうちいずれか1つを参照して、第2の態様の第6の可能な実現方式では、ネットワークデバイスにより、ダウンリンク信号を送信する前に、当該方法は、ネットワークデバイスにより、第2の指示情報を送信するステップであり、第2の指示情報は、第1のタイプの信号を監視し始めるように端末デバイスに指示する、ステップを更に含む。
【００３０】
第3の態様によれば、信号監視方法が提供され、端末デバイスにより、第1の指示情報を受信するステップであり、第1の指示情報は、時間領域リソース内の第1の位置がアップリンク位置であることを示し、第1の位置は第1のタイプの信号を監視するための所定の位置であり、第1のタイプの信号は電力消費低減情報を示すために使用される信号である、ステップと、端末デバイスにより、時間領域リソース内の少なくとも1つの第2の位置において第1のタイプのデータを監視するステップであり、少なくとも1つの第2の位置は第1の位置の後に位置する、ステップとを含む。
【００３１】
第3の態様を参照して、第3の態様の第1の可能な実現方式では、第1の位置は第1のタイプの信号を周期的に監視するための位置であり、少なくとも1つの第2の位置は第1の位置と第1のタイプの信号を周期的に監視するための次の位置との間に位置する。
【００３２】
第3の態様を参照して、第3の態様の第2の可能な実現方式では、当該方法は、端末デバイスにより、第1の信号を検出するステップであり、第1の信号は第1のタイプの信号である、ステップと、端末デバイスにより、第1の信号に基づいて、次の監視対象の第1のタイプの信号の位置が第1の位置であると決定するステップとを更に含む。
【００３３】
第4の態様によれば、信号送信方法が提供され、ネットワークデバイスにより、第1の指示情報を送信するステップであり、第1の指示情報は、時間領域リソース内の第1の位置がアップリンク位置であることを示し、第1の位置は端末デバイスにより監視されるべき第1のタイプの信号の所定の位置であり、第1のタイプの信号は電力消費低減情報を示すために使用される信号である、ステップと、ネットワークデバイスにより、時間領域リソース内の第2の位置において第1のタイプの信号を送信するステップであり、第2の位置は第1の位置の後に位置する、ステップとを含む。
【００３４】
第4の態様を参照して、第4の態様の第1の可能な実現方式では、第1の位置は第1のタイプの信号を周期的に送信するための位置であり、少なくとも1つの第2の位置は第1の位置と第1のタイプの信号を周期的に送信するための次の位置との間に位置する。
【００３５】
第4の態様を参照して、第4の態様の第2の可能な実現方式では、当該方法は、ダウンリンク信号が第1の信号を含み、第1の信号が第1のタイプの信号であり、第1の信号が、時間領域リソース内で、端末デバイスにより監視されるべき次の信号の位置が第1の位置であると決定するために使用されることを更に含む。
【００３６】
第5の態様によれば、信号監視方法が提供され、端末デバイスにより、第1の指示情報を受信するステップであり、第1の指示情報は、時間領域リソース内の第1の位置がアップリンク位置であることを示し、第1の位置は第1のタイプの信号を周期的に監視するための位置であり、第1のタイプの信号は電力消費低減情報を示すために使用される信号である、ステップと、端末デバイスにより、第1の位置と第1のタイプの信号を周期的に監視するための次の位置との間の位置において第1のタイプの信号を監視しないと決定するステップとを含む。
【００３７】
第6の態様によれば、信号送信方法が提供され、ネットワークデバイスにより、第1の指示情報を送信するステップであり、第1の指示情報は、時間領域リソース内の第1の位置がアップリンク位置であることを示し、第1の位置は第1のタイプの信号を周期的に送信するための位置であり、第1のタイプの信号は電力消費低減情報を示すために使用される信号である、ステップと、ネットワークデバイスにより、第1の位置と第1のタイプの信号を周期的に送信するための次の位置との間の位置において第1のタイプの信号を送信しないと決定するステップとを含む。
【００３８】
第7の態様によれば、信号監視方法が提供され、端末デバイスにより、ダウンリンク信号内の第1のタイプの信号を監視するステップであり、第1のタイプの信号は電力消費低減情報を示すために使用される信号である、ステップと、端末デバイスにより、第1のタイプの信号が時間領域リソース内の第1の位置において検出されないと決定するステップであり、第1の位置は第1のタイプの信号を監視するための所定の位置である、ステップと、端末デバイスにより、時間領域リソース内の第3の位置から第2のタイプの信号を監視し始めるステップであり、第2のタイプの信号はデータスケジューリングを示すために使用される信号であり、第3の位置は第1の位置の後に位置する、ステップとを含む。
【００３９】
第7の態様を参照して、第7の態様の第1の可能な実現方式では、第1の位置は第1のタイプの信号を周期的に監視するための位置である。
【００４０】
第7の態様を参照して、第7の態様の第1の可能な実現方式では、端末デバイスにより、ダウンリンク信号内の第1のタイプの信号を監視するステップは、端末デバイスにより、ダウンリンク信号内の第1の信号を検出するステップであり、第1の信号は第1のタイプの信号である、ステップを含み、当該方法は、端末デバイスにより、第1の信号に基づいて、次の監視対象の第1のタイプの信号の位置が第1の位置であると決定するステップを更に含む。
【００４１】
第8の態様によれば、信号監視方法が提供され、端末デバイスにより、第2のタイプの信号が予め設定された第3の時間領域リソース長において検出されるか否かを決定するステップであり、第2のタイプの信号はデータスケジューリングを示すために使用される信号である、ステップと、端末デバイスにより、第2のタイプの信号が予め設定された第3の時間領域リソース長において検出されないとき、第1のタイプの信号を監視し始めるステップであり、第1のタイプの信号は電力消費低減情報を示すために使用される信号である、ステップとを含む。
【００４２】
第8の態様を参照して、第8の態様の第1の可能な実現方式では、端末デバイスは、第2のタイプの信号を監視するときに第1のタイプの信号を監視しない。
【００４３】
第9の態様によれば、信号送信方法が提供され、ネットワークデバイスにより、第2のタイプの信号を送信するステップであり、第2のタイプの信号はデータスケジューリングを示すために使用される信号である、ステップと、ネットワークデバイスにより、予め設定された第3の時間領域リソース長の後に第1のタイプの信号を送信し始めるステップであり、第1のタイプの信号は電力消費低減情報を示すために使用される信号である、ステップとを含む。
【００４４】
第9の態様を参照して、第9の態様の第1の可能な実現方式では、ネットワークデバイスは、同じ時間間隔内に第1のタイプの信号及び第2のタイプの信号のうち1つのみを送信する。
【００４５】
第10の態様によれば、信号監視方法が提供され、端末デバイスにより、ネットワークデバイスから第2の指示情報を受信するステップであり、第2の指示情報は、第1のタイプの信号を監視し始めるように端末デバイスに指示し、第1のタイプの信号は電力消費低減情報を示すために使用される信号である、ステップと、端末デバイスにより、第2の指示情報を受信した後に第1のタイプの信号を監視し始めるステップであり、端末デバイスは、第1のタイプの信号を監視するときに第2のタイプの信号を監視せず、第2のタイプの信号はデータスケジューリングを示すために使用される信号である、ステップとを含む。
【００４６】
第10の態様を参照して、第10の態様の第1の可能な実現方式では、第2の指示情報は、以下のもの、すなわち、RRCシグナリング、MAC  CE及びDCIのうちいずれか1つで搬送される。
【００４７】
第11の態様によれば、信号送信方法が提供され、ネットワークデバイスにより、第2の指示情報を送信するステップであり、第2の指示情報は第1のタイプの信号を監視し始めるように端末デバイスに指示し、第1のタイプの信号は電力消費低減情報を示すために使用される信号である、ステップと、ネットワークデバイスにより、第2の指示情報を送信した後に第1のタイプの信号を送信し始めるステップであり、ネットワークデバイスは、同じ時間間隔内に第1のタイプの信号及び第2のタイプの信号のうち1つのみを送信する、ステップとを含む。
【００４８】
第11の態様を参照して、第11の態様の第1の可能な実現方式では、第2の指示情報は、以下のもの、すなわち、RRCシグナリング、MAC  CE及びDCIのうちいずれか1つで搬送される。
【００４９】
第12の態様によれば、信号監視方法が提供され、端末デバイスにより、ダウンリンク信号内の第2の信号を検出するステップであり、第2の信号は第1のタイプの信号であり、第1のタイプの信号は電力消費低減情報を示すために使用される信号である、ステップと、端末デバイスにより、第2の信号及び第1のタイプの信号と電力消費低減情報の意味との間のマッピング関係に基づいて、第2の信号により示される電力消費低減情報の意味を決定するステップとを含む。
【００５０】
第12の態様を参照して、第12の態様の第1の可能な実現方式では、マッピング関係は予め定義される。
【００５１】
第12の態様を参照して、第12の態様の第2の可能な実現方式では、当該方法は、端末デバイスにより、第3の指示情報を受信するステップであり、第3の指示情報はマッピング関係を示すために使用される、ステップを更に含む。
【００５２】
第12の態様又は第12の態様の上記の可能な実現方式のうちいずれか1つを参照して、第12の態様の第3の可能な実現方式では、第3の指示情報はRRCシグナリングで搬送される。
【００５３】
第12の態様又は第12の態様の上記の可能な実現方式のうちいずれか1つを参照して、第1のタイプの信号は、以下のもの、すなわち、ダウンリンク制御情報DCI、系列及び参照信号のうちいずれか1つである。
【００５４】
第12の態様又は第12の態様の上記の可能な実現方式のうちいずれか1つを参照して、電力消費低減情報の意味は、以下のこと、すなわち、データスケジューリングが第1の時間領域リソース長において実行されないこと、及びデータスケジューリングが第2の時間領域リソース長の後に実行できることのうち少なくとも1つを含む。
【００５５】
第12の態様又は第12の態様の上記の可能な実現方式のうちいずれか1つを参照して、第1の時間領域リソース長又は第2の時間領域リソース長は、以下のもの、すなわち、1つ以上のスロット、1つ以上のサブフレーム、1つ以上のミリ秒及び1つ以上のDRXサイクルのうちいずれか1つである。
【００５６】
第13の態様によれば、信号送信方法が提供され、ネットワークデバイスにより、第3の指示情報を送信するステップであり、第3の指示情報は第1のタイプの信号と電力消費低減情報の意味との間のマッピング関係を示すために使用され、第1のタイプの信号は電力消費低減情報を示すために使用される信号である、ステップと、ネットワークデバイスにより、第2の信号を送信するステップであり、第2の信号は第1のタイプの信号である、ステップとを含む。
【００５７】
第13の態様を参照して、第13の態様の第1の可能な実現方式では、第3の指示情報はRRCシグナリングで搬送される。
【００５８】
第13の態様又は第13の態様の第1の可能な実現方式を参照して、第13の態様の第2の可能な実現方式では、第1のタイプの信号は、以下のもの、すなわち、DCI、系列及び参照信号のうちいずれか1つである。
【００５９】
第13の態様又は第13の態様の上記の可能な実現方式のうちいずれか1つを参照して、第13の態様の第3の可能な実現方式では、電力消費低減情報の意味は、以下のこと、すなわち、データスケジューリングが第1の時間領域リソース長において実行されないこと、及びデータスケジューリングが第2の時間領域リソース長の後に実行できることのうち少なくとも1つを含む。
【００６０】
第13の態様又は第13の態様の上記の可能な実現方式のうちいずれか1つを参照して、第13の態様の第4の可能な実現方式では、第1の時間領域リソース長又は第2の時間領域リソース長は、以下のもの、すなわち、1つ以上のスロット、1つ以上のサブフレーム、1つ以上のミリ秒及び1つ以上のDRXサイクルのうちいずれか1つである。
【００６１】
第14の態様によれば、端末デバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、通信インタフェースを使用することにより、ダウンリンク信号を受信するステップと、ダウンリンク信号内の第1のタイプの信号を監視するステップであり、第1のタイプの信号は電力消費低減情報を示すために使用される信号であり、端末デバイスは第1のタイプの信号を監視するときに第2のタイプの信号を監視せず、第2のタイプの信号はデータスケジューリングを示すために使用される信号である、ステップとを実行するように構成されたプロセッサとを含む。
【００６２】
第14の態様を参照して、第14の態様の第1の実現方式では、プロセッサは、第1の信号を検出するように具体的に構成され、第1の信号は第1のタイプの信号であり、プロセッサは、第1の信号に基づいて、時間領域リソース内の次の監視対象の信号の位置を決定するように更に構成され、次の監視対象の信号は第1のタイプの信号又は第2のタイプの信号である。
【００６３】
第14の態様の第1の実現方式を参照して、第14の態様の第2の実現方式では、第1の信号は、データスケジューリングが第1の時間領域リソース長において実行されないことを示し、プロセッサは、時間領域リソース内の第1の時間領域リソース長の後の位置から第1のタイプの信号を監視し始めるように具体的に構成される。
【００６４】
第14の態様の第1の実現方式を参照して、第14の態様の第3の実現方式では、第1の信号は、データスケジューリングが第2の時間領域リソース長の後に実行できることを示し、プロセッサは、時間領域リソース内の第2の時間領域リソース長の後の位置から第2のタイプの信号を監視し始めるように具体的に構成される。
【００６５】
第14の態様の第1の実現方式を参照して、第14の態様の第4の実現方式では、プロセッサは、通信インタフェースを使用することにより、第1の指示情報を受信し、第1の指示情報は、時間領域リソース内の第1の位置がアップリンク位置であることを示し、第1の位置は、第1の信号に基づいて決定された次の監視対象の信号の位置であり、次の監視対象の信号は第1のタイプの信号であり、時間領域リソース内の少なくとも1つの第2の位置において第1のタイプのデータを監視し、少なくとも1つの第2の位置は第1の位置の後に位置する、ように更に構成される。
【００６６】
第14の態様の第1の実現方式を参照して、第14の態様の第5の実現方式では、プロセッサは、第1のタイプの信号が時間領域リソース内の第1の位置において検出されないと決定するように具体的に構成され、第1の位置は第1の信号に基づいて決定された次の監視対象の信号の位置であり、次の監視対象の信号は第1のタイプの信号であり、プロセッサは、時間領域リソース内の第3の位置から第2のタイプの信号を監視し始めるように更に構成され、第3の位置は第1の位置の後に位置する。
【００６７】
第14の態様を参照して、第14の態様の第6の実現方式では、プロセッサは、第1のタイプの信号を周期的に監視するように具体的に構成される。
【００６８】
第14の態様の第6の実現方式を参照して、第14の態様の第7の実現方式では、プロセッサは、第1の指示情報を受信し、第1の指示情報は、時間領域リソース内の第1の位置がアップリンク位置であることを示し、第1の位置は第1のタイプの信号を周期的に監視するための位置であり、第1の位置と第1のタイプの信号を周期的に監視するための次の位置との間の位置において第1のタイプの信号を監視しないと決定する、ように更に構成される。
【００６９】
第14の態様の第6の実現方式を参照して、第14の態様の第8の実現方式では、プロセッサは、第1の指示情報を受信し、第1の指示情報は、時間領域リソース内の第1の位置がアップリンク位置であることを示し、時間領域リソース内の少なくとも1つの第2の位置において第1のタイプのデータを監視し、第1の位置は第1のタイプの信号を周期的に監視するための位置であり、少なくとも1つの第2の位置は第1の位置の後に位置する、ように更に構成される。
【００７０】
第14の態様の第6の実現方式を参照して、第14の態様の第9の実現方式では、プロセッサは、第1のタイプの信号が時間領域リソース内の第1の位置において検出されないと決定するように具体的に構成され、第1の位置は第1のタイプの信号を周期的に監視するための位置であり、プロセッサは、時間領域リソース内の第3の位置から第2のタイプの信号を監視し始めるように更に構成され、第3の位置は第1の位置の後に位置する。
【００７１】
第14の態様又は第14の態様の上記の実現方式のうちいずれか1つを参照して、第14の態様の第10の実現方式では、ダウンリンク信号内の第1のタイプの信号を監視する前に、プロセッサは、第2のタイプの信号が予め設定された第3の時間領域リソース長において検出されるか否かを決定し、第2のタイプの信号が予め設定された第3の時間領域リソース長において検出されないときに第1のタイプの信号を監視し始めるように更に構成される。
【００７２】
第14の態様又は第14の態様の上記の実現方式のうちいずれか1つを参照して、第14の態様の第11の実現方式では、端末デバイスがダウンリンク信号内の第1のタイプの信号を監視する前に、プロセッサは、通信インタフェースを使用することにより、第2の指示情報を受信し、第2の指示情報は、第1のタイプの信号を監視し始めるように端末デバイスに指示し、第2の指示情報を受信した後に、第1のタイプの信号を監視し始める、ように更に構成される。
【００７３】
第14の態様の第11の実現方式を参照して、第14の態様の第12の実現方式では、第2の指示情報は、以下のもの、すなわち、RRCシグナリング、MAC  CE及びDCIのうちいずれか1つで搬送される。
【００７４】
第14の態様又は第14の態様の上記の実現方式を参照して、第14の態様の第13の実現方式では、第1のタイプの信号は、以下のこと、すなわち、データスケジューリングが第1の時間領域リソース長において実行されないこと、及びデータスケジューリングが第2の時間領域リソース長の後に実行できることのうちいずれか1つを示すために使用される。
【００７５】
第14の態様又は第14の態様の上記の実現方式を参照して、第14の態様の第14の実現方式では、第1のタイプの信号は、以下のもの、すなわち、DCI、系列及び参照信号のうちいずれか1つであるか、或いは、第2のタイプの信号は、DCIである。
【００７６】
第15の態様によれば、ネットワークデバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、ダウンリンク信号を生成するステップであり、ダウンリンク信号は、端末デバイスにより監視されるべき第1のタイプの信号又は第2のタイプの信号を含み、ネットワークデバイスは、同じ時間間隔内に第1のタイプの信号及び第2のタイプの信号のうち1つのみを送信し、第1のタイプの信号は電力消費低減情報を示すために使用される信号であり、第2のタイプの信号はデータスケジューリングを示すために使用される信号である、ステップと、ダウンリンク信号を送信するステップとを実行するように構成されたプロセッサとを含む。
【００７７】
第15の態様を参照して、第15の態様の第1の可能な実現方式では、ダウンリンク信号は第1の信号を含み、第1の信号は第1のタイプの信号であり、第1の信号は、時間領域リソース内で、端末デバイスにより監視されるべき次の信号の位置を決定するために使用され、端末デバイスにより監視されるべき次の信号は第1のタイプの信号又は第2のタイプの信号である。
【００７８】
第15の態様の第1の可能な実現方式を参照して、第15の態様の第2の可能な実現方式では、プロセッサは、通信インタフェースを使用することにより、第1の指示情報を送信し、第1の指示情報は、時間領域リソース内の第1の位置がアップリンク位置であることを示し、第1の位置は、第1の信号に基づいて決定された、端末デバイスにより監視されるべき次の信号の位置であり、端末デバイスにより監視されるべき次の信号は第1のタイプの信号であり、時間領域リソース内の第2の位置において第1のタイプの信号を送信し、第2の位置は第1の位置の後に位置する、ように更に構成される。
【００７９】
第15の態様を参照して、第15の態様の第3の可能な実現方式では、プロセッサは、通信インタフェースを使用することにより、第1のタイプの信号を周期的に送信するように具体的に構成される。
【００８０】
第15の態様の第3の可能な実現方式を参照して、第15の態様の第4の可能な実現方式では、プロセッサは、通信インタフェースを使用することにより、第1の指示情報を送信し、第1の指示情報は、時間領域リソース内の第1の位置がアップリンク位置であることを示し、第1の位置は第1のタイプの信号を周期的に送信するための位置であり、通信インタフェースを使用することにより、時間領域リソース内の第2の位置において第1のタイプのデータを送信し、第2の位置は第1の位置と第1のタイプの信号を周期的に送信するための次の位置との間に位置する、ように更に構成される。
【００８１】
第15の態様又は第15の態様の上記の実現方式のうちいずれか1つを参照して、第15の態様の第5の可能な実現方式では、ネットワークデバイスがダウンリンク信号を送信する前に、プロセッサは、通信インタフェースを使用することにより、第2のタイプの信号を送信し、通信インタフェースを使用することにより、予め設定された第3の時間領域リソース長の後に第1のタイプの信号を送信し始めるように更に構成される。
【００８２】
第15の態様又は第15の態様の第1〜第4の可能な実現方式のうちいずれか1つを参照して、第15の態様の第6の可能な実現方式では、ネットワークデバイスがダウンリンク信号を送信する前に、プロセッサは、通信インタフェースを使用することにより、第2の指示情報を送信するように更に構成され、第2の指示情報は、第1のタイプの信号を監視し始めるように端末デバイスに指示する。
【００８３】
第16の態様によれば、端末デバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、通信インタフェースを使用することにより、第1の指示情報を受信するステップであり、第1の指示情報は、時間領域リソース内の第1の位置がアップリンク位置であることを示し、第1の位置は第1のタイプの信号を監視するための所定の位置であり、第1のタイプの信号は電力消費低減情報を示すために使用される信号である、ステップと、時間領域リソース内の少なくとも1つの第2の位置において第1のタイプのデータを監視するステップであり、少なくとも1つの第2の位置は第1の位置の後に位置する、ステップとを実行するように構成されたプロセッサとを含む。
【００８４】
第16の態様を参照して、第16の態様の第1の可能な実現方式では、第1の位置は第1のタイプの信号を周期的に監視するための位置であり、少なくとも1つの第2の位置は第1の位置と第1のタイプの信号を周期的に監視するための次の位置との間に位置する。
【００８５】
第16の態様を参照して、第16の態様の第2の可能な実現方式では、プロセッサは、第1の信号を検出し、第1の信号は第1のタイプの信号であり、第1の信号に基づいて、次の監視対象の第1のタイプの信号の位置が第1の位置であると決定する、ように更に構成される。
【００８６】
第17の態様によれば、ネットワークデバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、通信インタフェースを使用することにより、第1の指示情報を送信するステップであり、第1の指示情報は、時間領域リソース内の第1の位置がアップリンク位置であることを示し、第1の位置は端末デバイスにより監視されるべき第1のタイプの信号の所定の位置であり、第1のタイプの信号は電力消費低減情報を示すために使用される信号である、ステップと、通信インタフェースを使用することにより、時間領域リソース内の第2の位置において第1のタイプの信号を送信するステップであり、第2の位置は第1の位置の後に位置する、ステップとを実行するように構成されたプロセッサとを含む。
【００８７】
第17の態様を参照して、第17の態様の第1の可能な実現方式では、第1の位置は第1のタイプの信号を周期的に送信するための位置であり、少なくとも1つの第2の位置は第1の位置と第1のタイプの信号を周期的に送信するための次の位置との間に位置する。
【００８８】
第17の態様を参照して、第17の態様の第2の可能な実現方式では、ダウンリンク信号は第1の信号を含み、第1の信号は第1のタイプの信号であり、第1の信号は、時間領域リソース内で、端末デバイスにより監視されるべき次の信号の位置が第1の位置であると決定するために使用される。
【００８９】
第18の態様によれば、端末デバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、通信インタフェースを使用することにより、第1の指示情報を受信するステップであり、第1の指示情報は、時間領域リソース内の第1の位置がアップリンク位置であることを示し、第1の位置は第1のタイプの信号を周期的に監視するための位置であり、第1のタイプの信号は電力消費低減情報を示すために使用される信号である、ステップと、第1の位置と第1のタイプの信号を周期的に監視するための次の位置との間の位置において第1のタイプの信号を監視しないと決定するステップとを実行するように構成されたプロセッサとを含む。
【００９０】
第19の態様によれば、ネットワークデバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、通信インタフェースを使用することにより、第1の指示情報を送信するステップであり、第1の指示情報は、時間領域リソース内の第1の位置がアップリンク位置であることを示し、第1の位置は第1のタイプの信号を周期的に送信するための位置であり、第1のタイプの信号は電力消費低減情報を示すために使用される信号である、ステップと、第1の位置と第1のタイプの信号を周期的に送信するための次の位置との間の位置において第1のタイプの信号を送信しないと決定するステップとを実行するように構成されたプロセッサとを含む。
【００９１】
第20の態様によれば、端末デバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、ダウンリンク信号内の第1のタイプの信号を監視するステップであり、第1のタイプの信号は電力消費低減情報を示すために使用される信号である、ステップと、第1のタイプの信号が時間領域リソース内の第1の位置において検出されないと決定するステップであり、第1の位置は第1のタイプの信号を監視するための所定の位置である、ステップと、時間領域リソース内の第3の位置から第2のタイプの信号を監視し始めるステップであり、第2のタイプの信号はデータスケジューリングを示すために使用される信号であり、第3の位置は第1の位置の後に位置する、ステップとを実行するように構成されたプロセッサとを含む。
【００９２】
第20の態様を参照して、第20の態様の第1の可能な実現方式では、第1の位置は第1のタイプの信号を周期的に監視するための位置である。
【００９３】
第20の態様を参照して、第20の態様の第1の可能な実現方式では、プロセッサは、ダウンリンク信号内の第1の信号を検出するように具体的に構成され、第1の信号は第1のタイプの信号であり、プロセッサは、第1の信号に基づいて、次の監視対象の第1のタイプの信号の位置が第1の位置であると決定するように更に構成される。
【００９４】
第21の態様によれば、端末デバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、第2のタイプの信号が予め設定された第3の時間領域リソース長において検出されるか否かを決定するステップであり、第2のタイプの信号はデータスケジューリングを示すために使用される信号である、ステップと、第2のタイプの信号が予め設定された第3の時間領域リソース長において検出されないとき、第1のタイプの信号を監視し始めるステップであり、第1のタイプの信号は電力消費低減情報を示すために使用される信号である、ステップとを実行するように構成されたプロセッサとを含む。
【００９５】
第21の態様を参照して、第21の態様の第1の可能な実現方式では、プロセッサは、第2のタイプの信号を監視するときに第1のタイプの信号を監視しない。
【００９６】
第22の態様によれば、ネットワークデバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、通信インタフェースを使用することにより、第2のタイプの信号を送信するステップであり、第2のタイプの信号はデータスケジューリングを示すために使用される信号である、ステップと、通信インタフェースを使用することにより、予め設定された第3の時間領域リソース長の後に第1のタイプの信号を送信し始めるステップであり、第1のタイプの信号は電力消費低減情報を示すために使用される信号である、ステップとを実行するように構成されたプロセッサとを含む。
【００９７】
第22の態様を参照して、第22の態様の第1の可能な実現方式では、プロセッサは、通信インタフェースを使用することにより、同じ時間間隔内に第1のタイプの信号及び第2のタイプの信号のうち1つのみを送信する。
【００９８】
第23の態様によれば、端末デバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、通信インタフェースを使用することにより、ネットワークデバイスから第2の指示情報を受信するステップであり、第2の指示情報は、第1のタイプの信号を監視し始めるように端末デバイスに指示し、第1のタイプの信号は電力消費低減情報を示すために使用される信号である、ステップと、第2の指示情報を受信した後に第1のタイプの信号を監視し始めるステップであり、端末デバイスは、第1のタイプの信号を監視するときに第2のタイプの信号を監視せず、第2のタイプの信号はデータスケジューリングを示すために使用される信号である、ステップとを実行するように構成されたプロセッサとを含む。
【００９９】
第23の態様を参照して、第23の態様の第1の可能な実現方式では、第2の指示情報は、以下のもの、すなわち、RRCシグナリング、MAC  CE及びDCIのうちいずれか1つで搬送される。
【０１００】
第24の態様によれば、ネットワークデバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、通信インタフェースを使用することにより、第2の指示情報を送信するステップであり、第2の指示情報は第1のタイプの信号を監視し始めるように端末デバイスに指示し、第1のタイプの信号は電力消費低減情報を示すために使用される信号である、ステップと、通信インタフェースを使用することにより、第2の指示情報を送信した後に第1のタイプの信号を送信し始めるステップであり、プロセッサは、通信インタフェースを使用することにより、同じ時間間隔内に第1のタイプの信号及び第2のタイプの信号のうち1つのみを送信する、ステップとを実行するように構成されたプロセッサとを含む。
【０１０１】
第24の態様を参照して、第24の態様の第1の可能な実現方式では、第2の指示情報は、以下のもの、すなわち、RRCシグナリング、MAC  CE及びDCIのうちいずれか1つで搬送される。
【０１０２】
第25の態様によれば、端末デバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、ダウンリンク信号内の第2の信号を検出するステップであり、第2の信号は第1のタイプの信号であり、第1のタイプの信号は電力消費低減情報を示すために使用される信号である、ステップと、第2の信号及び第1のタイプの信号と電力消費低減情報の意味との間のマッピング関係に基づいて、第2の信号により示される電力消費低減情報の意味を決定するステップとを実行するように構成されたプロセッサとを含む。
【０１０３】
第12の態様を参照して、第25の態様の第1の可能な実現方式では、マッピング関係は予め定義される。
【０１０４】
第25の態様を参照して、第25の態様の第2の可能な実現方式では、プロセッサは、第3の指示情報を受信するように更に構成され、第3の指示情報はマッピング関係を示すために使用される。
【０１０５】
第25の態様又は第25の態様の上記の可能な実現方式のうちいずれか1つを参照して、第25の態様の第3の可能な実現方式では、第3の指示情報はRRCシグナリングで搬送される。
【０１０６】
第25の態様又は第25の態様の上記の可能な実現方式のうちいずれか1つを参照して、第1のタイプの信号は、以下のもの、すなわち、DCI、系列及び参照信号のうちいずれか1つである。
【０１０７】
第25の態様又は第25の態様の上記の可能な実現方式のうちいずれか1つを参照して、電力消費低減情報の意味は、以下のこと、すなわち、データスケジューリングが第1の時間領域リソース長において実行されないこと、及びデータスケジューリングが第2の時間領域リソース長の後に実行できることのうち少なくとも1つを含む。
【０１０８】
第25の態様又は第25の態様の上記の可能な実現方式のうちいずれか1つを参照して、第1の時間領域リソース長又は第2の時間領域リソース長は、以下のもの、すなわち、1つ以上のスロット、1つ以上のサブフレーム、1つ以上のミリ秒及び1つ以上のDRXサイクルのうちいずれか1つである。
【０１０９】
第26の態様によれば、ネットワークデバイスが提供され、通信インタフェースと、命令を記憶するように構成されたメモリと、メモリ及び通信インタフェースに別々に接続され、メモリに記憶された命令を実行し、命令が実行されたとき、以下のステップ、すなわち、通信インタフェースを使用することにより、第3の指示情報を送信するステップであり、第3の指示情報は第1のタイプの信号と電力消費低減情報の意味との間のマッピング関係を示すために使用され、第1のタイプの信号は電力消費低減情報を示すために使用される信号である、ステップと、通信インタフェースを使用することにより、第2の信号を送信するステップであり、第2の信号は第1のタイプの信号である、ステップとを実行するように構成されたプロセッサとを含む。
【０１１０】
第26の態様を参照して、第26の態様の第1の可能な実現方式では、第3の指示情報はRRCシグナリングで搬送される。
【０１１１】
第26の態様又は第26の態様の第1の可能な実現方式を参照して、第26の態様の第2の可能な実現方式では、第1のタイプの信号は、以下のもの、すなわち、DCI、系列及び参照信号のうちいずれか1つである。
【０１１２】
第26の態様又は第26の態様の上記の可能な実現方式のうちいずれか1つを参照して、第26の態様の第3の可能な実現方式では、電力消費低減情報の意味は、以下のこと、すなわち、データスケジューリングが第1の時間領域リソース長において実行されないこと、及びデータスケジューリングが第2の時間領域リソース長の後に実行できることのうち少なくとも1つを含む。
【０１１３】
第26の態様又は第26の態様の上記の可能な実現方式のうちいずれか1つを参照して、第26の態様の第4の可能な実現方式では、第1の時間領域リソース長又は第2の時間領域リソース長は、以下のもの、すなわち、1つ以上のスロット、1つ以上のサブフレーム、1つ以上のミリ秒及び1つ以上のDRXサイクルのうちいずれか1つである。
【０１１４】
第27の態様によれば、端末デバイスが提供され、ダウンリンク信号を受信するように構成された受信ユニットと、ダウンリンク信号内の第1のタイプの信号を監視するように構成された監視ユニットであり、第1のタイプの信号は電力消費低減情報を示すために使用される信号であり、端末デバイスは第1のタイプの信号を監視するときに第2のタイプの信号を監視せず、第2のタイプの信号はデータスケジューリングを示すために使用される信号である、監視ユニットとを含む。
【０１１５】
第27の態様を参照して、第27の態様の第1の実現方式では、監視ユニットは、第1の信号を検出するように具体的に構成され、第1の信号は第1のタイプの信号であり、監視ユニットは、第1の信号に基づいて、時間領域リソース内の次の監視対象の信号の位置を決定するように更に構成され、次の監視対象の信号は第1のタイプの信号又は第2のタイプの信号である。
【０１１６】
第27の態様の第1の実現方式を参照して、第27の態様の第2の実現方式では、第1の信号は、データスケジューリングが第1の時間領域リソース長において実行されないことを示し、監視ユニットは、時間領域リソース内の第1の時間領域リソース長の後の位置から第1のタイプの信号を監視し始めるように具体的に構成される。
【０１１７】
第27の態様の第1の実現方式を参照して、第27の態様の第3の実現方式では、第1の信号は、データスケジューリングが第2の時間領域リソース長の後に実行できることを示し、監視ユニットは、時間領域リソース内の第2の時間領域リソース長の後の位置から第2のタイプの信号を監視し始めるように具体的に構成される。
【０１１８】
第27の態様の第1の実現方式を参照して、第27の態様の第4の実現方式では、受信ユニットは、第1の指示情報を受信するように更に構成され、第1の指示情報は、時間領域リソース内の第1の位置がアップリンク位置であることを示し、第1の位置は、第1の信号に基づいて決定された次の監視対象の信号の位置であり、次の監視対象の信号は第1のタイプの信号であり、監視ユニットは、時間領域リソース内の少なくとも1つの第2の位置において第1のタイプのデータを監視するように更に構成され、少なくとも1つの第2の位置は第1の位置の後に位置する。
【０１１９】
第27の態様の第1の実現方式を参照して、第27の態様の第5の実現方式では、監視ユニットは、第1のタイプの信号が時間領域リソース内の第1の位置において検出されないと決定するように具体的に構成され、第1の位置は第1の信号に基づいて決定された次の監視対象の信号の位置であり、次の監視対象の信号は第1のタイプの信号であり、監視ユニットは、時間領域リソース内の第3の位置から第2のタイプの信号を監視し始めるように更に構成され、第3の位置は第1の位置の後に位置する。
【０１２０】
第27の態様を参照して、第27の態様の第6の実現方式では、監視ユニットは、第1のタイプの信号を周期的に監視するように具体的に構成される。
【０１２１】
第27の態様の第6の実現方式を参照して、第27の態様の第7の実現方式では、受信ユニットは、第1の指示情報を受信するように更に構成され、第1の指示情報は、時間領域リソース内の第1の位置がアップリンク位置であることを示し、第1の位置は第1のタイプの信号を周期的に監視するための位置であり、監視ユニットは、第1の位置と第1のタイプの信号を周期的に監視するための次の位置との間の位置において第1のタイプの信号を監視しないと決定する。
【０１２２】
第27の態様の第6の実現方式を参照して、第27の態様の第8の実現方式では、受信ユニットは、第1の指示情報を受信するように更に構成され、第1の指示情報は、時間領域リソース内の第1の位置がアップリンク位置であることを示し、監視ユニットは、時間領域リソース内の少なくとも1つの第2の位置において第1のタイプのデータを監視するように更に構成され、第1の位置は第1のタイプの信号を周期的に監視するための位置であり、少なくとも1つの第2の位置は第1の位置の後に位置する。
【０１２３】
第27の態様の第6の実現方式を参照して、第27の態様の第9の実現方式では、監視ユニットは、第1のタイプの信号が時間領域リソース内の第1の位置において検出されないと決定するように具体的に構成され、第1の位置は第1のタイプの信号を周期的に監視するための位置であり、監視ユニットは、時間領域リソース内の第3の位置から第2のタイプの信号を監視し始めるように更に構成され、第3の位置は第1の位置の後に位置する。
【０１２４】
第27の態様又は第27の態様の上記の実現方式のうちいずれか1つを参照して、第27の態様の第10の実現方式では、端末デバイスがダウンリンク信号内の第1のタイプの信号を監視する前に、監視ユニットは、第2のタイプの信号が予め設定された第3の時間領域リソース長において検出されるか否かを決定するように更に構成され、監視ユニットは、第2のタイプの信号が予め設定された第3の時間領域リソース長において検出されないときに第1のタイプの信号を監視し始める。
【０１２５】
第27の態様又は第27の態様の上記の実現方式のうちいずれか1つを参照して、第27の態様の第11の実現方式では、端末デバイスがダウンリンク信号内の第1のタイプの信号を監視する前に、受信ユニットは、第2の指示情報を受信するように更に構成され、第2の指示情報は、第1のタイプの信号を監視し始めるように端末デバイスに指示し、監視ユニットは、第2の指示情報が受信された後に、第1のタイプの信号を監視し始めるように更に構成される。
【０１２６】
第27の態様の第11の実現方式を参照して、第27の態様の第12の実現方式では、第2の指示情報は、以下のもの、すなわち、RRCシグナリング、MAC  CE及びDCIのうちいずれか1つで搬送される。
【０１２７】
第27の態様又は第27の態様の上記の実現方式を参照して、第27の態様の第13の実現方式では、第1のタイプの信号は、以下のこと、すなわち、データスケジューリングが第1の時間領域リソース長において実行されないこと、及びデータスケジューリングが第2の時間領域リソース長の後に実行できることのうちいずれか1つを示すために使用される。
【０１２８】
第27の態様又は第27の態様の上記の実現方式を参照して、第27の態様の第14の実現方式では、第1のタイプの信号は、以下のもの、すなわち、DCI、系列及び参照信号のうちいずれか1つであるか、或いは、第2のタイプの信号は、DCIである。
【０１２９】
第28の態様によれば、信号送信方法が提供され、ダウンリンク信号を生成するように構成された生成ユニットであり、ダウンリンク信号は、端末デバイスにより監視されるべき第1のタイプの信号又は第2のタイプの信号を含み、第1のタイプの信号は電力消費低減情報を示すために使用される信号であり、第2のタイプの信号はデータスケジューリングを示すために使用される信号である、生成ユニットと、ダウンリンク信号を送信するように構成された送信ユニットとを含み、送信ユニットは、同じ時間間隔内に第1のタイプの信号及び第2のタイプの信号のうち1つのみを送信する。
【０１３０】
第28の態様を参照して、第28の態様の第1の可能な実現方式では、ダウンリンク信号は第1の信号を含み、第1の信号は第1のタイプの信号であり、第1の信号は、時間領域リソース内で、端末デバイスにより監視されるべき次の信号の位置を決定するために使用され、端末デバイスにより監視されるべき次の信号は第1のタイプの信号又は第2のタイプの信号である。
【０１３１】
第28の態様の第1の可能な実現方式を参照して、第28の態様の第2の可能な実現方式では、送信ユニットは、第1の指示情報を送信し、第1の指示情報は、時間領域リソース内の第1の位置がアップリンク位置であることを示し、第1の位置は、第1の信号に基づいて決定された、端末デバイスにより監視されるべき次の信号の位置であり、端末デバイスにより監視されるべき次の信号は第1のタイプの信号であり、時間領域リソース内の第2の位置において第1のタイプの信号を送信し、第2の位置は第1の位置の後に位置する、ように更に構成される。
【０１３２】
第28の態様を参照して、第28の態様の第3の可能な実現方式では、送信ユニットは、第1のタイプの信号を周期的に送信するように具体的に構成される。
【０１３３】
第28の態様の第3の可能な実現方式を参照して、第28の態様の第4の可能な実現方式では、送信ユニットは、第1の指示情報を送信し、第1の指示情報は、時間領域リソース内の第1の位置がアップリンク位置であることを示し、第1の位置は第1のタイプの信号を周期的に送信するための位置であり、時間領域リソース内の第2の位置において第1のタイプのデータを送信し、第2の位置は第1の位置と第1のタイプの信号を周期的に送信するための次の位置との間に位置する、ように更に構成される。
【０１３４】
第28の態様又は第28の態様の上記の実現方式のうちいずれか1つを参照して、第28の態様の第5の可能な実現方式では、ダウンリンク信号を送信する前に、送信ユニットは、第2のタイプの信号を送信し、予め設定された第3の時間領域リソース長の後に第1のタイプの信号を送信し始めるように更に構成される。
【０１３５】
第28の態様又は第28の態様の第1〜第4の可能な実現方式のうちいずれか1つを参照して、第28の態様の第6の可能な実現方式では、ダウンリンク信号を送信する前に、送信ユニットは、第2の指示情報を送信するように更に構成され、第2の指示情報は、第1のタイプの信号を監視し始めるように端末デバイスに指示する。
【０１３６】
第29の態様によれば、端末デバイスが提供され、第1の指示情報を受信するように構成された受信ユニットであり、第1の指示情報は、時間領域リソース内の第1の位置がアップリンク位置であることを示し、第1の位置は第1のタイプの信号を監視するための所定の位置であり、第1のタイプの信号は電力消費低減情報を示すために使用される信号である、受信ユニットと、時間領域リソース内の少なくとも1つの第2の位置において第1のタイプのデータを監視するように構成された監視ユニットであり、少なくとも1つの第2の位置は第1の位置の後に位置する、監視ユニットとを含む。
【０１３７】
第29の態様を参照して、第29の態様の第1の可能な実現方式では、第1の位置は第1のタイプの信号を周期的に監視するための位置であり、少なくとも1つの第2の位置は第1の位置と第1のタイプの信号を周期的に監視するための次の位置との間に位置する。
【０１３８】
第29の態様を参照して、第29の態様の第2の可能な実現方式では、監視ユニットは、第1の信号を検出し、第1の信号は第1のタイプの信号であり、第1の信号に基づいて、次の監視対象の第1のタイプの信号の位置が第1の位置であると決定する、ように更に構成される。
【０１３９】
第30の態様によれば、ネットワークデバイスが提供され、第1の指示情報を送信するように構成された第1の送信ユニットであり、第1の指示情報は、時間領域リソース内の第1の位置がアップリンク位置であることを示し、第1の位置は端末デバイスにより監視されるべき第1のタイプの信号の所定の位置であり、第1のタイプの信号は電力消費低減情報を示すために使用される信号である、第1の送信ユニットと、時間領域リソース内の第2の位置において第1のタイプの信号を送信するように構成された第2の送信ユニットであり、第2の位置は第1の位置の後に位置する、第2の送信ユニットとを含む。
【０１４０】
第30の態様を参照して、第30の態様の第1の可能な実現方式では、第1の位置は第1のタイプの信号を周期的に送信するための位置であり、少なくとも1つの第2の位置は第1の位置と第1のタイプの信号を周期的に送信するための次の位置との間に位置する。
【０１４１】
第30の態様を参照して、第30の態様の第2の可能な実現方式では、ダウンリンク信号は第1の信号を含み、第1の信号は第1のタイプの信号であり、第1の信号は、時間領域リソース内で、端末デバイスにより監視されるべき次の信号の位置が第1の位置であると決定するために使用される。
【０１４２】
第31の態様によれば、端末デバイスが提供され、第1の指示情報を受信するように構成された受信ユニットであり、第1の指示情報は、時間領域リソース内の第1の位置がアップリンク位置であることを示し、第1の位置は第1のタイプの信号を周期的に監視するための位置であり、第1のタイプの信号は電力消費低減情報を示すために使用される信号である、受信ユニットと、第1の位置と第1のタイプの信号を周期的に監視するための次の位置との間の位置において第1のタイプの信号を監視しないと決定するように構成された監視ユニットとを含む。
【０１４３】
第32の態様によれば、ネットワークデバイスが提供され、第1の指示情報を送信するように構成された送信ユニットであり、第1の指示情報は、時間領域リソース内の第1の位置がアップリンク位置であることを示し、第1の位置は第1のタイプの信号を周期的に送信するための位置であり、第1のタイプの信号は電力消費低減情報を示すために使用される信号である、送信ユニットと、第1の位置と第1のタイプの信号を周期的に送信するための次の位置との間の位置において第1のタイプの信号を送信しないと決定するように構成された処理ユニットとを含む。
【０１４４】
第33の態様によれば、端末デバイスが提供され、ダウンリンク信号内の第1のタイプの信号を監視するように構成された監視ユニットであり、第1のタイプの信号は電力消費低減情報を示すために使用される信号である、監視ユニットと、第1のタイプの信号が時間領域リソース内の第1の位置において検出されないと決定するように構成された処理ユニットであり、第1の位置は第1のタイプの信号を監視するための所定の位置である、処理ユニットとを含み、監視ユニットは、時間領域リソース内の第3の位置から第2のタイプの信号を監視し始め、第2のタイプの信号はデータスケジューリングを示すために使用される信号であり、第3の位置は第1の位置の後に位置する。
【０１４５】
第33の態様を参照して、第33の態様の第1の可能な実現方式では、第1の位置は第1のタイプの信号を周期的に監視するための位置である。
【０１４６】
第33の態様を参照して、第33の態様の第1の可能な実現方式では、監視ユニットは、ダウンリンク信号内の第1の信号を検出するように具体的に構成され、第1の信号は第1のタイプの信号であり、処理ユニットは、第1の信号に基づいて、次の監視対象の第1のタイプの信号の位置が第1の位置であると決定するように更に構成される。
【０１４７】
第34の態様によれば、端末デバイスが提供され、第2のタイプの信号が予め設定された第3の時間領域リソース長において検出されるか否かを決定するように構成された処理ユニットであり、第2のタイプの信号はデータスケジューリングを示すために使用される信号である、処理ユニットと、第2のタイプの信号が予め設定された第3の時間領域リソース長において検出されないとき、第1のタイプの信号を監視し始めるように構成された監視ユニットであり、第1のタイプの信号は電力消費低減情報を示すために使用される信号である、監視ユニットとを含む。
【０１４８】
第34の態様を参照して、第34の態様の第1の可能な実現方式では、監視ユニットは、第2のタイプの信号を監視するときに第1のタイプの信号を監視しない。
【０１４９】
第35の態様によれば、ネットワークデバイスが提供され、第2のタイプの信号を送信するように構成された第1の送信ユニットであり、第2のタイプの信号はデータスケジューリングを示すために使用される信号である、第1の送信ユニットと、予め設定された第3の時間領域リソース長の後に第1のタイプの信号を送信し始めるように構成された第2の送信ユニットであり、第1のタイプの信号は電力消費低減情報を示すために使用される信号である、第2の送信ユニットとを含む。
【０１５０】
第35の態様を参照して、第35の態様の第1の可能な実現方式では、ネットワークデバイスは、同じ時間間隔内に第1のタイプの信号及び第2のタイプの信号のうち1つのみを送信する。
【０１５１】
第36の態様によれば、端末デバイスが提供され、ネットワークデバイスから第2の指示情報を受信するように構成された受信ユニットであり、第2の指示情報は、第1のタイプの信号を監視し始めるように端末デバイスに指示し、第1のタイプの信号は電力消費低減情報を示すために使用される信号である、受信ユニットと、第2の指示情報が受信された後に第1のタイプの信号を監視し始めるように構成された監視ユニットとを含み、監視ユニットは、第1のタイプの信号を監視するときに第2のタイプの信号を監視せず、第2のタイプの信号はデータスケジューリングを示すために使用される信号である。
【０１５２】
第36の態様を参照して、第36の態様の第1の可能な実現方式では、第2の指示情報は、以下のもの、すなわち、RRCシグナリング、MAC  CE及びDCIのうちいずれか1つで搬送される。
【０１５３】
第37の態様によれば、ネットワークデバイスが提供され、第2の指示情報を送信するように構成された第1の送信ユニットであり、第2の指示情報は第1のタイプの信号を監視し始めるように端末デバイスに指示し、第1のタイプの信号は電力消費低減情報を示すために使用される信号である、第1の送信ユニットと、第2の指示情報が送信された後に第1のタイプの信号を送信し始めるように構成された第2の送信ユニットとを含み、第2の送信ユニットは、同じ時間間隔内に第1のタイプの信号及び第2のタイプの信号のうち1つのみを送信する。
【０１５４】
第37の態様を参照して、第37の態様の第1の可能な実現方式では、第2の指示情報は、以下のもの、すなわち、RRCシグナリング、MAC  CE及びDCIのうちいずれか1つで搬送される。
【０１５５】
第38の態様によれば、端末デバイスが提供され、ダウンリンク信号内の第2の信号を検出するように構成された監視ユニットであり、第2の信号は第1のタイプの信号であり、第1のタイプの信号は電力消費低減情報を示すために使用される信号である、監視ユニットと、第2の信号及び第1のタイプの信号と電力消費低減情報の意味との間のマッピング関係に基づいて、第2の信号により示される電力消費低減情報の意味を決定するように構成された処理ユニットとを含む。
【０１５６】
第12の態様を参照して、第38の態様の第1の可能な実現方式では、マッピング関係は予め定義される。
【０１５７】
第38の態様を参照して、第38の態様の第2の可能な実現方式では、端末デバイスは、第3の指示情報を受信するように構成された受信ユニットであり、第3の指示情報はマッピング関係を示すために使用される、受信ユニットを更に含む。
【０１５８】
第38の態様又は第38の態様の上記の可能な実現方式のうちいずれか1つを参照して、第38の態様の第3の可能な実現方式では、第3の指示情報はRRCシグナリングで搬送される。
【０１５９】
第38の態様又は第38の態様の上記の可能な実現方式のうちいずれか1つを参照して、第1のタイプの信号は、以下のもの、すなわち、ダウンリンク制御情報DCI、系列及び参照信号のうちいずれか1つである。
【０１６０】
第38の態様又は第38の態様の上記の可能な実現方式のうちいずれか1つを参照して、電力消費低減情報の意味は、以下のこと、すなわち、データスケジューリングが第1の時間領域リソース長において実行されないこと、及びデータスケジューリングが第2の時間領域リソース長の後に実行できることのうち少なくとも1つを含む。
【０１６１】
第38の態様又は第38の態様の上記の可能な実現方式のうちいずれか1つを参照して、第1の時間領域リソース長又は第2の時間領域リソース長は、以下のもの、すなわち、1つ以上のスロット、1つ以上のサブフレーム、1つ以上のミリ秒及び1つ以上のDRXサイクルのうちいずれか1つである。
【０１６２】
第39の態様によれば、ネットワークデバイスが提供され、第3の指示情報を送信するように構成された第1の送信ユニットであり、第3の指示情報は第1のタイプの信号と電力消費低減情報の意味との間のマッピング関係を示すために使用され、第1のタイプの信号は電力消費低減情報を示すために使用される信号である、第1の送信ユニットと、第2の信号を送信するように構成された第2の送信ユニットであり、第2の信号は第1のタイプの信号である、第2の送信ユニットとを含む。
【０１６３】
第39の態様を参照して、第39の態様の第1の可能な実現方式では、第3の指示情報はRRCシグナリングで搬送される。
【０１６４】
第39の態様又は第39の態様の第1の可能な実現方式を参照して、第39の態様の第2の可能な実現方式では、第1のタイプの信号は、以下のもの、すなわち、DCI、系列及び参照信号のうちいずれか1つである。
【０１６５】
第39の態様又は第39の態様の上記の可能な実現方式のうちいずれか1つを参照して、第39の態様の第3の可能な実現方式では、電力消費低減情報の意味は、以下のこと、すなわち、データスケジューリングが第1の時間領域リソース長において実行されないこと、及びデータスケジューリングが第2の時間領域リソース長の後に実行できることのうち少なくとも1つを含む。
【０１６６】
第39の態様又は第39の態様の上記の可能な実現方式のうちいずれか1つを参照して、第39の態様の第4の可能な実現方式では、第1の時間領域リソース長又は第2の時間領域リソース長は、以下のもの、すなわち、1つ以上のスロット、1つ以上のサブフレーム、1つ以上のミリ秒及び1つ以上のDRXサイクルのうちいずれか1つである。
【０１６７】
第40の態様によれば、通信システムが提供され、第14の態様又は第14の態様の可能な実現方式のうちいずれか1つにおける端末デバイスと、第15の態様又は第15の態様の可能な実現方式のうちいずれか1つにおけるネットワークデバイスを含むか、或いは、第16の態様又は第16の態様の可能な実現方式のうちいずれか1つにおける端末デバイスと、第17の態様又は第17の態様の可能な実現方式のうちいずれか1つにおけるネットワークデバイスを含むか、或いは、第18の態様における端末デバイスと、第19の態様におけるネットワークデバイスを含むか、或いは、第21の態様又は第21の態様の可能な実現方式のうちいずれか1つにおける端末デバイスと、第22の態様又は第22の態様の可能な実現方式のうちいずれか1つにおけるネットワークデバイスを含むか、或いは、第23の態様又は第23の態様の可能な実現方式のうちいずれか1つにおける端末デバイスと、第24の態様又は第24の態様の可能な実現方式のうちいずれか1つにおけるネットワークデバイスを含むか、或いは、第25の態様又は第25の態様の可能な実現方式のうちいずれか1つにおける端末デバイスと、第26の態様又は第26の態様の可能な実現方式のうちいずれか1つにおけるネットワークデバイスを含むか、或いは、第27の態様又は第27の態様の可能な実現方式のうちいずれか1つにおける端末デバイスと、第28の態様又は第28の態様の可能な実現方式のうちいずれか1つにおけるネットワークデバイスを含むか、或いは、第29の態様又は第29の態様の可能な実現方式のうちいずれか1つにおける端末デバイスと、第30の態様又は第30の態様の可能な実現方式のうちいずれか1つにおけるネットワークデバイスを含むか、或いは、第31の態様における端末デバイスと、第32の態様におけるネットワークデバイスを含むか、或いは、第34の態様又は第34の態様の可能な実現方式のうちいずれか1つにおける端末デバイスと、第35の態様又は第35の態様の可能な実現方式のうちいずれか1つにおけるネットワークデバイスを含むか、或いは、第36の態様又は第36の態様の可能な実現方式のうちいずれか1つにおける端末デバイスと、第37の態様又は第37の態様の可能な実現方式のうちいずれか1つにおけるネットワークデバイスを含むか、或いは、第38の態様又は第38の態様の可能な実現方式のうちいずれか1つにおける端末デバイスと、第39の態様又は第39の態様の可能な実現方式のうちいずれか1つにおけるネットワークデバイスを含む。
【０１６８】
第41の態様によれば、コンピュータ読み取り可能媒体が提供され、コンピュータプログラムコードを含むコンピュータプログラムを記憶するように構成される。コンピュータプログラムコードがコンピュータ上で実行されたとき、コンピュータは、上記の態様における端末デバイスにより実行される方法を実行することが可能になる。
【０１６９】
第42の態様によれば、コンピュータ読み取り可能媒体が提供され、コンピュータプログラムコードを含むコンピュータプログラムを記憶するように構成される。コンピュータプログラムコードがコンピュータ上で実行されたとき、コンピュータは、上記の態様のそれぞれにおけるネットワークデバイスにより実行される方法を実行することが可能になる。
【０１７０】
第43の態様によれば、この出願はチップシステムを提供する。チップシステムは、上記の態様のそれぞれにおける方法において端末デバイスの機能、例えば、上記の方法においてデータ及び/又は情報を受信又は処理することを実現するように構成されたプロセッサを含む。可能な設計では、チップシステムは、メモリを更に含む。メモリは、プログラム命令及び/又はデータを記憶するように構成される。チップシステムは、チップを含んでもよく、或いは、チップ及び他の個別の構成要素を含んでもよい。
【０１７１】
第44の態様によれば、この出願はチップシステムを提供する。チップシステムは、上記の態様のそれぞれにおける方法においてネットワークデバイスの機能、例えば、上記の方法においてデータ及び/又は情報を受信又は処理することを実現するように構成されたプロセッサを含む。可能な設計では、チップシステムは、メモリを更に含む。メモリは、プログラム命令及び/又はデータを記憶するように構成される。チップシステムは、チップを含んでもよく、或いは、チップ及び他の個別の構成要素を含んでもよい。
【０１７２】
第45の態様によれば、この出願はコンピュータ読み取り可能記憶媒体を提供する。コンピュータ読み取り可能記憶媒体は、コンピュータプログラムを記憶し、コンピュータプログラムが実行されたとき、上記の態様のそれぞれにおいて端末デバイスによる方法が実行される。
【０１７３】
第46の態様によれば、この出願はコンピュータ読み取り可能記憶媒体を提供する。コンピュータ読み取り可能記憶媒体は、コンピュータプログラムを記憶し、コンピュータプログラムが実行されたとき、上記の態様のそれぞれにおいてネットワークデバイスによる方法が実行される。
【図面の簡単な説明】
【０１７４】
【図１】この出願の実施形態によるアプリケーション環境の概略図である。
【図２】この出願の実施形態による信号監視方法のフローチャートである。
【図３】この出願の実施形態に従って第1のタイプの信号を周期的に監視するための方法のプロセスの概略図である。
【図４】この出願の実施形態に従って第1のタイプの信号を非周期的に監視するための方法のプロセスの概略図である。
【図５】この出願の他の実施形態に従って第1のタイプの信号を周期的に監視するための方法のプロセスの概略図である。
【図６（Ａ）】この出願の他の実施形態に従って第1のタイプの信号を周期的に監視するための方法のプロセスの概略図である。
【図６（Ｂ）】この出願の他の実施形態に従って第1のタイプの信号を周期的に監視するための方法のプロセスの概略図である。
【図７（Ａ）】この出願の他の実施形態に従って第1のタイプの信号を非周期的に監視するための方法のプロセスの概略図である。
【図７（Ｂ）】この出願の他の実施形態に従って第1のタイプの信号を非周期的に監視するための方法のプロセスの概略図である。
【図８】この出願の他の実施形態による信号監視方法のプロセスのフローチャートである。
【図９】この出願の他の実施形態による信号監視方法のフローチャートである。
【図１０】この出願の他の実施形態による信号監視方法のフローチャートである。
【図１１】この出願の他の実施形態による信号監視方法のフローチャートである。
【図１２】この出願の他の実施形態による信号監視方法のフローチャートである。
【図１３】この出願の他の実施形態による信号監視方法のフローチャートである。
【図１４】この出願の他の実施形態による信号監視方法のフローチャートである。
【図１５】この出願の実施形態による端末デバイスの概略構造図である。
【図１６】この出願の他の実施形態による端末デバイスの概略構造図である。
【図１７】この出願の実施形態によるネットワークデバイスの概略構造図である。
【図１８】この出願の他の実施形態によるネットワークデバイスの概略構造図である。
【図１９】この出願の他の実施形態によるネットワークデバイスの概略構造図である。
【図２０】この出願の他の実施形態による端末デバイスの概略構造図である。
【図２１】この出願の他の実施形態によるネットワークデバイスの概略構造図である。
【図２２】この出願の実施形態によるPDCCH監視機会の概略図である
【発明を実施するための形態】
【０１７５】
以下に、添付の図面を参照して、この出願の技術的解決策について説明する。
【０１７６】
この出願の技術的解決策は、グローバル・システム・フォー・モバイル・コミュニケーションズ(global  system  for  mobile  communications,  GSM)、符号分割多元接続(code  division  multiple  access,  CDMA)システム、広帯域符号分割多元接続(wideband  code  division  multiple  access,  WCDMA)システム、汎用パケット無線サービス(general  packet  radio  service,  GPRS)、ロングタームエボリューション(long  term  evolution,  LTE)システム、LTE周波数分割複信(frequency  division  duplex,  FDD)システム、LTE時分割複信(time  division  duplex,  TDD)システム、ユニバーサル移動通信システム(universal  mobile  telecommunication  system,  UMTS)、ワールドワイド・インターオペラビリティ・フォー・マイクロウェーブ・アクセス(worldwide  interoperability  for  microwave  access,  WiMAX)通信システム、将来の第5世代(5th  generation,  5G)システム又は新無線(new  radio,  NR)システムのような様々な通信システムに適用されてもよい。
【０１７７】
この出願の実施形態における端末デバイスは、ユーザ機器(user  equipment,  UE)、アクセス端末、加入者ユニット、加入者局、移動局、移動コンソール、遠隔局、遠隔端末、移動デバイス、ユーザ端末、端末、無線通信デバイス、ユーザエージェント又はユーザ装置でもよい。端末デバイスは、代替として、携帯電話、コードレス電話、セッションイニシエーションプロトコル(session  initiation  protocol,  SIP)電話、無線ローカルループ(wireless  local  loop,  WLL)局、パーソナルデジタルアシスタント(personal  digital  assistant,  PDA)、無線通信機能を有するハンドヘルドデバイス、計算デバイス、無線モデムに接続された他の処理デバイス、車載デバイス、ウェアラブルデバイス、将来の5Gネットワークにおける端末デバイス、又は将来の進化型公衆陸上移動ネットワーク(public  land  mobile  network,  PLMN)における端末デバイスでもよい。これは、この出願の実施形態では限定されない。
【０１７８】
この出願の実施形態におけるネットワークデバイスは、端末デバイスと通信するように構成されたデバイスでもよい。ネットワークデバイスは、グローバル・システム・フォー・モバイル・コミュニケーションズ(global  system  of  mobile  communication,  GSM)又は符号分割多元接続(code  division  multiple  access,  CDMA)システムにおける基地送受信局(base  transceiver  station,  BTS)でもよく、或いは、広帯域符号分割多元接続(wideband  code  division  multiple  access,  WCDMA)システムにおけるノードB(NodeB,  NB)でもよく、或いは、LTEシステムにおける進化型ノードB(evolved  NodeB、eNB又はeNodeB)でもよく、或いは、クラウド無線アクセスネットワーク(cloud  radio  access  network,  CRAN)のシナリオにおける無線コントローラでもよい。代替として、ネットワークデバイスは、中継局、アクセスポイント、車載デバイス、ウェアラブルデバイス、将来の5Gネットワークにおけるネットワークデバイス、将来の進化型PLMNネットワークにおけるネットワークデバイス等でもよい。これは、この出願の実施形態では限定されない。
【０１７９】
この出願の実施形態では、端末デバイス又はネットワークデバイスは、ハードウェア層と、ハードウェア層の上で動作するオペレーティングシステム層と、オペレーティングシステム層の上で動作するアプリケーション層とを含む。ハードウェア層は、中央処理装置(central  processing  unit,  CPU)、メモリ管理ユニット(memory  management  unit,  MMU)及びメモリ(メインメモリとも呼ばれる)のようなハードウェアを含む。オペレーティングシステムは、プロセス(process)を使用することによりサービス処理を実現するいずれか1つ以上のコンピュータオペレーティングシステム、例えば、Linuxオペレーティングシステム、Unixオペレーティングシステム、Androidオペレーティングシステム、iOSオペレーティングシステム又はWindowsオペレーティングシステムでもよい。アプリケーション層は、ブラウザ、アドレス帳、ワードプロセッシングソフトウェア及びインスタント通信ソフトウェアのようなアプリケーションを含む。さらに、この出願の実施形態において提供される方法の実行主体の具体的な構造は、実行主体が、この出願の実施形態において提供される方法に従って通信を実行するように、この出願の実施形態において提供される方法のコードを記録するプログラムを実行できる限り、この出願の実施形態では具体的に限定されない。例えば、この出願の実施形態において提供される方法の実行主体は、端末デバイス若しくはネットワークデバイス、又は端末デバイス若しくはネットワークデバイスにおいてプログラムを呼び出し実行できる機能モジュールでもよい。
【０１８０】
理解を容易にするために、以下に、この出願のいくつかの概念について説明する。
【０１８１】
ダウンリンク制御情報(downlink  control  information,  DCI):ダウンリンク制御情報は、複数のフォーマット(format)を有し、異なる制御情報を示すために使用されてもよい。例えば、複数のタイプのDCIは、通信標準において以下のように定義される。
【０１８２】
DCI  format  0_0:端末デバイスのアップリンクデータをスケジューリングするために使用される。
【０１８３】
DCI  format  0_1:端末デバイスのアップリンクデータをスケジューリングするために使用される。
【０１８４】
DCI  format  1_0:端末デバイスのダウンリンクデータをスケジューリングするために使用される。
【０１８５】
DCI  format  1_1:端末デバイスのダウンリンクデータをスケジューリングするために使用される。
【０１８６】
DCI  format  2_0:スロットフォーマットを示すために使用される。
【０１８７】
DCI  format  2_1:中断した送信(interrupted  transmission)を示すために使用され、プリエンプション指示(pre-emption  indication)とも呼ばれる。
【０１８８】
DCI  format  2_2:PUCCH又は物理アップリンク共有チャネル(physical  uplink  shared  channel,  PUSCH)の送信電力制御(transmit  power  control,  TPC)コマンドを示すために使用される。
【０１８９】
DCI  format  2_3:サウンディング参照信号(sounding  reference  signal,  SRS)のTPCコマンドを示すために使用される。
【０１９０】
ここで、DCI  format  2_xは、グループ共通(group  common)物理ダウンリンク制御チャネル(physical  downlink  control  channel,  PDCCH)で搬送されてもよい。
【０１９１】
スリープ状態:端末デバイスがスリープ状態にあるとき、いくつかの回路がオフになってもよく、それにより、端末デバイスの電力消費を低減する。例えば、端末デバイスがスリープ状態にあるとき、端末デバイスはデータスケジューリングを実行しなくてもよく、すなわち、データを受信又は送信しなくてもよい。スリープ状態では、端末デバイスは、節電信号、すなわち、電力消費低減情報を示す信号を監視する必要がある。端末デバイスは、節電信号に基づいて、スリープ状態に保持するか否かを決定してもよく、すなわち、通常動作状態に切り替えるか否かを決定してもよい。
【０１９２】
通常動作状態:端末デバイスが通常動作状態にあるとき、端末デバイスは、データスケジューリングを実行してもよく、すなわち、データを受信又は送信してもよい。したがって、通常動作状態では、端末デバイスは、データスケジューリングに関連する制御信号を検出する必要がある。
【０１９３】
節電信号(power  saving  signal):節電信号は、電力消費低減情報を示す信号である。節電信号は、電力消費を低減するために使用されてもよい。通常では、節電信号は2つのタイプに分類される。一方はウェイクアップ信号(wake-up  signal)であり、ウェイクアップ信号の機能は、端末デバイスがスリープ状態にあるとき、端末デバイスが通常のデータ受信及び送信を実行するためにウェイクアップするまでの期間を端末デバイスに通知することである。他方は、スリープ移行信号(go-to-sleep  signal)であり、スリープ移行信号の機能は、端末デバイスが通常動作状態(すなわち、非スリープ状態)にあるとき、端末デバイスが電力消費を低減するためにスリープ状態に入ることができるまでの期間を端末デバイスに通知することである。節電信号は、2つの方式で具体的に実現されてもよい。第1の方式では、節電信号は、DCIに基づいて実現されてもよい。第1の方式の利点は、信頼性が高く、見逃し検出/誤検出の確率が低いことである。例えば、この出願では、節電信号を示すDCIは、DCI  format  3と呼ばれてもよい。第2の方式では、節電信号は、系列(sequence)又は参照信号(reference  signal,  RS)に基づいて実現されてもよい。第2の方式の利点は、DCIが設計される必要がなく、端末デバイスによりDCIをブラインドで検出する複雑さが増加しないことである。
【０１９４】
スロット構造:スロット構造は3つのタイプ、すなわち、ダウンリンク(downlink,  DL)、アップリンク(uplink,  UL)及びフレキシブル(flexible,  X)に分類される。端末デバイスは、スロット構造がDLとして示される時間内にのみダウンリンク信号を受信できる。端末デバイスは、スロット構造がULとして示される時間内にのみアップリンク信号を送信できる。端末デバイスは、スロット構造がXとして示される時間内にダウンリンク信号を受信し、アップリンク信号を送信できる。スロット構造は、2つの方法を使用することにより示されてもよい。第1の方法では、ネットワークデバイスは、RRCシグナリングを使用することにより端末デバイスのための半静的なスロット構造を構成する。スロット構造の有効時間は通常では比較的長く、すなわち、スロット構造は、短時間で他の構成に変更されず、周期的でもよい。第2の方法では、ネットワークデバイスは、動的なスロット構造を端末デバイスに示す。スロット構造の有効時間は通常では比較的短く、すなわち、スロット構造は、2_0のフォーマットの他のDCIを使用することにより、短時間で他のスロット構造に変更されてもよい。例えば、動的なスロット構造は、DCI  format  2_0を使用することにより示されてもよい。
【０１９５】
ブラインド検出(blind  detect,  BD):端末デバイスに送信されたDCIを受信したとき、端末デバイスは、ダウンリンク制御領域内で、端末デバイスに送信されたPDCCHをブラインドで検出する必要がある。具体的には、端末デバイスは、端末デバイスに送信されたPDCCH候補が存在するか否かを検査するために、多くのPDCCH候補(PDCCH  candidate)をリッスンする。DCIをブラインドで検出するプロセスにおいて、端末デバイスは、異なるDCI  formatをブラインドで検出する。異なるDCI  formatの長さは異なるので、端末デバイスは復号を複数回実行する必要がある。例えば、ブラインドで検出される必要があるDCI  formatは20ビット(bit)であり、ブラインドで検出される必要がある他のDCI  formatは30ビットである。同じ入力情報について、端末デバイスは、20ビットの出力結果長を使用することにより復号を1回実行し、次いで、30ビットの出力結果長を使用することにより復号を1回実行する。2つのDCI  formatの長さが同じである場合、2つのDCI  formatは、通常では異なる無線ネットワーク一時識別子(radio  network  temporary  identifier,  RNTI)を使用することによりスクランブルされる。この場合、異なるDCI  formatをブラインドで検出するプロセスにおいて、端末デバイスは、異なるフォーマットを別々にスクランブル解除する必要がある。上記の動作のため、端末デバイスによりブラインドで検出されるより多くのDCI  formatは、端末デバイスにより実行される必要があるより多くの復号/スクランブル解除動作と、端末デバイスのより高い電力消費とを生じる。
【０１９６】
図１は、この出願の実施形態による適用シナリオの概略図である。図１に示すように、適用シナリオは、端末デバイスと、ネットワークデバイスとを含んでもよい。端末デバイス及びネットワークデバイスの具体的な説明については、上記の関連する説明を参照する。一例では、端末デバイスは移動端末でもよく、ネットワークデバイスはアクセスネットワークデバイスでもよい。図１に示すように、端末デバイスは、ネットワークデバイスを使用することによりネットワークにアクセスしてもよく、端末デバイス及びネットワークデバイスは、無線リンクを使用することにより互いに通信してもよい。
【０１９７】
図２は、この出願の実施形態による信号監視方法の概略図である。図２における方法は、端末デバイス及びネットワークデバイスにより実行されてもよく、或いは、端末デバイスのチップ及びネットワークデバイスのチップにより実行されてもよい。以下に、当該方法が端末デバイス及びネットワークデバイスにより実行される例が説明に使用される。図２における方法は、以下のステップを含む。
【０１９８】
S201.端末デバイスはダウンリンク信号を受信し、対応して、ネットワークデバイスはダウンリンク信号を送信する。
【０１９９】
任意選択で、ダウンリンク信号は、ダウンリンクチャネル、例えば、PDCCHでもよい。代替として、ダウンリンク信号は、他のタイプのもの、例えば、参照信号又は系列でもよい。
【０２００】
S202.端末デバイスは、ダウンリンク信号内の第1のタイプの信号を監視し、第1のタイプの信号は電力消費低減情報を示すために使用される信号であり、端末デバイスは第1のタイプの信号を監視するときに第2のタイプの信号を監視せず、第2のタイプの信号はデータスケジューリングを示すために使用される信号である。対応して、ネットワークデバイスは、同じ間隔内に第1のタイプの信号及び第2のタイプの信号のうち1つのみを送信する。
【０２０１】
任意選択で、第1のタイプの信号は電力消費低減情報を示すために使用されてもよい。電力消費低減情報は、端末デバイスがスリープ状態に入ったとき、又は端末デバイスがスリープ状態からウェイクアップしたとき、又はスリープ状態に関連する他の制御シグナリングを示すために使用されてもよい。言い換えると、端末デバイスは、第1のタイプの信号の指示内容に基づいて、スリープ状態に関する動作、又はスリープ状態と通常動作状態との間の切り替えを実行してもよい。任意選択で、第1のタイプの信号は、上記の節電信号でもよい。第1のタイプの信号は、DCI、系列又は参照信号でもよい。
【０２０２】
電力消費低減情報は、複数の意味を含んでもよい。例えば、電力消費低減情報は、端末デバイスが第1の時間領域リソース長においてデータスケジューリングを実行しないことを示してもよく、或いは、端末デバイスが第2の時間領域リソース長の後にデータスケジューリングを実行できることを示してもよい。この出願のこの実施形態における時間領域リソース長の単位(例えば、第1の時間領域リソース長又は第2の時間領域リソース長)は、例えば、スロット、サブフレーム又はミリ秒(ms)でもよく、或いは、他の時間単位でもよい。これは、この出願では限定されない。例えば、第1の時間領域リソース長及び第2の時間領域リソース長は、1つ以上のスロット、1つ以上のサブフレーム又は1つ以上のミリ秒をそれぞれ示してもよい。
【０２０３】
さらに、この出願のこの実施形態における時間領域リソース長は、代替として、不連続受信(discontinuous  reception,  DRX)サイクルにより示されてもよい。例えば、DRXは、RRC接続(RRC_connected)モードの端末について構成されてもよい。具体的には、端末は、PDCCHを継続的に監視せず、オン持続時間(on  duration)にPDCCHを監視し、DRXの機会(opportunity  for  DRX)にPDCCHを監視せず、それにより、端末の電力消費を低減する。1つのオン持続時間及び1つのDRXの機会は、1つのDRXサイクルを構成する。
【０２０４】
電力消費低減情報は、データスケジューリングが1つ以上のDRXサイクルにおいて実行されないこと、すなわち、第1の時間領域リソース長及び第2の時間領域リソース長の単位がそれぞれ、DRXサイクル又はDRXオン持続時間でもよいことを直接示してもよい。
【０２０５】
さらに、この出願のこの実施形態における時間領域リソース長の単位(例えば、第1の時間領域リソース長又は第2の時間領域リソース長)は、代替として、ダウンリンク制御チャネル監視機会(PDCCH  monitoring  occasion)により示されてもよい。例えば、電力消費低減情報が、データスケジューリングが第1の時間領域リソース長において実行されないことを示すことは以下を含んでもよい。電力消費低減情報は、データスケジューリングが1つ以上のPDCCH  monitoring  occasionにおいて実行されないことを示してもよい。この場合、端末デバイスは、1つ以上のPDCCH  monitoring  occasionにおいて第2のタイプの信号を監視しない。他の例では、電力消費低減情報が、データスケジューリングが第2の時間領域リソース長の後に実行できることを示すことは以下を含む。電力消費低減情報は、データスケジューリングが1つ以上のPDCCH  monitoring  occasionの後に実行できることを示す。この場合、端末デバイスは、1つ以上のPDCCH  monitoring  occasionの後に第2のタイプの信号を監視し始める。
【０２０６】
PDCCH  monitoring  occasionは、ネットワークデバイスの構成に基づいて決定されてもよい。例えば、ネットワークデバイスは、端末デバイスのための1つ以上の探索空間(search  space)を構成し、端末デバイスは、探索空間の構成状態に基づいて、PDCCH  monitoring  occasionを決定する。
【０２０７】
例えば、図２２は、この出願の実施形態によるPDCCH  monitoring  occasionの概略図である。図２２に示すように、ネットワークデバイスが端末デバイスのための1つの探索空間のみを構成し、探索空間が探索空間0又は探索空間1でもよいと仮定する。探索空間0の監視周期は2つのスロットである。電力消費低減情報が、端末デバイスがその後の2つのPDCCH  monitoring  occasionにおいてデータスケジューリングを実行しないことを示す場合、これは、端末デバイスが4つのスロット内でデータスケジューリングを実行しないことと等価である。探索空間1の監視周期は1つのスロットである。電力消費低減情報が、端末デバイスがその後の2つのPDCCH  monitoring  occasionにおいてデータスケジューリングを実行しないことを示す場合、これは、端末デバイスが2つのスロット内で第2のタイプの信号を監視する必要がないことと等価である。
【０２０８】
他の例では、依然として図２２を参照すると、ネットワークデバイスが端末デバイスのための2つの探索空間を構成し、探索空間が探索空間0及び探索空間1であると仮定する。図２２に示すように、探索空間0の監視周期は2つのスロットであり、探索空間1の監視周期は1つのスロットである。この場合、端末デバイスにとって、電力消費低減情報の指示は異なる方式で理解されてもよい。対応して、ネットワークデバイスは、端末デバイスと同じ理解方式で信号を送信する必要がある。例えば、ネットワークデバイス及び端末デバイスは、信号を送信して信号を監視するために同じ理解方式を使用することに合意する必要がある。例えば、ネットワークデバイスは、監視を実行するために端末デバイスにより使用されるべき特定の理解方式を示すために、指示情報を端末デバイスに送信してもよい。指示情報は、明示的な指示情報又は暗示的な指示情報でもよい。指示情報は、事前に端末デバイスに送信されてもよく、或いは、電力消費低減情報で搬送されてもよい。これは、この出願のこの実施形態では限定されない。代替として、使用されるべき以下の特定の理解方式が、通信標準において指定されてもよい。
【０２０９】
第1の理解方式では、PDCCH  monitoring  occasionは、全ての探索空間のPDCCH  monitoring  occasionを示すことが理解されてもよい。言い換えると、PDCCH  monitoring  occasionは、全ての探索空間のPDCCH  monitoring  occasionの和集合を示す。例えば、依然として図２２を参照すると、端末デバイスは、スロット0〜スロット8のそれぞれにおいて探索空間0又は探索空間1を監視する必要がある。したがって、スロット0〜スロット8のそれぞれは、1つのPDCCH  monitoring  occasionを含む。電力消費低減情報が、端末デバイスがその後の2つのPDCCH  monitoring  occasionにおいてデータスケジューリングを実行しないことを示す場合、これは、端末デバイスが2つのスロット内で第2のタイプの信号を監視する必要がないことと等価である。
【０２１０】
第2の理解方式では、PDCCH  monitoring  occasionは、特定の探索空間のためのPDCCH  monitoring  occasionであることが理解されてもよい。例えば、PDCCH  monitoring  occasionが探索空間0のためのものであると仮定する。この場合、2つのスロット毎に1つのPDCCH  monitoring  occasionが存在する。電力消費低減情報が、端末デバイスがその後の2つのPDCCH  monitoring  occasionにおいてデータスケジューリングを実行しないことを示す場合、これは、端末デバイスが4つのスロット内で第2のタイプの信号を監視する必要がないことと等価である。同様に、PDCCH  monitoring  occasionが探索空間1のためのものであると仮定する。この場合、各スロットに1つのPDCCH  monitoring  occasionが存在する。電力消費低減情報が、端末デバイスがその後の2つのPDCCH  monitoring  occasionにおいてデータスケジューリングを実行しないことを示す場合、これは、端末デバイスが2つのスロット内で第2のタイプの信号を監視する必要がないことと等価である。
【０２１１】
上記の2つの実現方式では、同じPDCCH  monitoring  occasionが2つの探索空間の構成に基づいて取得され得る場合、2つの方法の結果は同じであることが理解されてもよい。
【０２１２】
さらに、第2の実現方式に基づいて、端末デバイスは、第2のタイプの信号を監視するとき或いは監視しないとき、端末デバイスは、特定の探索空間においてのみ第2のタイプの信号を監視してもよく或いは監視しなくてもよく、或いは、全ての探索空間において第2のタイプの信号を監視してもよく或いは監視しなくてもよい。例えば、依然として図２２を参照すると、PDCCH  monitoring  occasionが探索空間0のためのものであると仮定する。この場合、ネットワークデバイスは、電力消費低減情報を使用することにより、端末デバイスがその後の2つのPDCCH  monitoring  occasionにおいて第2のタイプの信号を受信しないことを示す。言い換えると、端末デバイスは、その後の4つのスロット内で第2のタイプの信号を監視する必要がない。ここでは2つの実現方式が存在する。第1の実現方式では、端末デバイスは、4つのスロット内の探索空間0内で第2のタイプの信号を監視しない。第2の実現方式では、端末デバイスは、4つのスロット内のいずれの探索空間内でも第2のタイプの信号を監視しない。
【０２１３】
第1のタイプの信号は、電力消費低減情報の異なる意味を示してもよい。例えば、第1のタイプの信号がDCIである場合、DCIに割り当てられた異なる値は、電力消費低減情報の異なる意味を示してもよい。一例では、表１は、DCIに割り当てられた値と電力消費低減情報の意味との間のマッピング関係を示す。
【０２１４】
【表１】
2021534645.tif 000003
【０２１５】
代替として、第1のタイプの信号が系列である場合、電力消費低減情報の異なる意味は異なる系列により示されてもよい。一例では、表２は、異なる系列と系列により示される電力消費低減情報の意味との間のマッピング関係を示す。
【０２１６】
【表２】
2021534645.tif 000004
【０２１７】
代替として、第1のタイプの信号が参照信号である場合、電力消費低減情報の異なる意味は異なる参照信号により示されてもよい。一例では、表３は、異なる参照信号と参照信号により示される電力消費低減情報の意味との間のマッピング関係を示す。
【０２１８】
【表３】
2021534645.tif 000005
【０２１９】
表１〜表３に記載の電力消費低減情報の意味は単なる例であり、電力消費低減情報は他の意味を有してもよい点に留意すべきである。これは、この出願では限定されない。さらに、表１〜表３における第1のタイプの信号と電力消費低減情報の意味との間のマッピング関係は単なる例であり、第1のタイプの信号と電力消費低減情報の意味との間に他のマッピング関係が存在してもよい。
【０２２０】
任意選択で、マッピング関係は予め定義されてもよく、或いは、ネットワークデバイスにより示されてもよい。例えば、ネットワークデバイスは、第3の指示情報を端末デバイスに送信してもよく、対応して、端末デバイスは、ネットワークデバイスから第3の指示情報を受信する。第3の指示情報は、マッピング関係を示すために使用される。例えば、第3の指示情報は半静的な指示情報でもよく、或いは、動的な指示情報でもよい。
【０２２１】
任意選択で、第2のタイプの信号はデータスケジューリングを示すために使用される信号でもよい。例えば、第2のタイプの信号はデータスケジューリングを示すために使用される制御シグナリングでもよい。言い換えると、端末デバイスは、第2のタイプの信号の指示内容に基づいてデータを受信又は送信してもよい。第2のタイプの信号は、通常ではDCIである。例えば、第2のタイプの信号は、上記のDCI  format  0_0、DCI  format  0_1、DCI  format  1_0又はDCI  format  1_1でもよい。
【０２２２】
第1のタイプの信号がDCIである場合、端末デバイスは、ブラインド検出を通じてダウンリンク信号内の第1のタイプの信号を監視してもよい。第1のタイプの信号が系列又は参照信号である場合、端末デバイスは、相関検出等を通じてダウンリンク信号内の第1のタイプの信号を監視してもよい。この出願は、相関検出に限定されず、代替として、他のアルゴリズムが系列又は参照信号を監視するために使用されてもよい。
【０２２３】
この出願のこの実施形態では、スリープ状態に入った後に、端末デバイスはデータスケジューリングを実行しない。したがって、端末デバイスは、電力消費低減情報を示す第1のタイプの信号のみを監視する必要があり、データスケジューリングを示す第2のタイプの信号を監視する必要はない。端末デバイスが通常動作状態にあるとき、端末デバイスは、第1のタイプの信号を監視する必要はなく、第2のタイプの信号を監視しさえすればよい。この出願のこの実施形態では、ネットワークデバイスは、第1のタイプの信号を送信するときに第2のタイプの信号を送信しない。したがって、端末デバイスは、第1のタイプの信号及び第2のタイプの信号を同時に監視する必要はない。この監視方式では、端末デバイスにより同時に監視される信号のタイプが低減でき、それにより、端末デバイスの電力消費を低減する。
【０２２４】
以下に、端末デバイスが通常動作状態からスリープ状態に切り替えるプロセスを示す。端末デバイスは、2つの方式で上記の切り替えを実行してもよい。
【０２２５】
第1の方式では、端末デバイスは、第2のタイプの信号が予め設定された第3の時間領域リソース長において検出されるか否かを決定し、第2のタイプの信号はデータスケジューリングを示すために使用される信号である。端末デバイスは、第2のタイプの信号が予め設定された第3の時間領域リソース長において検出されないときに第1のタイプの信号を監視し始め、第1のタイプの信号は電力消費低減情報を示すために使用される信号である。
【０２２６】
任意選択で、第3の時間領域リソース長は、時間領域リソース内で、端末デバイスが第2のタイプの信号を受信する位置から開始してもよい。例えば、第2のタイプの信号を受信した後に、端末デバイスは、新たな第2のタイプの信号が第2のタイプの信号の後の第3の時間領域リソース長において検出できるか否かを監視してもよい。端末デバイスが新たな第2のタイプの信号を検出しない場合、これは、ネットワークデバイスが第1のタイプの信号を送信し始めることを示す。したがって、端末デバイスは、第3の時間領域リソース長の後に、第1タイプの信号を直ちに監視し始めてもよい。対応して、第2のタイプの信号を送信した後に、ネットワークデバイスは、第3の時間領域リソース長だけ待機し、次いで、第1のタイプの信号を送信し始めてもよい。
【０２２７】
任意選択で、端末デバイスは、第2のタイプの信号を監視するときに第1のタイプの信号を監視しない。
【０２２８】
任意選択で、予め設定された第3の時間領域リソース長において第2のタイプの信号を検出するとき、端末デバイスは、第2のタイプの信号を監視し続けてもよく、第1のタイプの信号を監視しない。
【０２２９】
この出願のこの実施形態では、ネットワークデバイスが予め設定された第3の時間領域リソース長において第2のタイプの信号を送信しないとき、これは、ネットワークデバイスが第1のタイプの信号を送信すべきであることを示す。したがって、端末デバイスは、第3の時間領域リソース長の後に第1のタイプの信号を監視してもよく、ネットワークデバイスは、第1のタイプの信号を監視し始めることを示す指示情報を更に送信する必要はなく、それにより、シグナリングオーバヘッドを低減する。
【０２３０】
例えば、図３は、第1のタイプの信号を周期的に監視する具体的な概略図である。図３において、予め設定された第3の時間領域リソース長は3つの時間領域リソース単位であり、時間領域リソース単位はスロット又はミリ秒(ms)でもよく或いは他の時間単位でもよい。図３において、第1のタイプの信号がDCIである例が説明に使用される。しかし、図３における例はまた、第1のタイプの信号が系列又は参照信号である場合にも適用可能である。端末デバイスが、通常状態で3つの連続する時間領域リソース単位において、第2のタイプの信号、例えば、データをスケジューリングするためのDCIを検出しない場合、端末デバイスは、通常動作状態からスリープ状態に切り替える。端末デバイスは、第1のタイプの信号を周期的にブラインドで検出してもよい。例えば、第1のタイプの信号は電力消費低減情報を示すDCIでもよい。監視周期は、ネットワークデバイスにより構成されてもよい。
【０２３１】
図３に示すように、端末デバイスは、まず、ネットワークデバイスの構成に基づいてデータをスケジューリングするためのDCIを監視する。端末デバイスは、スロット0内で第2のタイプの信号、例えば、データをスケジューリングするためのDCIを検出し、次いで、次の3つの連続するスロット(スロット1〜スロット3)内で第2のタイプの信号を検出しない。スロット4から開始して、端末デバイスは第2のタイプの信号を監視するのを停止し、第1のタイプの信号、例えば、電力消費低減情報を示すDCIを監視し始める。
【０２３２】
第2の方式では、端末デバイスは、ネットワークデバイスから第2の指示情報を受信し、対応して、ネットワークデバイスは、端末デバイスから第2の指示情報を受信し、第2の指示情報は、第1のタイプの信号を監視し始めるように端末デバイスに指示し、第1のタイプの信号は電力消費低減情報を示すために使用される信号である。端末デバイスは、第2の指示情報を受信した後に第1のタイプの信号を監視し始め、端末デバイスは、第1のタイプの信号を監視するときに第2のタイプの信号を監視せず、第2のタイプの信号はデータスケジューリングを示すために使用される信号である。
【０２３３】
任意選択で、第2の指示情報は、以下のもの、すなわち、無線リソース制御(radio  resource  control,  RRC)シグナリング、媒体アクセス制御制御エレメント(media  access  control  control  element,  MAC  CE)及びDCIのうちいずれか1つで搬送される。
【０２３４】
この出願のこの実施形態では、端末デバイスは、第2の指示情報を受信した後に第1のタイプの信号を監視し始める。したがって、端末デバイスが第1のタイプの信号を監視し始める方式が提供され、それにより、通信効率を改善する。
【０２３５】
第2の指示情報を受信した後に、端末デバイスは、予め設定された期間の後に第1のタイプの信号を監視し始めてもよい。予め設定された期間は、いくつかのスロット、いくつかのミリ秒又はいくつかのDRXサイクルでもよい。例えば、端末デバイスはK個のスロットの後に通常状態からスリープ状態に切り替え、Kは0よりも大きい整数である。言い換えると、端末デバイスは、K個のスロットの前に第1のタイプの信号を監視せず、K個のスロットの後に第1のタイプの信号を監視する。これは、端末デバイスが、信号を受信した後にデータ処理を実行する必要があり、それにより、有効な情報を抽出し、有効な情報から、ネットワークデバイスが、端末デバイスが状態を切り替える必要があることを習得する。しかし、データ処理を実行するために何らかの時間を要する。予め設定された期間、例えば、Kの値は、通信標準において予め定義されてもよく、或いは、端末デバイスのためにネットワークデバイスにより予め構成されてもよく、或いは、端末デバイスの処理能力に基づいて決定されてもよい。端末デバイスは、事前に端末デバイスの処理能力をネットワークデバイスに報告してもよい。
【０２３６】
いくつかの例では、端末デバイスは、予め設定された期間の後に第1のタイプの信号を直ちに監視し始めてもよい。例えば、端末デバイスが、第1のタイプの信号を監視し始めることを示すために、スロット3において第2の指示情報を受信し、予め設定された期間が8(K=8)個のスロットである場合、端末デバイスは、スロット11内で第1のタイプの信号を監視し始める。端末デバイスが第1のタイプの信号を周期的に監視し、例えば、監視周期が5つのスロットである場合、端末デバイスは、スロット11及びスロット16のようなスロット内で第1のタイプの信号を周期的に監視してもよい。端末デバイスが、現在の第1のタイプの信号に基づいて、次の第1のタイプの信号を監視するための位置を決定する場合、端末デバイスは、スロット11において検出された第1のタイプの信号に基づいて、スロット11の後に次の第1のタイプの信号を監視するためのスロットを決定してもよい。
【０２３７】
いくつかの例では、周期的な監視の場合、端末デバイスは、監視のための予め設定された期間の後に、第1の周期的な利用可能な値を更に探索してもよい。例えば、監視周期が5つのスロットである場合、端末デバイスは、系列番号が5nであるスロット内で第1のタイプの信号を周期的に監視してもよく、すなわち、スロット0、スロット5及びスロット10のようなスロット内で監視を実行してもよく、nは0以上の整数である。端末デバイスが、第1のタイプの信号を監視し始めることを示すために、スロット3内で第2の指示情報を受信し、予め設定された期間が8(K=8)個のスロットである場合、端末デバイスは、スロット11から周期的な利用可能な値を探索し始め、次いで、スロット15内で第1のタイプの信号を監視し始める。
【０２３８】
いくつかの例において、第2の指示情報は、代替として、端末デバイスが時間領域リソース内で第1のタイプの信号を監視し始める位置を示してもよい。端末デバイスが、スロット13内で第1のタイプの信号を監視し始めることを示すために、スロット3内で第2の指示情報を受信した場合、端末デバイスは、スロット13から第1のタイプの信号を監視し始めてもよい。
【０２３９】
以下に、端末デバイスがスリープ状態で信号を監視するプロセスについて説明する。端末デバイスは、第1のタイプの信号を周期的に監視してもよく、或いは、第1のタイプの信号を非周期的に監視してもよい。対応して、ネットワークデバイスは、第1のタイプの信号を周期的に送信してもよく、或いは、第1のタイプの信号を非周期的に送信してもよい。
【０２４０】
端末デバイスが第1のタイプの信号を周期的に監視するとき、端末デバイスは、第1のタイプの信号の指示に従って、第1のタイプの信号を監視し続けること、又は第2のタイプの信号を監視し始めることを決定してもよい。言い換えると、端末デバイスは、スリープ状態を保持すること、又は通常動作状態に切り替えることを決定する。
【０２４１】
例えば、端末デバイスが第1のタイプの信号を周期的に監視することは、以下を含む。端末デバイスは第1の信号を検出し、第1の信号は、データスケジューリングがN個の周期又は第1のリソース長において実行されないことを示してもよく、Nは0よりも大きい整数である。この場合、端末デバイスは、N個の周期後の最初の周期において第1のタイプの信号を監視するか、或いは、第1の時間リソース長後の最初の周期において第1のタイプの信号を監視する。
【０２４２】
他の例では、端末デバイスが第1のタイプの信号を周期的に監視することは、以下を含む。端末デバイスは第1の信号を監視し、第1の信号は、データスケジューリングがM個の周期又は第2の時間リソース長の後に実行できることを示す。この場合、端末デバイスは、M個の周期の後に第2のタイプの信号を監視し始めるか、或いは、第2の時間リソース長の後に第2のタイプの信号を監視し始める。
【０２４３】
第1の時間リソース長又は第2の時間リソース長は、例えば、1つ以上のスロット、1つ以上のサブフレーム、1つ以上のミリ秒又は1つ以上のDRXサイクルでもよく、或いは、他の時間単位により表されてもよい。
【０２４４】
例えば、依然として図３を参照して、ネットワークデバイスにより構成される監視周期が3つのスロットであり、端末デバイスが3つのスロットを周期として使用することにより第2のタイプの信号を監視すると仮定する。端末デバイスは、スロット4内で第2のタイプの信号を検出し、第2のタイプの信号は、端末デバイスが第1のタイプの信号を周期的に監視するための次のスロットの前にデータスケジューリングを実行しないことを示す。言い換えると、端末デバイスは、第2のタイプの信号、例えば、データをスケジューリングするためのDCIを受信せず、すなわち、端末デバイスは、第1のタイプの信号を周期的に監視するための次のスロットの前にスリープ状態にあってもよい。したがって、端末デバイスは、スロット5及びスロット6内で第1のタイプの信号及び第2のタイプの信号を監視する必要はない。次いで、端末デバイスは、周期的な監視を実行するための次の位置、すなわち、スロット7内で第1のタイプの信号を監視する。スロット4内のものと同じ指示がスロット7内で受信された場合、端末デバイスは、スロット8及びスロット9内で第1のタイプの信号及び第2のタイプの信号を監視しない。次いで、端末デバイスは、スロット10内で第1のタイプの信号を検出し、第1のタイプの信号は、端末デバイスが2つのスロットの後にデータを送信するようにスケジューリングされてもよいことを示す。この場合、端末デバイスは、2つのスロット(すなわち、スロット12)の後に第2のタイプの信号を再監視し、第1のタイプの信号を監視するのを停止してもよい。
【０２４５】
第1のタイプの信号が非周期的に送信されるとき、次の監視対象の信号の時間領域リソースの位置は、現在の第1のタイプの信号により示されてもよい。例えば、端末デバイスがダウンリンク信号内の第1のタイプの信号を監視することは、以下を含んでもよい。端末デバイスは、第1のタイプの信号を検出し、第1の信号は第1のタイプの信号である。端末デバイスは、第1の信号に基づいて、時間領域リソース内の次の監視対象の信号の位置を決定してもよく、次の監視対象の信号は第1のタイプの信号又は第2のタイプの信号である。対応して、ネットワークデバイスにより送信されるダウンリンク信号は、第1の信号を含んでもよい。
【０２４６】
例えば、第1の信号が、データスケジューリングが第1の時間領域リソース長において実行されないことを示す場合、ネットワークデバイスは、第1の時間領域リソース長の後の位置において次の第1のタイプの信号を送信し始めてもよい。対応して、端末デバイスは、時間領域リソース内の第1の時間領域リソース長の後の位置から第1のタイプの信号を監視し始める。
【０２４７】
時間領域リソース内の第1の信号の位置が第1の位置であり、端末デバイスが、第1の時間領域リソース長の後の第1の位置の後の位置において次の第1のタイプの信号を監視し始めてもよいと仮定する。
【０２４８】
例えば、第1の信号が、データスケジューリングが第2の時間領域リソース長の後に実行できることを示す場合、ネットワークデバイスは、第2の時間領域リソース長の後の位置において第2のタイプの信号を送信し始めてもよい。対応して、端末デバイスは、時間領域リソース内の第2の時間領域リソース長の後の位置から第2のタイプの信号を監視し始める。
【０２４９】
時間領域リソース内の第1の信号の位置が第1の位置であり、端末デバイスが、第2の時間領域リソース長の後の第1の位置の後の位置において第2のタイプの信号を監視し始めてもよいと仮定する。
【０２５０】
例えば、図４は、第1のタイプの信号を非周期的に監視する具体的な概略図である。図４において端末デバイスが通常動作状態からスリープ状態に切り替える方式は、図３の方式と同様である。具体的には、端末デバイスが、通常動作状態で3つの連続するスロットにおいて、第2のタイプの信号、例えば、データをスケジューリングするためのDCIを検出しない場合、端末デバイスは、通常動作状態からスリープ状態に切り替える。図４に示すように、端末デバイスは、スロット4内で第1のタイプの信号を検出し、第1のタイプの信号は、端末デバイスが現在のスロットを含む次の2つのスロット内でデータスケジューリングを実行しないことを示す。言い換えると、端末デバイスは、第2のタイプの信号、例えば、データをスケジューリングするためのDCIを受信せず、すなわち、端末デバイスは、現在のスロットを含む次の2つのスロット内でスリープ状態にある。したがって、端末デバイスは、スロット5内で第1のタイプの信号を監視しない。次いで、端末デバイスは、スロット6内で第1のタイプの信号を検出し、第1のタイプの信号は、端末デバイスが現在のスロットを含む次の5つのスロット内でデータスケジューリングを実行しないことを示す。したがって、端末デバイスは、スロット7、スロット8、スロット9及びスロット10内で第1のタイプの信号を監視しない。次いで、端末デバイスは、スロット11内で第1のタイプの信号を検出し、第1のタイプの信号は、端末デバイスが1つのスロット後にデータを送信するようにスケジューリングされてもよいことを示す。したがって、端末デバイスは、スロット12から第2のタイプの信号を監視し始める。
【０２５１】
以下に、競合又は例外がシステム内で発生したときに、端末デバイスが信号を監視するプロセスについて説明し続ける。競合がシステム内で発生することは、端末デバイスが、時間領域リソース内の第1の位置がアップリンク位置であるが、第1の位置が次の監視対象の第1のタイプの信号に使用される所定の位置であることを示す指示情報を受信することを意味してもよい。したがって、端末デバイスは、第1の位置において第1のタイプの信号を監視できない。例外がシステム内で発生することは、端末デバイスが第1のタイプの信号の所定の位置において監視対象の第1のタイプの信号を検出しないことを意味してもよい。
【０２５２】
或る方式では、端末デバイスが第1のタイプの信号を周期的に監視する場合、第1のタイプの信号を監視するための所定の第1の位置がスロット構造又はアップリンク・ダウンリンク構成と競合するとき、ネットワークデバイスは、デフォルトで、データスケジューリングが第1の位置の後の1つの周期において実行されないことをネットワークデバイスが示すと考えてもよい。対応して、ネットワークデバイスが、データスケジューリングが第1の位置の後の1つの周期において実行されないと決定した場合、ネットワークデバイスは、データスケジューリングが1つの周期において実行されないことを端末デバイスに暗示的に示すために、アップリンク位置として、第1のタイプの信号を周期的に監視するための所定の第1の位置を構成してもよく、端末デバイスはスリープ状態に留まり続けてもよい。
【０２５３】
例えば、端末デバイスは、第1の指示情報を受信し、第1の指示情報は、時間領域リソース内の第1の位置がアップリンク位置であることを示し、第1の位置は第1のタイプの信号を周期的に監視するための位置である。端末デバイスは、第1の位置と第1のタイプの信号を周期的に監視するための次の位置との間の位置において第1のタイプの信号を監視しないと決定する。代替として、端末デバイスは、第1の位置と第1のタイプの信号を周期的に監視するための次の位置との間の位置において第1のタイプの信号も第2のタイプの信号も監視しなくてもよい。第1のタイプの信号を周期的に監視するための次の位置は、第1の位置の後に第1のタイプの信号を周期的に監視するための次の位置である。
【０２５４】
図５は、この出願の他の実施形態に従って第1のタイプの信号を周期的に監視するための方法のプロセスの概略図である。図５において端末デバイスが通常動作状態からスリープ状態に切り替える方式は、図３の方式と同様である。具体的には、端末デバイスが、通常動作状態で3つの連続するスロットにおいて、第2のタイプの信号、例えば、データをスケジューリングするためのDCIを検出しない場合、端末デバイスは、通常動作状態からスリープ状態に切り替える。図５における例は、主に、信号を周期的に監視するための位置がスロット構造又はアップリンク・ダウンリンク構成と競合する場合に焦点を当てる。端末デバイスは、デフォルトで、第1のタイプの信号を周期的に監視するための次のスロットの前に、ネットワークデバイスがデータスケジューリングを実行するように端末デバイスに指示しない、すなわち、端末デバイスが常にスリープ状態にあってもよいと考える。したがって、端末デバイスは、第1のタイプの信号を周期的に監視するための次のスロットの前に第1のタイプの信号を監視しなくてもよい。
【０２５５】
図５に示すように、端末デバイスが3つのスロットを周期として使用することにより第1のタイプの信号を監視すると仮定する。スロット4が第1のタイプの信号を周期的に監視するための所定の位置であり、第1の指示情報が、スロット4内で端末デバイスが第1のタイプの信号を監視する位置がアップリンク位置であることを示すと仮定すると、端末デバイスは、スロット4内で第1のタイプの信号を監視できない。この場合、端末デバイスは、第1のタイプの信号を周期的に監視するための次の位置(すなわち、スロット7)の前に第1のタイプの信号を監視せず、デフォルトで、ネットワークデバイスがスロット7の前にデータを送信するように端末デバイスをスケジューリングしないと考える。したがって、端末デバイスは、スロット5及びスロット6内で第1のタイプの信号を監視せず、スロット7まで第1のタイプの信号を監視する。対応して、ネットワークデバイスはまた、第1のタイプの信号がスロット4内で端末デバイスに送信できないことを認識している。したがって、ネットワークデバイスもまた同じルールに従い、スロット7まで第1のタイプの信号を端末デバイスに送信する。
【０２５６】
他の方式では、第1のタイプの信号を監視するための所定の第1の位置が、スロット構造又はアップリンク・ダウンリンク構成と競合するとき、ネットワークデバイスは、第1の位置の後に第1のタイプの信号を送信してもよい。対応して、端末デバイスは、第1の位置の後に第1のタイプの信号を監視してもよい。
【０２５７】
例えば、端末デバイスが第1のタイプの信号を周期的に監視する場合、ネットワークデバイスは第1の指示情報を送信してもよく、対応して、端末デバイスは第1の指示情報を受信してもよい。第1の指示情報は、時間領域リソース内の第1の位置がアップリンク位置であることを示し、第1の位置は、第1のタイプの信号を周期的に送信するための位置である。ネットワークデバイスは、時間領域リソース内の第2の位置において第1のタイプのデータを送信し、第2の位置は、第1の位置と第1のタイプの信号を周期的に送信するための次の位置との間に位置する。対応して、端末デバイスは、第1の位置の後の少なくとも1つの第2位置において第1のタイプの信号を監視してもよい。任意選択で、端末デバイスは、第1のタイプの信号が検出されるまで、或いは、第1のタイプの信号を周期的に監視するための次の位置が検出されるまで、第1の位置の後の少なくとも1つの第2の位置において第1のタイプの信号を逐次的に監視してもよい。
【０２５８】
他の例では、端末デバイスが第1のタイプの信号を非周期的に監視する場合、ネットワークデバイスは第1の指示情報を送信してもよく、対応して、端末デバイスは第1の指示情報を受信してもよい。第1の指示情報は、時間領域リソース内の第1の位置がアップリンク位置であることを示し、第1の位置は、第1の信号に基づいて決定される次の監視対象の信号の位置であり、次の監視対象の信号は、第1のタイプの信号である。ネットワークデバイスは、時間領域リソース内の第2の位置において第1のタイプの信号を送信し、第2の位置は、第1の位置の後に位置する。対応して、端末デバイスは、第1の位置の後の少なくとも1つの位置において第1のタイプの信号を監視してもよい。任意選択で、端末デバイスは、第1のタイプの信号が検出されるまで、第1の位置の後の少なくとも1つの第2の位置において第1のタイプの信号を逐次的に監視してもよい。
【０２５９】
第1の指示情報は、システムのスロット構造及び/又はアップリンク・ダウンリンク構成を示すために使用されるシグナリングでもよい。例えば、第1の指示情報は、第1の位置がアップリンクスロットであることを示してもよく、或いは、第1の位置がアップリンク位置であることを示してもよい。第1の指示情報は、半静的に構成されたシグナリング又はスロット構造を動的に示すシグナリングでもよい。
【０２６０】
第2の位置は、ダウンリンク位置又はフレキシブル位置でもよい。いくつかの例では、端末デバイスは、第1のタイプの信号が検出されるまで、第1の位置の後の少なくとも1つの第2の位置において第1のタイプの信号を監視し続け、信号を監視するためのより長い時間は、端末デバイスのより高い電力消費を示す。したがって、ネットワークデバイスは、第1のタイプの信号を可能な限り第1の位置に最も近い第2の位置において送信してもよく、それにより、端末デバイスは、できるだけ早く第1のタイプの信号を検出し、それにより、端末デバイスの電力消費を低減する。
【０２６１】
例えば、図６(Ａ)及び図６(Ｂ)は、この出願の他の実施形態に従って第1のタイプの信号を周期的に監視するプロセスの概略図である。図６(Ａ)及び図６(Ｂ)において端末デバイスが通常動作状態からスリープ状態に切り替える方式は、図３の方式と同様である。具体的には、端末デバイスが、通常状態で3つの連続するスロットにおいて、第2のタイプの信号、例えば、データをスケジューリングするためのDCIを検出しない場合、端末デバイスは、通常動作状態からスリープ状態に切り替える。図６(Ａ)及び図６(Ｂ)における例はまた、信号を周期的に監視するための位置がスロット構造又はアップリンク・ダウンリンク構成と競合する場合に焦点を当てる。この場合、端末デバイスは、第1のタイプの信号を周期的に監視するための次の位置の前に競合しない第2の位置を求めて後方に探索し、第2の位置において第1のタイプの信号をブラインドで検出してもよい。例えば、第2の位置は、競合する位置の後の最も近いダウンリンク又はフレキシブルスロットでもよい。
【０２６２】
図６(Ａ)及び図６(Ｂ)に示すように、第1のタイプの信号が3つのスロットを周期として使用することにより監視されると仮定する。スロット4が第1のタイプの信号を周期的に監視するための所定の位置であり、第1の指示情報が、スロット4内で端末デバイスが第1のタイプの信号を監視する位置がアップリンク位置であることを示すと仮定すると、端末デバイスは、スロット4内で第1のタイプの信号を監視できない。この場合、端末デバイスは、第1のタイプの信号を周期的に監視するための次の位置の前に、半静的に構成されたか或いは動的に示されたスロット構造と競合しない最も近いスロットを求めて後方に探索し、スロット内で第1のタイプの信号をブラインドで検出してもよい。図６(Ａ)及び図６(Ｂ)に示すように、スロット5のスロット構造は、半静的に構成されたか或いは動的に示されたスロット構造と競合しない。したがって、端末デバイスは、スロット5内で第1のタイプの信号をブラインドで検出してもよい。ネットワークデバイスはまた、第1のタイプの信号として機能するDCIがスロット4内で端末デバイスに送信できないことを認識している。したがって、ネットワークデバイスもまた同じルールに従い、スロット5内で第1のタイプの信号として機能するDCIを端末デバイスに送信する。
【０２６３】
他の例では、図７(Ａ)及び図７(Ｂ)は、この出願の他の実施形態に従って第1のタイプの信号を非周期的に監視するプロセスの概略図である。図７(Ａ)及び図７(Ｂ)において端末デバイスが通常動作状態からスリープ状態に切り替える方式は、図３の方式と同様である。具体的には、端末デバイスが、通常状態で3つの連続するスロットにおいて、第2のタイプの信号、例えば、データをスケジューリングするためのDCIを検出しない場合、端末デバイスは、通常動作状態からスリープ状態に切り替える。さらに、図４における例と同様に、端末デバイスは、第1のタイプの信号内の指示に従って、第1のタイプの信号を監視するための次の位置を決定する。図７(Ａ)及び図７(Ｂ)における例は、主に、第1のタイプの信号を監視するための位置がスロット構造又はアップリンク・ダウンリンク構成と競合する場合に焦点を当てる。この場合、端末デバイスは、競合しない第2の位置を求めて後方に探索し、第2の位置において第1のタイプの信号をブラインドで検出してもよい。例えば、第2の位置は、競合する位置の後の最も近いダウンリンク又はフレキシブルスロットでもよい。
【０２６４】
図７(Ａ)及び図７(Ｂ)において、スロット4が第1のタイプの信号を監視するための所定の位置であり、第1の指示情報が、スロット4内で端末デバイスが第1のタイプの信号を監視する位置がアップリンク位置であることを示すと仮定すると、端末デバイスは、スロット4内で第1のタイプの信号を監視できない。この場合、端末デバイスは、半静的に構成されたか或いは動的に示されたスロット構造と競合しない最も近いスロットを求めて後方に探索し、スロット内で第1のタイプの信号をブラインドで検出してもよい。図７(Ａ)及び図７(Ｂ)に示すように、スロット5のスロット構造は、半静的に構成されたか或いは動的に示されたスロット構造と競合しない。したがって、端末デバイスは、スロット5内で第1のタイプの信号をブラインドで検出する。ネットワークデバイスはまた、第1のタイプの信号として機能するDCIがスロット4内で端末デバイスに送信できないことを認識している。したがって、ネットワークデバイスもまた同じルールに従い、スロット5内で第1のタイプの信号として機能するDCIを端末デバイスに送信する。
【０２６５】
端末デバイスが、少なくとも1つの第2位置において第1のタイプの信号を検出したとき、第2の位置における第1のタイプの信号の意味は、2つの理解方法を使用することにより理解される点に留意すべきである。第1の理解方法では、第1のタイプの信号が検出された位置が基準として使用される。図６(Ａ)又は図７(Ａ)に示すように、スロット5内で端末デバイスにより検出された第1のタイプの信号は、「スケジューリングが2つのスロットの後に実行されてもよい」ことを示す。この場合、端末デバイスは、現在のスロット5を基準として使用することにより、スロット7内で第2のタイプの信号を監視し始める。第2の理解方法では、第1のタイプの信号が監視されるべきであった第1の位置が基準として使用される。図６(Ｂ)又は図７(Ｂ)に示すように、スロット5内で端末デバイスにより検出された第1のタイプの信号は、「スケジューリングが3つのスロットの後に実行されてもよい」ことを示す。この場合、端末デバイスは、スロット4を基準として使用することにより、スロット7内で第2のタイプの信号を監視し始める。
【０２６６】
以下に、端末デバイスが第1のタイプの信号を検出しない場合について説明する。端末デバイスが所定の位置において第1のタイプの信号を検出しないとき、端末デバイスは、第2のタイプの信号を監視し始めるために、直ちにスリープ状態から通常動作状態に切り替えてもよい。
【０２６７】
例えば、端末デバイスは、ダウンリンク信号内の第1のタイプの信号を監視し、対応して、ネットワークデバイスは、ダウンリンク信号を送信し、第1のタイプの信号は電力消費低減情報を示すために使用される信号である。端末デバイスは、第1のタイプの信号が時間領域リソース内の第1の位置において検出されないと決定し、第1の位置は第1のタイプの信号を監視するための所定の位置である。端末デバイスは、時間領域リソース内の第3の位置から第2のタイプの信号を監視し始め、第2のタイプの信号はデータスケジューリングを示すために使用される信号であり、第3のタイプの信号は第1の位置の後に位置する。
【０２６８】
第1のタイプの信号が検出されない第1の位置は第1のタイプの信号を周期的に監視するための位置でもよく、或いは、第1のタイプの信号を非周期的に監視するための位置でもよい。例えば、端末デバイスは、現在受信された第1の信号に基づいて、次の監視対象の第1のタイプの信号の位置が第1の位置であると決定してもよい。
【０２６９】
この出願のこの実施形態では、端末デバイスが所定の位置において第1のタイプの信号を検出しないとき、端末デバイスは、第1の位置の後に第2のタイプの信号を直ちに監視してもよく、言い換えると、スリープ状態から通常動作状態に直ちに切り替えてもよく、それにより、信号の見逃し検出を回避し、それにより、通信効率を改善する。
【０２７０】
図８は、この出願の他の実施形態に従って第1のタイプの信号を周期的に監視するプロセスの概略図である。図８における例は、第1のタイプの信号を周期的に監視するシナリオに適用可能であり、また、第1のタイプの信号を非周期的に監視するシナリオにも適用可能である。図８において端末デバイスが通常動作状態からスリープ状態に切り替える方式は、図３の方式と同様である。具体的には、端末デバイスが、通常状態で3つの連続するスロットにおいて、第2のタイプの信号、例えば、データをスケジューリングするためのDCIを検出しない場合、端末デバイスは、通常動作状態からスリープ状態に切り替える。図８における例は、主に、端末デバイスが第1のタイプの信号を検出しない場合に焦点を当てる。この場合、端末デバイスは、直ちに通常動作状態に切り替え、第2のタイプの信号を監視し始めてもよく、それにより、信号の見逃し検出を回避する。
【０２７１】
図８に示すように、端末デバイスは、スロット4内で第1のタイプの信号を検出し、端末デバイスが現在のスロットを含む次の3つのスロット内でデータを送信するようにスケジューリングされていないことを通知される。端末デバイスが第1のタイプの信号を周期的に監視する場合、周期が3つのスロットとして構成され、第1のタイプの信号を監視するための次の位置がスロット7であると仮定する。端末デバイスが第1のタイプの信号を非周期的に監視する場合、端末デバイスは、スロット4内の第1のタイプの信号に基づいて、第1のタイプの信号を監視するための次の位置がスロット7であると決定してもよい。したがって、端末デバイスは、スロット5及びスロット6内で第1のタイプの信号を監視せず、スロット7内で第1のタイプの信号を監視する。端末デバイスがスロット7内で第1のタイプの信号を検出しない場合、端末デバイスは、次のスロット(すなわち、スロット8)から第2のタイプの信号を監視し始め、第1のタイプの信号を監視するのを停止する。言い換えると、端末デバイスはスリープ状態から通常動作状態に切り替える。端末デバイスが所定の監視位置において第1のタイプの信号を検出しない理由は、チャネル状態が悪いことでもよい。例えば、ネットワークデバイスは第1のタイプの信号を送信するが、端末デバイスは第1のタイプの信号を正しく受信しない。この場合、端末デバイスは、端末デバイスが第2のタイプの信号を監視し始めることをネットワークデバイスが期待するか否かを決定できない。データをスケジューリングするための可能な情報の欠落を防止するために、端末デバイスは、直ちに第2のタイプの信号を監視し始める必要がある。
【０２７２】
以下に、図９を参照して、この出願の他の実施形態による信号監視方法について説明する。当該方法は、端末デバイス及びネットワークデバイスにより実行されてもよく、或いは、当該方法は、端末デバイスのチップ又はネットワークデバイスのチップにより実行されてもよい。以下に、当該方法が端末デバイス及びネットワークデバイスにより実行される例が説明のための例として使用される。図９における方法にあり且つ上記の内容と同一又は同様の内容については、上記の対応する内容を参照する。詳細は、ここでは再び説明しない。信号監視方法は、以下のステップを含む。
【０２７３】
S901.端末デバイスは、ダウンリンク信号内の第2の信号を検出し、対応して、ネットワークデバイスは、ダウンリンク信号を端末デバイスに送信し、第2の信号は第1のタイプの信号であり、第1のタイプの信号は電力消費低減情報を示すために使用される信号である。
【０２７４】
S902.端末デバイスは、第2の信号及び第1のタイプの信号と電力消費低減情報の意味との間のマッピング関係に基づいて、第2の信号により示される電力消費低減情報の意味を決定する。
【０２７５】
第1のタイプの信号は、DCI、系列又は参照信号でもよい。第1のタイプの信号は、電力消費低減情報の異なる意味を示してもよい。第1のタイプの信号と電力消費低減情報の異なる意味との間にマッピング関係が存在する。一例として、表１〜表３は、第1のタイプの信号と電力消費低減情報の意味との間のマッピング関係を概略的に示す。表１〜表３に示すように、例えば、第1のタイプの信号がDCIである場合、DCIに割り当てられた異なる値は、電力消費低減情報の異なる意味を示してもよい。代替として、第1のタイプの信号が系列である場合、電力消費低減情報の異なる意味は異なる系列により示されてもよい。代替として、第1のタイプの信号が参照信号である場合、電力消費低減情報の異なる意味は異なる参照信号により示されてもよい。
【０２７６】
任意選択で、電力消費低減情報の意味は、以下のこと、すなわち、データスケジューリングが第1の時間領域リソース長において実行されないこと、及びデータスケジューリングが第2の時間領域リソース長の後に実行できることのうち少なくとも1つを含む。第1のタイプの信号の他の具体的な説明については、上記の関連する内容を参照する。詳細は、ここでは再び説明しない。
【０２７７】
任意選択で、第1の時間領域リソース長又は第2の時間領域リソース長は、以下のもの、すなわち、1つ以上のスロット、1つ以上のサブフレーム、1つ以上のミリ秒及び1つ以上のDRXサイクルのうちいずれか1つである。
【０２７８】
任意選択で、マッピング関係は予め定義されてもよく、或いは、ネットワークデバイスにより示されてもよい。例えば、ネットワークデバイスは、第3の指示情報を端末デバイスに送信してもよく、対応して、端末デバイスは、ネットワークデバイスから第3の指示情報を受信する。第3の指示情報は、マッピング関係を示すために使用される。言い換えると、ネットワークデバイスは、第3の指示情報を使用することにより、事前に第1のタイプの信号と意味との間のマッピング関係を端末デバイスに示してもよい。ネットワークデバイスは、マッピング関係を明示的に示してもよく、或いは、マッピング関係を暗示的に示してもよい。
【０２７９】
例えば、第3の指示情報は半静的な指示情報でもよく、或いは、動的な指示情報でもよい。
【０２８０】
この出願のこの実施形態では、端末デバイスは、第1のタイプの信号と電力消費低減情報の意味との間のマッピング関係に基づいて、検出された第2の信号により示される意味を決定してもよく、それにより、通信効率を改善する。
【０２８１】
この出願における第1のタイプの信号は、電力消費低減情報の1つ以上の意味を示してもよい。端末デバイスは、異なる意味に基づいて信号を監視してもよく或いは他の動作を実行してもよく、それにより、第1のタイプの信号がより多くの情報内容を示すことができ、それにより、通信効率を改善する。
【０２８２】
任意選択で、第3の指示情報はRRCシグナリングで搬送されてもよい。
【０２８３】
図１０は、この出願の他の実施形態による信号監視方法の概略フローチャートである。図１０における方法は、端末デバイスが通常動作状態からスリープ状態に入るプロセスを記述する。図１０における方法にあり且つ上記の内容と同一又は同様の内容については、上記の対応する内容を参照する。詳細は、ここでは再び説明しない。図１０に示すように、当該方法は、以下のステップを含む。
【０２８４】
S1001.端末デバイスは、第2のタイプの信号が予め設定された第3の時間領域リソース長において検出されるか否かを決定し、第2のタイプの信号はデータスケジューリングを示すために使用される信号である。
【０２８５】
S1002.端末デバイスは、端末デバイスが予め設定された第3の時間領域リソース長において第2のタイプの信号を検出しないとき、第1のタイプの信号を監視し始め、第1のタイプの信号は電力消費低減情報を示すために使用される信号である。
【０２８６】
任意選択で、第3の時間領域リソース長は、時間領域リソース内で、端末デバイスが第2のタイプの信号を受信する位置から開始してもよい。例えば、第2のタイプの信号を受信した後に、端末デバイスは、新たな第2のタイプの信号が第2のタイプの信号の後の第3の時間領域リソース長において検出できるか否かを監視してもよい。端末デバイスが新たな第2のタイプの信号を検出しない場合、これは、ネットワークデバイスが第1のタイプの信号を送信し始めることを示す。したがって、端末デバイスは、第3の時間領域リソース長の後に、第1タイプの信号を直ちに監視し始めてもよい。対応して、第2のタイプの信号を送信した後に、ネットワークデバイスは、第3の時間領域リソース長だけ待機し、次いで、第1のタイプの信号を送信し始めてもよい。
【０２８７】
任意選択で、端末デバイスは、第2のタイプの信号を監視するときに第1のタイプの信号を監視しない。
【０２８８】
任意選択で、予め設定された第3の時間領域リソース長において第2のタイプの信号を検出するとき、端末デバイスは、第1のタイプの信号を監視しない。
【０２８９】
この出願のこの実施形態では、ネットワークデバイスが予め設定された第3の時間領域リソース長において第2のタイプの信号を送信しないとき、これは、ネットワークデバイスが第1のタイプの信号を送信すべきであることを示す。したがって、端末デバイスは、第3の時間領域リソース長の後に第1のタイプの信号を監視してもよく、ネットワークデバイスは、第1のタイプの信号を監視し始めることを示す指示情報を更に送信する必要はなく、それにより、シグナリングオーバヘッドを低減する。
【０２９０】
図１１は、この出願の他の実施形態による信号監視方法の概略フローチャートである。図１１における方法は、端末デバイスが通常動作状態からスリープ状態に入るプロセスを記述する。簡潔にするために、上記の内容と同一又は同様の内容である図１１における内容又は概念は、ここでは再び説明しない。図１１に示すように、当該方法は、以下のステップを含む。
【０２９１】
S1101.端末デバイスは、ネットワークデバイスから第2の指示情報を受信し、対応して、ネットワークデバイスは、第2の指示情報を端末デバイスに送信し、第2の指示情報は、第1のタイプの信号を監視し始めるように端末デバイスに指示し、第1のタイプの信号は電力消費低減情報を示すために使用される信号である。
【０２９２】
S1102.端末デバイスは、第2の指示情報を受信した後に、第1のタイプの信号を監視し始め、端末デバイスは、第1のタイプの信号を監視するときに第2のタイプの信号を監視せず、第2のタイプの信号はデータスケジューリングを示すために使用される信号である。
【０２９３】
任意選択で、第2の指示情報は、以下のもの、すなわち、RRCシグナリング、MAC  CE及びDCIのうちいずれか1つで搬送される。
【０２９４】
この出願のこの実施形態では、端末デバイスは、第2の指示情報を受信した後に、第1のタイプの信号を監視し始める。したがって、端末デバイスが第1のタイプの信号を監視し始める方式が提供され、それにより、通信効率を改善する。
【０２９５】
図１２は、この出願の他の実施形態による信号監視方法を示す。図１２における方法は、第1のタイプの信号を監視するための位置がスロット構造又はアップリンク・ダウンリンク構成と競合するときの信号監視方法である。簡潔にするために、上記の内容と同一又は同様の内容である図１２における内容又は概念は、ここでは再び説明しない。図１２に示すように、当該方法は、以下のステップを含む。
【０２９６】
S1201.端末デバイスは、第1の指示情報を受信し、対応して、ネットワークデバイスは、第1の指示情報を送信し、第1の指示情報は、時間領域リソース内の第1の位置がアップリンク位置であることを示し、第1の位置は第1のタイプの信号を監視するための所定の位置であり、第1のタイプの信号は電力消費低減情報を示すために使用される信号である。
【０２９７】
S1202.端末デバイスは、時間領域リソース内の少なくとも1つの第2の位置において第1のタイプのデータを監視し、少なくとも1つの第2の位置は第1の位置の後に位置する。
【０２９８】
第1の位置は第1のタイプの信号を周期的に監視するための位置でもよく、或いは、第1のタイプの信号を非周期的に監視するための位置でもよい。
【０２９９】
いくつかの例では、周期的な監視の場合、第1の位置は第1のタイプの信号を周期的に監視するための位置であり、少なくとも1つの第2の位置は、第1の位置と第1のタイプの信号を周期的に監視するための次の位置との間に位置する。
【０３００】
いくつかの例では、非周期的な監視の場合、図１２における方法は、端末デバイスにより、第1の信号を検出し、第1の信号は第1のタイプの信号であり、端末デバイスにより、第1の信号に基づいて、次の監視対象の第1のタイプの信号の位置が第1の位置であると決定することを更に含む。
【０３０１】
この出願のこの実施形態では、第1のタイプの信号を監視するための位置がスロット構造又はアップリンク・ダウンリンク構成と競合するとき、端末デバイスは、時間領域リソース内の第1の位置の後の位置において第1のタイプのデータを監視してもよく、それにより、競合シナリオにおける解決策を提供し、それにより、監視効率を改善する。
【０３０２】
図１３は、この出願の他の実施形態による信号監視方法を示す。図１３における方法は、第1のタイプの信号を監視するための位置がスロット構造又はアップリンク・ダウンリンク構成と競合するときの信号監視方法である。簡潔にするために、上記の内容と同一又は同様の内容である図１３における内容又は概念は、ここでは再び説明しない。図１３に示すように、当該方法は、以下のステップを含む。
【０３０３】
S1301.端末デバイスは、第1の指示情報を受信し、対応して、ネットワークデバイスは、第1の指示情報を送信し、第1の指示情報は、時間領域リソース内の第1の位置がアップリンク位置であることを示し、第1の位置は第1のタイプの信号を周期的に監視するための位置であり、第1のタイプの信号は電力消費低減情報を示すために使用される信号である。
【０３０４】
S1302.端末デバイスは、第1の位置と第1のタイプの信号を周期的に監視するための次の位置との間の位置において第1のタイプの信号を監視しないと決定する。
【０３０５】
この出願のこの実施形態では、第1のタイプの信号を監視するための位置がスロット構造又はアップリンク・ダウンリンク構成と競合するとき、端末デバイスは、時間領域リソース内の第1の位置の後の位置において第2のタイプのデータを監視し始めてもよく、それにより、信号の見逃し検出を回避し、それにより、監視効率を改善する。
【０３０６】
図１４は、この出願の他の実施形態による信号監視方法を示す。図１４における方法は、第1のタイプの信号が所定の位置において検出されないときの信号監視方法である。簡潔にするために、上記の内容と同一又は同様の内容である図１４における内容又は概念は、ここでは再び説明しない。図１４に示すように、当該方法は、以下のステップを含む。
【０３０７】
S1401.端末デバイスは、ダウンリンク信号内の第1のタイプの信号を監視し、対応して、ネットワークデバイスは、ダウンリンク信号を送信し、第1のタイプの信号は電力消費低減情報を示すために使用される信号である。
【０３０８】
S1402.端末デバイスは、第1のタイプの信号が時間領域リソース内の第1の位置において検出されないと決定し、第1の位置は第1のタイプの信号を監視するための所定の位置である。
【０３０９】
S1403.端末デバイスは、時間領域リソース内の第3の位置から第2のタイプの信号を監視し始め、第2のタイプの信号はデータスケジューリングを示すために使用される信号であり、第3の位置は第1の位置の後に位置する。
【０３１０】
この出願のこの実施形態では、端末デバイスが所定の位置において第1のタイプの信号を検出しないとき、端末デバイスは、第1の位置の後で第2のタイプの信号を直ちに監視してもよく、言い換えると、スリープ状態から通常動作状態に直ちに切り替えてもよく、それにより、信号の見逃し検出を回避し、それにより、通信効率を改善する。
【０３１１】
上記に、図１〜図１４を参照して、この出願の実施形態における信号監視方法について説明した。以下に、図１５〜図２１を参照して、この出願の実施形態における装置について説明する。
【０３１２】
図１５は、この出願の実施形態による端末デバイス1500の概略ブロック図である。端末デバイス1500は、この出願の方法において端末デバイスにより実行されるステップを実行できる。繰り返しを回避するために、詳細は、ここでは再び説明しない。例えば、端末デバイスは、図２、図１１、図１２及び図１３において端末デバイスにより実行されるステップを実行できる。端末デバイス1500は端末デバイスでもよく、或いは、端末デバイスに適用されるチップでもよい。端末デバイス1500は、受信ユニット1510と、監視ユニット1520とを含む。
【０３１３】
受信ユニット1510は、ダウンリンク信号を受信するように構成される。監視ユニット1520は、ダウンリンク信号内の第1のタイプの信号を監視するように構成され、第1のタイプの信号は電力消費低減情報を示すために使用される信号であり、端末デバイスは第1のタイプの信号を監視するときに第2のタイプの信号を監視せず、第2のタイプの信号はデータスケジューリングを示すために使用される信号である。
【０３１４】
代替として、受信ユニット1510は、ネットワークデバイスから第2の指示情報を受信するように構成され、第2の指示情報は、第1のタイプの信号を監視し始めるように端末デバイスに指示し、第1のタイプの信号は電力消費低減情報を示すために使用される信号である。監視ユニット1520は、第2の指示情報が受信された後に、第1のタイプの信号を監視し始めるように更に構成される。監視ユニット1520は、第1のタイプの信号を監視するときに第2のタイプの信号を監視せず、第2のタイプの信号はデータスケジューリングを示すために使用される信号である。
【０３１５】
代替として、受信ユニット1510は、第1の指示情報を受信するように構成され、第1の指示情報は、時間領域リソース内の第1の位置がアップリンク位置であることを示し、第1の位置は第1のタイプの信号を監視するための所定の位置であり、第1のタイプの信号は電力消費低減情報を示すために使用される信号である。監視ユニット1520は、時間領域リソース内の少なくとも1つの第2の位置において第1のタイプのデータを監視するように構成され、少なくとも1つの第2の位置は第1の位置の後に位置する。
【０３１６】
代替として、受信ユニット1510は、第1の指示情報を受信するように構成され、第1の指示情報は、時間領域リソース内の第1の位置がアップリンク位置であることを示し、第1の位置は第1のタイプの信号を周期的に監視するための位置であり、第1のタイプの信号は電力消費低減情報を示すために使用される信号である。監視ユニット1520は、第1の位置と第1のタイプの信号を周期的に監視するための次の位置との間の位置において第1のタイプの信号を監視しないと決定するように構成される。
【０３１７】
図１６は、この出願の実施形態による端末デバイス1600の概略ブロック図である。端末デバイス1600は、この出願の方法において端末デバイスにより実行されるステップを実行できる。繰り返しを回避するために、詳細は、ここでは再び説明しない。例えば、端末デバイスは、図９、図１０及び図１４において端末デバイスにより実行されるステップを実行できる。端末デバイス1600は端末デバイスでもよく、或いは、端末デバイスに適用されるチップでもよい。端末デバイス1600は、監視ユニット1610と、処理ユニット1620とを含む。
【０３１８】
監視ユニット1610は、ダウンリンク信号内の第2の信号を検出するように構成され、第2の信号は第1のタイプの信号であり、第1のタイプの信号は電力消費低減情報を示すために使用される信号である。処理ユニット1620は、第2の信号及び第1のタイプの信号と電力消費低減情報の意味との間のマッピング関係に基づいて、第2の信号により示される電力消費低減情報の意味を決定するように構成される。
【０３１９】
代替として、処理ユニット1620は、第2のタイプの信号が予め設定された第3の時間領域リソース長において検出されるか否かを決定するように構成され、第2のタイプの信号はデータスケジューリングを示すために使用される信号である。監視ユニット1610は、第2のタイプの信号が予め設定された第3の時間領域リソース長において検出されないときに第1のタイプの信号を監視し始めるように構成され、第1のタイプの信号は電力消費低減情報を示すために使用される信号である。
【０３２０】
代替として、監視ユニット1610は、ダウンリンク信号内の第1のタイプの信号を監視するように構成され、第1のタイプの信号は電力消費低減情報を示すために使用される信号である。処理ユニット1620は、第1のタイプの信号が時間領域リソース内の第1の位置において検出されないと決定するように構成され、第1の位置は第1のタイプの信号を監視するための所定の位置である。監視ユニット1610は、時間領域リソース内の第3の位置から第2のタイプの信号を監視し始めるように構成され、第2のタイプの信号はデータスケジューリングを示すために使用される信号であり、第3の位置は第1の位置の後に位置する。
【０３２１】
図１７は、この出願の実施形態によるネットワークデバイス1700の概略ブロック図である。ネットワークデバイス1700は、この出願の方法においてネットワークデバイスにより実行されるステップを実行できる。繰り返しを回避するために、詳細は、ここでは再び説明しない。例えば、ネットワークデバイスは、図９、図１０、図１１及び図１２においてネットワークデバイスにより実行されるステップを実行できる。ネットワークデバイス1700はネットワークデバイスでもよく、或いは、ネットワークデバイスに適用されるチップでもよい。ネットワークデバイス1700は、第1の送信ユニット1710と、第2の送信ユニット1720とを含む。
【０３２２】
第1の送信ユニット1710は、第3の指示情報を送信するように構成され、第3の指示情報は第1のタイプの信号と電力消費低減情報の意味との間のマッピング関係を示すために使用され、第1のタイプの信号は電力消費低減情報を示すために使用される信号である。第2の送信ユニット1720は、第2の信号を送信するように構成され、第2の信号は第1のタイプの信号である。
【０３２３】
代替として、第1の送信ユニット1710は、第2のタイプの信号を送信するように構成され、第2のタイプの信号はデータスケジューリングを示すために使用される信号である。第2の送信ユニット1720は、予め設定された第3の時間領域リソース長の後に第1のタイプの信号を送信し始めるように構成され、第1のタイプの信号は電力消費低減情報を示すために使用される信号である。
【０３２４】
代替として、第1の送信ユニット1710は、第2の指示情報を送信するように構成され、第2の指示情報は、第1のタイプの信号を監視し始めるように端末デバイスに指示し、第1のタイプの信号は電力消費低減情報を示すために使用される信号である。第2の送信ユニット1720は、第2の指示情報が送信された後に第1のタイプの信号を送信し始めるように構成され、第2の送信ユニット1720は、同じ時間間隔内に第1のタイプの信号及び第2のタイプの信号のうち1つのみを送信する。
【０３２５】
代替として、第1の送信ユニット1710は、第1の指示情報を送信するように構成され、第1の指示情報は、時間領域リソース内の第1の位置がアップリンク位置であることを示し、第1の位置は端末デバイスにより監視されるべき第1のタイプの信号の所定の位置であり、第1のタイプの信号は電力消費低減情報を示すために使用される信号である。第2の送信ユニット1720は、時間領域リソース内の第2の位置において第1のタイプの信号を送信するように構成され、第2の位置は第1の位置の後に位置する。
【０３２６】
図１８は、この出願の実施形態によるネットワークデバイス1800の概略ブロック図である。ネットワークデバイス1800は、この出願の方法においてネットワークデバイスにより実行されるステップを実行できる。繰り返しを回避するために、詳細は、ここでは再び説明しない。例えば、ネットワークデバイスは、図１３においてネットワークデバイスにより実行されるステップを実行できる。ネットワークデバイス1800はネットワークデバイスでもよく、或いは、ネットワークデバイスに適用されるチップでもよい。ネットワークデバイス1800は、送信ユニット1810と、処理ユニット1820とを含む。
【０３２７】
送信ユニット1810は、第1の指示情報を送信するように構成され、第1の指示情報は、時間領域リソース内の第1の位置がアップリンク位置であることを示し、第1の位置は第1のタイプの信号を周期的に送信するための位置であり、第1のタイプの信号は電力消費低減情報を示すために使用される信号である。処理ユニット1820は、第1の位置と第1のタイプの信号を周期的に送信するための次の位置との間の位置において第1のタイプの信号を送信しないと決定するように構成される。
【０３２８】
図１９は、この出願の実施形態によるネットワークデバイス1900の概略ブロック図である。ネットワークデバイス1900は、この出願の方法においてネットワークデバイスにより実行されるステップを実行できる。繰り返しを回避するために、詳細は、ここでは再び説明しない。例えば、ネットワークデバイスは、図２においてネットワークデバイスにより実行されるステップを実行できる。ネットワークデバイス1900はネットワークデバイスでもよく、或いは、ネットワークデバイスに適用されるチップでもよい。ネットワークデバイス1900は、生成ユニット1910と、送信ユニット1920とを含む。生成ユニット1910は、ダウンリンク信号を生成するように構成され、ダウンリンク信号は、端末デバイスにより監視されるべき第1のタイプの信号又は第2のタイプの信号を含み、第1のタイプの信号は電力消費低減情報を示すために使用される信号であり、第2のタイプの信号はデータスケジューリングを示すために使用される信号である。送信ユニット1920は、ダウンリンク信号を送信するように構成され、送信ユニット1920は、同じ時間間隔内に第1のタイプの信号及び第2のタイプの信号のうち1つのみを送信する。
【０３２９】
図２０は、この出願の実施形態による端末デバイス2000の概略構造図である。図２０に示すように、端末デバイス2000は、1つ以上のメモリ2010と、1つ以上の通信インタフェース2020と、1つ以上のプロセッサ2030とを含む。プロセッサ2030は、信号を受信及び送信するように通信インタフェース2020を制御するように構成され、メモリ2010は、コンピュータプログラムを記憶するように構成される。プロセッサ2030は、メモリ2010からコンピュータプログラムを呼び出し、コンピュータプログラムを実行するように構成され、それにより、端末デバイスは、この出願の方法の実施形態において端末デバイスにより実行される対応する手順及び/又は動作を実行する。例えば、端末デバイス2000は、図２及び図９〜図１４において端末デバイスにより実行されるステップを実行できる。簡潔にするために、詳細はここでは再び説明しない。
【０３３０】
図２１は、この出願の実施形態によるネットワークデバイス2100の概略構造図である。図２１に示すように、ネットワークデバイス2100は、1つ以上のメモリ2110と、1つ以上の通信インタフェース2120と、1つ以上のプロセッサ2130とを含む。プロセッサ2130は、信号を受信及び送信するように通信インタフェース2120を制御するように構成され、メモリ2110は、コンピュータプログラムを記憶するように構成される。プロセッサ2130は、メモリ2110からコンピュータプログラムを呼び出し、コンピュータプログラムを実行するように構成され、それにより、ネットワークデバイスは、この出願の通信方法の実施形態においてネットワークデバイスにより実行される対応する手順及び/又は動作を実行する。例えば、ネットワークデバイス2100は、図２及び図９〜図１３においてネットワークデバイスにより実行されるステップを実行できる。簡潔にするために、詳細はここでは再び説明しない。
【０３３１】
当業者は、この明細書に開示された実施形態に記載の例と組み合わせて、ユニット及びアルゴリズムステップが電子ハードウェア又はコンピュータソフトウェアと電子ハードウェアとの組み合わせにより実現されてもよいことを認識し得る。機能がハードウェアにより実行されるかソフトウェアにより実行されるかは、技術的解決策の特定の用途及び設計制約条件に依存する。当業者は、特定の用途毎に、記載の機能を実現するために異なる方法を使用し得るが、実現方式がこの出願の範囲を超えるものと考えられるべきでない。
【０３３２】
便宜上で簡潔な説明の目的で、上記のシステム、装置及びユニットの詳細な動作プロセスについては、上記の方法の実施形態における対応するプロセスを参照し、詳細は、ここでは再び説明しないことが当業者により明確に理解され得る。
【０３３３】
この出願において提供されるいくつかの実施形態では、開示のシステム、装置及び方法は、他の方式で実現されてもよいことが理解されるべきである。例えば、記載の装置の実施形態は単なる例である。例えば、ユニットの分割は、単なる論理的な機能分割であり、実際の実現方式では他の分割でもよい。例えば、複数のユニット又は構成要素は結合されてもよく或いは他のシステムに統合されてもよく、或いは、いくつかの特徴は無視されてもよく或いは実行されなくてもよい。さらに、表示又は議論された相互結合又は直接結合又は通信接続は、いくつかのインタフェースを使用することにより実現されてもよい。装置又はユニットの間の間接結合又は通信接続は、電子的、機械的又は他の形式で実現されてもよい。
【０３３４】
別個の部分として記載されたユニットは、物理的に分離されていてもよく或いは物理的に分離されなくてもよく、ユニットとして表示された部分は、物理的なユニットでもよく或いは物理的なユニットでなくてもよく、1つの位置に配置されてもよく或いは複数のネットワークユニットに分散されてもよい。ユニットの一部又は全部は、実施形態の解決策の目的を達成するために、実際の要件に基づいて選択されてもよい。
【０３３５】
さらに、この出願の実施形態における機能ユニットは、1つの処理ユニットに統合されてもよく、或いは、ユニットのそれぞれが物理的に独立して存在してもよく、或いは、2つ以上のユニットが1つのユニットに統合される。
【０３３６】
機能がソフトウェア機能ユニットの形式で実現され、独立した製品として販売又は使用されるとき、機能は、コンピュータ読み取り可能記憶媒体に記憶されてもよい。このような理解に基づいて、この出願の技術的解決策は本質的に、或いは、先行技術に寄与する部分又は技術的解決策のいくつかは、ソフトウェア製品の形式で実現されてもよい。ソフトウェア製品は、記憶媒体に記憶され、コンピュータデバイス(パーソナルコンピュータ、サーバ又はネットワークデバイスでもよい)に対して、この出願の実施形態に記載の方法の全部又は一部のステップを実行するように命令するためのいくつかの命令を含む。上記の記憶媒体は、USBフラッシュドライブ、取り外し可能ハードディスク、読み取り専用メモリ(read-only  memory,  ROM)、ランダムアクセスメモリ(random  access  memory,  RAM)、磁気ディスク又は光ディスクのようなプログラムコードを記憶できるいずれかの媒体を含む。
【０３３７】
上記の説明は、この出願の単なる具体的な実現方式であり、この出願の保護範囲を限定することを意図するものではない。この出願に開示された技術的範囲内で当業者により容易に理解される如何なる変更又は置換も、この出願の保護範囲に入るものとする。したがって、この出願の保護範囲は、特許請求の範囲の保護範囲に従うものとする。
【図１】
2021534645.tif 000006
【図２】
2021534645.tif 000007
【図３】
2021534645.tif 000008
【図４】
2021534645.tif 000009
【図５】
2021534645.tif 000010
【図６（Ａ）】
2021534645.tif 000011
【図６（Ｂ）】
2021534645.tif 000012
【図７（Ａ）】
2021534645.tif 000013
【図７（Ｂ）】
2021534645.tif 000014
【図８】
2021534645.tif 000015
【図９】
2021534645.tif 000016
【図１０】
2021534645.tif 000017
【図１１】
2021534645.tif 000018
【図１２】
2021534645.tif 000019
【図１３】
2021534645.tif 000020
【図１４】
2021534645.tif 000021
【図１５】
2021534645.tif 000022
【図１６】
2021534645.tif 000023
【図１７】
2021534645.tif 000024
【図１８】
2021534645.tif 000025
【図１９】
2021534645.tif 000026
【図２０】
2021534645.tif 000027
【図２１】
2021534645.tif 000028
【図２２】
2021534645.tif 000029
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
信号監視方法であって、
端末デバイスにより、ダウンリンク信号を受信するステップと、
前記端末デバイスにより、前記ダウンリンク信号内の第1の信号を監視するステップであり、前記第1の信号は第1のタイプを有し、前記第1の信号は電力消費低減情報を示すために使用される信号であり、前記端末デバイスは前記第1の信号を監視するときに第2の信号を監視せず、前記第2の信号は第2のタイプを有し、前記第2の信号はデータスケジューリングを示すために使用される信号である、ステップと
を含む方法。
【請求項２】
当該方法は、前記端末デバイスにより、前記第1の信号に基づいて、時間領域リソース内の次の監視対象の信号の位置を決定するステップであり、前記次の監視対象の信号は前記第1の信号又は前記第2の信号である、ステップを更に含む、請求項１に記載の方法。
【請求項３】
前記第1の信号は、データスケジューリングが第1の時間領域リソース長において実行されないことを示し、前記端末デバイスにより、前記第1の信号に基づいて、時間領域リソース内の次の監視対象の信号の位置を決定するステップは、
前記端末デバイスにより、前記時間領域リソース内の前記第1の時間領域リソース長の後の位置から前記第1の信号を監視し始めるステップを含む、請求項２に記載の方法。
【請求項４】
前記第1の時間領域リソース長はDRXサイクルである、請求項３に記載の方法。
【請求項５】
前記第1の信号が、データスケジューリングが第1の時間領域リソース長において実行されないことを示すことは、
前記電力消費低減情報が、データスケジューリングが1つのDRXサイクルにおいて実行されないことを示すことを含む、請求項４に記載の方法。
【請求項６】
前記第1の信号は、データスケジューリングが第2の時間領域リソース長の後に実行されるべきであることを示し、前記端末デバイスにより、前記第1の信号に基づいて、時間領域リソース内の次の監視対象の信号の位置を決定するステップは、
前記端末デバイスにより、前記時間領域リソース内の前記第2の時間領域リソース長の後の位置から前記第2の信号を監視し始めるステップを含む、請求項２乃至５のうちいずれか１項に記載の方法。
【請求項７】
前記第2の時間領域リソース長は1つ以上のスロットであり、
データスケジューリングが第2の時間領域リソース長の後に実行されるべきであることは、
前記電力消費低減情報が、前記端末デバイスが1つ以上のスロットの後にデータスケジューリングを監視することを示すことを含む、請求項６に記載の方法。
【請求項８】
前記端末デバイスにより、前記ダウンリンク信号内の第1の信号を監視するステップは、前記端末デバイスにより、前記第1の信号を周期的に監視するステップを含む、請求項１乃至７のうちいずれか１項に記載の方法。
【請求項９】
当該方法は、
前記端末デバイスにより、第1の指示情報を受信するステップであり、前記第1の指示情報は、時間領域リソース内の第1の位置がアップリンク位置であることを示し、前記第1の位置は前記第1の信号を周期的に監視するための位置である、ステップと、
前記端末デバイスにより、前記第1の指示情報に基づいて、前記第1の位置から始まる位置において且つ前記第1の信号を周期的に監視するための次の位置の前に、前記第1の信号を監視しないと決定するステップと
を更に含む、請求項８に記載の方法。
【請求項１０】
当該方法は、
前記端末デバイスにより、第1の指示情報を受信するステップであり、前記第1の指示情報は、時間領域リソース内の第1の位置がアップリンク位置であることを示す、ステップと、
前記端末デバイスにより、前記時間領域リソース内の少なくとも1つの第2の位置において前記第1のタイプのデータを監視するステップであり、前記第1の位置は前記第1の信号を周期的に監視するための位置であり、前記少なくとも1つの第2の位置は前記第1の位置の後に位置する、ステップと
を更に含む、請求項１乃至９のうちいずれか１項に記載の方法。
【請求項１１】
前記端末デバイスにより、前記ダウンリンク信号内の第1の信号を監視するステップは、前記端末デバイスにより、前記第1の信号が前記時間領域リソース内の第1の位置において検出されないと決定するステップであり、前記第1の位置は前記第1の信号に基づいて決定された前記次の監視対象の信号の前記位置であり、前記次の監視対象の信号は前記第1の信号である、ステップを含み、
当該方法は、前記端末デバイスにより、前記時間領域リソース内の第3の位置から前記第2の信号を監視し始めるステップであり、前記第3の位置は前記第1の位置の後に位置する、ステップを更に含む、請求項２乃至１０のうちいずれか１項に記載の方法。
【請求項１２】
前記第1の指示情報はシステムのアップリンク・ダウンリンク構成を示し、前記第1の指示情報は半静的に構成されたシグナリングである、請求項９又は１０に記載の方法。
【請求項１３】
前記第1の信号はDCIである、請求項１乃至１２のうちいずれか１項に記載の方法。
【請求項１４】
前記第1の信号に割り当てられた値と前記電力消費低減情報の意味とはマッピング関係を有し、前記マッピング関係は予め定義される、請求項１乃至１２のうちいずれか１項に記載の方法。
【請求項１５】
前記端末デバイスが前記ダウンリンク信号内の前記第1の信号を監視する前に、当該方法は、
前記端末デバイスにより、第2の指示情報を受信するステップであり、前記第2の指示情報は、第1の信号を監視し始めるように前記端末デバイスに指示する、ステップと、
前記端末デバイスにより、前記第2の指示情報を受信した後に前記第1の信号を監視し始めるステップであり、前記第2の指示情報は無線リソース制御(RRC)シグナリングで搬送される、ステップと
を更に含む、請求項１乃至１４のうちいずれか１項に記載の方法。
【請求項１６】
端末装置であって、
請求項１乃至１５のうちいずれか１項に記載の方法のステップを実行するための手段を含む端末装置。
【請求項１７】
装置であって、
メモリからコンピュータプログラムを呼び出し、前記コンピュータプログラムを実行して当該装置に請求項１乃至１５のうちいずれか１項に記載の方法を実現させるプロセッサを含む装置。
【請求項１８】
コンピュータ読み取り可能記憶媒体であって、
装置のプロセッサによる実行に応じて、前記装置に請求項１乃至１５のうちいずれか１項に記載の方法を実現させる、記憶されたコンピュータ読み取り可能プログラムコードを有するコンピュータ読み取り可能記憶媒体。
【請求項１９】
コンピュータプログラム製品であって、
前記コンピュータプログラム製品は、コンピュータプログラムコードを含み、前記コンピュータプログラムコードが実行されたとき、請求項１乃至１５のうちいずれか１項に記載の方法のステップが実現される、コンピュータプログラム製品。
【国際調査報告】
2021534645.tif 000030
2021534645.tif 000031
2021534645.tif 000032
2021534645.tif 000033